(57)【要約】  挙動変化を助長するためのシステム、方法、および物品が提供される。システムの種々の態様は、デバイスから／へ生成および／または通信される健康増進データと、健康増進データと関連付けられた少なくとも１つの挙動変化方法論を識別するために、ソフトウェア／プロセッサと関連付けられた方法論モジュールと、識別された少なくとも１つの挙動変化方法論を始動するために、ソフトウェア／プロセッサと関連付けられた命令モジュールとを含む。
2014511516.tif 000002
【特許請求の範囲】
【請求項１】
プロセッサによって、健康増進データを受信するステップと、
前記プロセッサによって、前記健康増進データを処理し、少なくとも１つの事前に選択された挙動変化方法論を識別するステップと、
前記プロセッサによって、対応する命令を生成し、前記識別された少なくとも１つの挙動変化方法論を始動するステップと
を有することを特徴とする方法。
【請求項２】
前記健康増進データは、本質的に、摂取事象、注射事象、吸引事象、注入事象、健康監視事象、物理的アクティビティ事象、および摂食事象から成る群から選択される少なくとも１つの事象から生成されることを特徴とする請求項１に記載の方法。
【請求項３】
前記健康増進データを生成する前記摂取事象は、摂取可能デバイスを介して促進されることを特徴とする請求項２に記載の方法。
【請求項４】
前記摂取可能デバイスは、ＲＦＩＤ対応デバイスおよび電流改変デバイスから成る群から選択されることを特徴とする請求項３に記載の方法。
【請求項５】
前記少なくとも１つの挙動変化方法論は、本質的に、メドマッチ方法論、実現可能範囲内におけるレース方法論、デスクトップウィジェット／アバター選択方法論、家族的責任方法論、仮想邸宅方法論、日々変わる孵化方法論、フィティマルズ方法論、ゲームフィット方法論、楽しい比較方法論、勝利への執着方法論、羞恥ゲーム方法論、誓約マッチ方法論、友人からの援助方法論、愛情バズ音方法論、パッチアラート方法論、パッチ発信機方法論、完了！バズ音方法論、プラグ方法論、実患者プロファイル方法論、実将来方法論、心的状態の掘り下げ方法論、心臓適合方法論、スイマーパッチ方法論、小ステップ大結果方法論、健康的な食事への取り組み方法論、偽薬方法論、およびマッチ方法論から成る群から選択されることを特徴とする請求項１に記載の方法。
【請求項６】
前記メドマッチ方法論は、援助を必要としている個人または活動の直接的あるいは間接的支援および経済的結果のうちの少なくとも１つと関連付けられることを特徴とする請求項５に記載の方法。
【請求項７】
前記メドマッチ方法論は、検証可能寄付的経済活動および定量化可能寄付的経済活動のうちの少なくとも１つと関連付けられることを特徴とする請求項５に記載の方法。
【請求項８】
健康増進デバイスによって、前記健康増進データを生成する初期ステップをさらに有することを特徴とする請求項１に記載の方法。
【請求項９】
前記健康増進デバイスは、摂取可能デバイスであることを特徴とする請求項８に記載の方法。
【請求項１０】
デバイスによって、前記対応する命令を受信するステップをさらに有することを特徴とする請求項１に記載の方法。
【請求項１１】
システム構成要素を介して、前記健康増進データと関連付けられたデータを追跡するステップと、
システム構成要素を介して、前記健康増進データと関連付けられたフィードバックを生成するステップと
のうちの少なくとも１つをさらに有することを特徴とする請求項１に記載の方法。
【請求項１２】
システム構成要素を介して、前記健康増進データと関連付けられた予防措置命令を生成するステップをさらに有することを特徴とする請求項１に記載の方法。
【請求項１３】
デバイスによって生成された健康増進データと、
前記健康増進データと関連付けられた少なくとも１つの挙動変化方法論を識別するために、プロセッサと関連付けられた方法論モジュールと、
前記識別された少なくとも１つの挙動変化方法論を始動するために、前記プロセッサと関連付けられた命令モジュールと
を備えることを特徴とするシステム。
【請求項１４】
前記健康増進データを生成することと、前記健康増進データを通信することとのうちの少なくとも１つを行うデータデバイスをさらに備えることを特徴とする請求項１３に記載のシステム。
【請求項１５】
前記データデバイスは、本質的に、摂取可能デバイス、注射デバイス、吸引デバイス、注入デバイス、検出器デバイス、健康監視デバイス、物理的アクティビティデバイス、埋め込み型デバイス、薬物デポー放出デバイス、および摂食デバイスから成る群から選択されることを特徴とする請求項１４に記載のシステム。
【請求項１６】
前記摂取可能デバイスは、前記健康増進データを電流にてエンコードすることを特徴とする請求項１５に記載のシステム。
【請求項１７】
前記摂取可能デバイスは、
コンダクタンスを改変するための制御デバイスと、
部分的電源であって、
前記制御デバイスに電気的に結合された第１の材料、および
前記制御デバイスに電気的に結合され、前記第１の材料から電気的に絶縁される、第２の材料
を有する部分的電源と
を備えており、
前記第１の材料および第２の材料は、伝導性液体と接触すると、電圧電位差を提供するように選択され、
前記制御デバイスは、前記電流の大きさが変動されて前記健康増進データをエンコードするように、前記第１の材料および第２の材料の間のコンダクタンスを改変することを特徴とする請求項１６に記載のシステム。
【請求項１８】
前記検出器デバイスは、薬剤送達事象データおよび生理学的パラメータデータのうちの少なくとも１つと通信することを特徴とする請求項１５に記載のシステム。
【請求項１９】
前記健康増進データと関連付けられたデータの追跡、および、前記健康増進データと関連付けられたフィードバックの生成のうちの少なくとも１つを行うための追跡／フィードバックモジュールをさらに備えることを特徴とする請求項１３に記載のシステム。
【請求項２０】
前記健康増進データと関連付けられた予防措置命令を生成するための予防措置モジュールをさらに備えることを特徴とする請求項１３に記載のシステム。
【請求項２１】
コンピューティングプラットフォームによって実行されると、ネットワークを介して、健康増進データを通信する方法の実行をもたらす、命令を有する、非一過性記憶媒体であって、
ハブを介して、前記健康増進データを受信することと、
前記ハブを介して、前記健康増進データの少なくとも一部を方法論モジュールに通信することと、
方法論モジュールを介して、前記健康増進データと関連付けられた少なくとも１つの方法論を識別することと、
命令モジュールを介して、前記識別された方法論と関連付けられた少なくとも１つの命令を生成することと
を含む媒体を備えることを特徴とする物品。
【請求項２２】
前記ネットワークの構成要素を介して、前記健康増進データと関連付けられたデータを追跡するステップと、
前記ネットワークの構成要素を介して、前記健康増進データと関連付けられたデータを生成するステップと
のうちの少なくとも１つをさらに含むことを特徴とする請求項２１に記載の物品。
【請求項２３】
前記ネットワークの構成要素を介して、前記健康増進データと関連付けられた予防措置命令を生成するステップをさらに含むことを特徴とする請求項２１に記載の物品。
【請求項２４】
デバイスによって生成された健康増進データと、
前記健康増進データと関連付けられた少なくとも１つの挙動変化方法論を識別するために、プロセッサと関連付けられた方法論モジュールと、
前記識別された少なくとも１つの挙動変化方法論を始動するために、前記プロセッサと関連付けられた命令モジュールとを備えており、
前記健康増進データおよび前記挙動変化方法論と関連付けられたデータの融合は、直接または間接的に、挙動変化を助長することを特徴とするシステム。
【発明の詳細な説明】
【技術分野】
【０００１】
本発明は、概して、健康関連デバイスおよび通信の技術分野に関する。より具体的には、種々の例証的実施形態では、本発明は、基礎健康データに基づいて、挙動変化を助長するシステム、方法、および装置に関する。
【背景技術】
【０００２】
薬剤および他の健康計画の順守の欠如は、有意な問題となり得る。多くの個人は、療法順守持続のために必要な挙動に従事することを怠り得る。医師命令、長期的健康報酬、および疾患状態の管理等の従来の精神モデルでは、単純に、療法順守持続に失敗する。そのような精神モデルは、非常に抽象的であって、想像が困難であり得る。患者は、「今後１０年間、この薬を毎日服用すれば、長く生きられるかも知れない」等の抽象的概念に共鳴することができない場合がある。療法順守の失敗は、不必要な疾患の進行、無駄な医療リソース、および他の厄介な転帰をもたらし得る。
【先行技術文献】
【特許文献】
【０００３】
【特許文献１】国際公開第２０１０／０８０８４３号パンフレット
【発明の概要】
【発明が解決しようとする課題】
【０００４】
したがって、必要とされるのは、種々の改善された転帰と関連付けられ得る、持続的挙動変化等を助長可能な一式の動機付けである。
【課題を解決するための手段】
【０００５】
本開示は、挙動変化を助長するためのシステム、方法、および物品によって、これらの問題の少なくともいくつかに対処することを模索する。種々の態様は、消費者における挙動変化を持続させるための機構を含む。そのような挙動変化は、多くのかつ様々な肯定的結果、例えば、改善された治療転帰、広範な社会的利用、他者への慈善的利点等を有し得る。本システムおよび方法は、消費者人口、疾患状態、地理的領域、および利害関係者にわたって、広範な可用性を有する。
【図面の簡単な説明】
【０００６】
【図１】挙動変化を助長するためのシステムの概略を示す図である。
【図２】図１における挙動変化を助長するためのシステムのシステム動作を示す図である。
【図２ａ】メドマッチ方法論のある概念的利用を示す図である。
【図３】実現可能範囲内におけるレース方法論のある概念的利用を示す図である。
【図４】デスクトップウィジェット／アバター選択方法論のある概念的利用を示す図である。
【図５】家族的責任方法論のある概念的利用を示す図である。
【図６】仮想邸宅方法論のある概念的利用を示す図である。
【図７】日々変わる孵化方法論のある概念的利用を示す図である。
【図８】フィティマルズ方法論のある概念的利用を示す図である。
【図９】楽しい比較方法論のある概念的利用を示す図である。
【図１０】勝利への執着方法論のある概念的利用を示す図である。
【図１１】羞恥ゲーム方法論のある概念的利用を示す図である。
【図１２】誓約マッチ方法論のある概念的利用を示す図である。
【図１３】友人からの援助方法論のある概念的利用を示す図である。
【図１４】愛情バズ音方法論のある概念的利用を示す図である。
【図１５】パッチアラート方法論のある概念的利用を示す図である。
【図１６】完了！バズ音方法論のある概念的利用を示す図である。
【図１７】プラグ方法論のある概念的利用を示す図である。
【図１８】実患者プロファイル方法論のある概念的利用を示す図である。
【図１９】心的状態の掘り下げ方法論のある概念的利用を示す図である。
【図２０】心臓適合方法論のある概念的利用を示す図である。
【図２１】スイマーパッチ方法論のある概念的利用を示す図である。
【図２２】小ステップ大結果方法論のある概念的利用を示す図である。
【図２３】健康的な食事への取り組み方法論のある概念的利用を示す図である。
【図２４】マッチ方法論のある概念的利用を示す図である。
【図２５】挙動変化を助長する方法を示す図である。
【発明を実施するための形態】
【０００７】
本開示は、挙動変化を助長するためのシステム、方法、および物品の複数の実施形態を含む。以下により詳細に説明されるように、本発明のシステムおよび方法は、種々の有益な結果によって、持続可能挙動変化を助長するために使用され得る。結果として、例えば、改善された治療転帰、広範な社会的利用、種々の受容者への有益な寄付、医療リソースの慎重な使用等が挙げられる。
【０００８】
広義には、態様は、デバイス、例えば、摂取可能デバイス、プロセッサ、携帯電話、コンピュータ、インテリジェント体重計等と結合され、挙動変化を助長する、種々の方法論を含む。
【０００９】
方法論として、例えば、マッチングギフト、競争的追求、アバターベースのアプローチ、家族中心ゲーム等に関連した方式が挙げられる。
【００１０】
多様な態様は、既存の自動化システムと本発明とのリンクおよび／または利用を提供する。既存のシステムとして、例えば、コンピュータ化マッチングギフト制度、ソーシャルネットワークおよび媒体、健康管理ネットワーク等が挙げられ得る。
【００１１】
概して、患者行程は、（１）慢性的疾患の治療のための療法計画を開始する、（２）良好な習慣および選択肢を確立することを日課とし、療法計画および他の肯定的生活スタイルの選択肢、例えば、食事、睡眠、運動等に準拠かつ順守する、および（３）療法および疾患の進行または困難における厳しい状況および困難な期間を乗り越え、慢性的疾患管理および継続的健康における進歩を継続する、３つの主要段階を辿り得る。本発明の態様は、創造的自動化方法論の新規使用を通して、これらの患者行程の段階のそれぞれにおいて、持続的挙動変化および継続的強化のための生成機構を作り出し得る。
【００１２】
そのような方法論の１つは、マッチングギフト（本明細書では、「メドマッチ（ｍｅｄｍａｔｃｈ）」と称される場合もある）を促進することである。本方法論下では、健康増進の個人的行為、例えば、薬剤または偽薬等の製品の摂取行為は、マッチする利他的目標にリンクされる。個人的行為、例えば、摂取事象の実際の確認が、患者メモリ、患者報告、スマートパッケージング、または瓶等、行為の代用物とは対照的に、そのようなシステムを作用させるための前提となる。
【００１３】
本方法論を使用して、本発明の態様は、以下のように、持続的挙動変化および継続的強化のための生成機構を作り出し得る。
１．開始する：メドマッチは、医師によって既に処方された薬を単に服用することによる還元によって、良いことをしたいという患者の要望を活性化する。
２．目標にする：メドマッチは、患者に、薬を服用するという、日常的であって、時として、平凡なタスクを、他者を支援しているという、より刺激的な動機につなげる短期的強化を与える。メドマッチはまた、患者を同様の他者とつなげ、メドマッチプログラムにおける他の患者の集合的な薬の摂取が、どのようにインドにおける末期結核等の活動を支援しているか、または近隣都市における恵まれない子供達に薬剤を提供しているかを示すことができる。
３．厳しい状況を乗り越える：患者が、その治療における挫折、薬剤からの副作用、またはその状態に関して落胆および苛立を感じるとき、メドマッチは、継続し、軌道に戻り、肯定的日課から離脱しないように、より高い目的および動機を提供する。
【００１４】
メドマッチ方法論では、重要な社会的影響（援助を必要としている個人または活動の支援）および経済的結果（寄付されている実質的財務値の別の成果）が、個人的消費者決定によって作り出され、したがって、「寄付的経済活動」は、検証され、定量化可能でなければならない。実際の行為、例えば、実際の摂取の直接的測定は、製品コンセプトの一部である。直接的測定は、以下に論じられるように、種々のデバイスを介して達成されてもよい。
【００１５】
例証するために、任意の個人またはグループは、摂取事象を知らせる、一体型摂取可能デバイスを有する薬剤を摂取する。（そのようなデバイスの実施例は、例えば、２００９年９月２１日出願の米国特許出願第１２／５６４，０１７号「ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ」（以下参照）に説明されている）。一体型デバイスは、関連データ、例えば、健康増進データ、個人の識別、薬剤のタイプ、摂取の時間、および投薬量情報を、プロセッサおよび具体的ソフトウェアを有する、コンピュータまたはモバイルデバイスに通信する。ソフトウェア／プロセッサは、健康増進データを処理し、所定の挙動変化方法論の識別に応じて、ソフトウェア／プロセッサは、対応する命令を生成し、識別された挙動変化方法論と関連付けられたソフトウェアを始動する。
【００１６】
一実施例では、健康増進データは、薬剤を摂取している個人を識別する。ソフトウェア／プロセッサは、データベースまたは他の記憶媒体をチェックし、識別された個人が、対応する挙動変化方法論プログラムを適切に有するかどうかを判定する。そのようなプログラムが適切であると、例えば、個人が、「メドマッチ」を選択したとの判定に応じて、ソフトウェア／プロセッサは、命令を生成し、例えば、ソフトウェアプログラムを始動し、特定の活動の所定の性質の寄付を促進する。
【００１７】
そのような寄付の１つは、例えば、援助を必要としている個人への「マッチする」用量の薬剤の提供であってもよい。したがって、個人による製品の摂取に応じて、別の個人、グループ、または活動への第２の指定される製品（または、複数の製品）の「１対１」または「１対多数」の寄付が生じる。
【００１８】
例えば、米国マサチューセッツ州ボストンで生活するＨＩＶ＋患者は、メドマッチを設定し、ボストンの患者が、自身の薬剤を処方されたように服用するたびに、ケニアのナイロビで生活している別のＨＩＶ＋患者にＨＩＶ薬剤を寄付してもよい。医師に「指示」されたから、またはより長期的な健康報酬または疾患進行の恐れからの個人的感覚のため、薬剤を服用するのではなく（順守に関する科学文献が支持する精神的モデルは、慢性的疾患とともに生活する患者の大部分において、薬物療法への持続的順守および継続の支援に失敗している）、メドマッチ方法論は、援助を必要としている別の個人を支援するという短期的かつ刺激的目標を作り出すことによって、ボストンの患者の毎日の薬の服用行為を支援および強化する。
【００１９】
本方法論は、想像が困難な抽象的概念（今後１０年間、この薬を毎日服用すれば、長く生きられるかも知れない）を確実性（この薬を今日服用すれば、今日誰かを助けられるであろう）と置き換える。経時的に、この肯定的な毎日の強化は、処方された通りのいかなる個人的薬剤服用の怠慢も、ボストンの患者がナイロビの患者に与えている支援の廃止をもたらすであろうという点において、否定的強化とも考えられ得る。本否定的強化はさらに、ボストンの患者の製品利用および順守を強化し、持続させる。
【００２０】
メドマッチはさらに、製品製造業者が、消費者によるその製品の持続的かつ増加した利用を、製造業者が、既に、企業責任、慈善事業への寄付、およびグローバル健康プログラムの一部として追求する肯定的社会活動と関連付けることを可能にし得る。例えば、ボストンの患者のためのＨＩＶ薬剤を製造する製薬会社は、メドマッチをそのグローバルＡＩＤＳプログラムならびにＧａｔｅｓ  Ｆｏｕｎｄａｔｉｏｎ、Ｃｌｉｎｔｏｎ  Ｇｌｏｂａｌ  Ｉｎｉｔｉａｔｉｖｅ、ＷＨＯ、および他の政府出資プログラムとのその研究にリンクさせ、その高価なＨＩＶ薬剤を十分なサービスを受けていない場所における患者に利用可能にし、既にそのようなプログラムのために取り組んでいる薬剤供給品をそのボストンの消費者のような個人の摂取事象にリンクさせてもよい。これは、強化的好循環を作り出すことになり、ボストンの消費者は、製薬会社のＨＩＶ薬剤への順守を増加および持続させ、製薬会社は、そのグローバルＨＩＶ薬剤アクセスプログラムに対するさらなる認知を獲得し、それに対するその一次市場における功績を達成し、消費者および製薬会社は、新しいＨＩＶ薬／メドマッチブランドに基づく、相互との新しい肯定的関係を作り出し、その関係は、ＨＩＶ薬自体に関する特許の満了等を越えて、永続的であり得る。
【００２１】
さらに、メドマッチ方法論に基づく消費者／製薬会社関係の性質は、独特かつ価値があるものであって、消費者が、製薬会社によって操作、過剰請求、および制御されていると感じ得る、直販（ＤＴＣ）広告から生まれる現状の認識とは対照的に、ここでは、消費者が、製薬会社に指示し、制御していると認識し得る。
【００２２】
加えて、メドマッチは、グローバル健康戦略を支援するための真のグローバル健康基盤を有することが可能になるよりも遥かに進んで本戦略を有することを可能にし得る。譲受人Ｐｒｏｔｅｕｓ  Ｂｉｏｍｅｄｉｃａｌ，  Ｉｎｃ．，（Ｒｅｄｗｏｏｄ  Ｃｉｔｙ，  ＣＡ，  ＵＳＡ）等の小企業は、そのような企業が、それらの場所において商業的運営を有することが可能となる前であっても、ケニア、中国、およびインド等の国々におけるグローバル健康ニーズへの実行可能な影響力および貢献を有し得る。
【００２３】
さらに、メドマッチは、教会グループまたは専門組織等の寄付者自身のコミュニティへの寄付の返還を促進し、例えば、トラックドライバ達が、相互に支援してもよい。
【００２４】
メドマッチはさらに、消費者および製品製造業者が、個人的摂取決定および薬剤寄付とソーシャル活動との間のつながりに基づいて、オンラインソーシャルコミュニティを作り出すことを可能にしてもよい。個人参加者および受容者をグループに編成することは、編成によって、個人の行為の影響の認識を増加させるため、動機を高め得る。例えば、ウェブサイトは、ボストンの患者の個人的影響およびメドマッチプログラム内の他のＨＩＶ＋患者のコミュニティが行った累積的貢献の両方を示してもよい。そのようなソーシャルコミュニティは、ボストンの患者のような個人に及ぼすさらなる強化影響をもたらし得る。本集団力学を通して、支援および行動は、順守への挙動変化のための別の推進力となり、大きなコミュニティが活動に及ぼし得る累積的影響は、任意の個人が自身で行うことができるものを上回る刺激的なものとなる。
【００２５】
メドマッチは、個人をその自身の病状と関連する単一活動と関連付ける必要はなく、または健康関連活動とさえ、全く関連付ける必要はない。すなわち、製品製造業者または消費者自身が、個人が、その個人的摂取にマッチさせるように選択することができる、複数の活動および社会的関心事を作り出すことになるであろう。個人は、例えば、その寄付の一部をある活動（ケニアにおけるＨＩＶ活動、摂取毎に、例えば、１つの薬を寄付する）に、一部を別の活動（サンフランシスコにおける子供の識字率活動、例えば、オンライン活動コミュニティによる１００摂取毎に、１冊の本を寄付する）に配分するように決定してもよい。当業者は、活動の数およびそれらの活動を可能にするためのメドマッチの使用が、多数かつ様々であって、（ａ）患者が、そのステップ計数目標を満たす場合、一足の靴が、援助を必要としている誰かに寄付される、または寄付が、地雷によって脚を失った人の支援に当てられる、（ｂ）患者が、その睡眠持続時間目標を満たす場合、寄付が、住宅プロジェクトに当てられ、援助を必要としている誰かが、安全な場所で眠ることを可能にするであろう、（ｃ）糖尿病患者が、その栄養または減量目標を満たす場合、食料が、援助を必要としている人々に寄付され得る（「１ポンド減量毎に、１ポンドの食料が寄付される」）、および（ｄ）他のそのようなつながり等の個人およびそのオンラインソーシャルグループのための意味および動機を作り出すことに留意するであろう。
【００２６】
メドマッチはさらに、オンラインソーシャルコミュニティを拡張し、寄付を行う個人またはグループを寄付を受ける個人またはグループにリンクさせてもよい。本態様では、患者の動機は、患者および寄付受容者が、その個別の疾患、状況、および生活に関する話および観察を共有する能力によって作り出される。本社会的つながりは、静的であってもよく、例えば、ボストンの患者は、ナイロビの患者に関する経歴および身の上話を読むことが可能であって、同様に、動的および双方向的であってもよく、例えば、ボストンおよびナイロビの患者は、Ｔｗｉｔｔｅｒ、Ｆａｃｅｂｏｏｋ等の種々のソーシャルメディアおよびネットワークを介して、最新情報とともに、継続的対話を有する。
【００２７】
メドマッチはさらに、患者であるが、デバイス対応薬剤に基づいていない、または全く患者ですらない、消費者が、参加することを可能にしてもよい。種々の態様では、本システムおよび／または方法は、（１）それ自体摂取される、（２）患者による摂取を知らせるためのデバイス対応ではない、薬剤と同時に摂取される、（３）患者または任意の他の消費者によって、随時摂取される等の種々の状況下において、任意の個人によって摂取することができる、デバイス対応偽薬またはビタミン錠剤を含んでもよい。
【００２８】
例えば、ボストンの患者の医師が、副作用およびウイルス抵抗問題のため、異なるＨＩＶ薬剤に切り替え、その薬剤は、摂取を知らせるためのデバイス対応ではない。ボストンの患者は、メドマッチプログラムへの強いつながりを感じており、彼の順守が作り出している社会的貢献を確信するようになっている。薬剤師が、ナイロビの寄付プログラムへの参加を継続することを可能にする、薬剤を伴わないメドマッチ錠剤、例えば、デバイス対応偽薬が存在することを告げると、彼は、喜ぶ。彼の以前の薬剤を製造していた製薬会社もまた、ボストンの患者とのその関係を継続可能である一方、経時的に彼にとって好適となるであろうその製品ラインナップのための他のデバイス対応薬剤を開発または入手することになるであろうため、喜ぶ。
【００２９】
別の実施例は、資金調達または支援イベントのためにメドマッチを使用することに関心がある、非患者消費者または支持グループである。癌協会のための資金調達グループは、例えば、その毎年恒例のサイクリングレースによる慈善活動のための資金調達イベントをメドマッチにリンクさせてもよく、参加者は全員、システムを使用しながら、レースまでの数ヶ月間、トレーニングを行い、レース終了後、使用を終了する。本実施例では、資金調達活動参加者２，０００人が、毎日のトレーニングアクティビティを行い、偽薬摂取は全て、慈善活動のための資金を調達する、マッチングギフト提供にリンクされてもよい。第３の実施例では、家族介護者は、その家族が、その薬剤を服用する必要がある昼間の間、デバイス対応偽薬を同時に服用することにより、「マッチする」その薬物順守によって、慢性的病気に患う家族の支援を示す。本態様は、家族の支援を作り出し、また、家族が、その活動のためのその累積的支援を把握することができるように、家族の取り組みを彼らが選択したメドマッチ活動にリンクさせる。
【００３０】
さらに、製品製造業者は、利他的要素をその製品販促プログラムに含むことによって、支払者と多数のより好ましい契約を締結可能であってもよい。利他的行為は、支払者集団の他のメンバーに適用されてもよく、例えば、メンバーが、処方ガイドライン毎に摂取する場合、別のメンバーが、共同支払によって支援を得てもよく、または支払者本人が、割引を得る。
【００３１】
種々の態様では、システムおよび方法は、種々の事象、例えば、個人による過剰使用、つまりその薬剤の処方量を上回って服用することによって、「より貢献」しようとし得るような可能性として考えられる状況には、寄付受諾者への寄付薬剤の停止をもたらす、寄付者による薬剤利用の突然の停止等の発生に対して保護する、および／またはそれに応じて、所定の保護措置を講じる、設計規定を有する。
【００３２】
保護措置の一実施例では、寄付のマッチは、個人が処方された用量を服用する場合のみ生じ、多くても、少なくてもいけない。種々の態様では、本チェックは、処方された薬剤の投薬量および頻度を示す記憶されたデータを、各送達事象時の用量、服用時間、投薬タイプを通信する、処方された薬剤、例えば、デバイス対応薬、注射器、吸引器等と関連付けられたデバイスによって通信される、健康増進データと比較することによって、ソフトウェア／プロセッサによって、自動で行われてもよい。別の実施例では、独立した第三者が、製品製造業者の代わりに、メドマッチ寄付プログラムを管理してもよい。さらに別の実施例では、本システム／方法は、自動的に、停止事象を監視し、所定の行為が行われる、例えば、寄付受諾者の薬剤供給が、製薬会社の代わりに、中断されず継続している、寄付受諾者が、新しい寄付者とマッチされる、寄付受諾者の医師は、電子メール、インスタントメッセージ等によって通知されることを確実にする。
【００３３】
システム
次に、図１を参照すると、デバイスから／へ生成および／または通信される健康増進データ１０２と、健康増進データ１０２と関連付けられた少なくとも１つの挙動変化方法論を識別するために、ソフトウェア／プロセッサと関連付けられた方法論モジュール１０４と、識別された少なくとも１つの挙動変化方法論を始動するために、ソフトウェア／プロセッサと関連付けられた命令モジュール１０６とを含む、挙動変化を助長するためのシステム１００の概略が示される。随意に、および種々の態様では、追跡／フィードバックモジュール１０８は、健康増進データ１０２、挙動変化方法論、挙動変化方法論の始動等を追跡する、および／またはそれと関連付けられたフィードバックを提供してもよい。随意に、種々の態様では、予防措置モジュール１１０は、予防措置または他の措置を始動してもよい。
【００３４】
例えば、図２および２ａを参照すると、それぞれ、図１の挙動変化を助長するためのシステム１００のシステム動作およびメドマッチ方法論のある概念的利用が示される。前述のメドマッチ方法論の説明を引き続き参照すると、ボストンの患者２００は、摂取の時間および患者識別情報等の健康増進データ１０２を患者の検出器デバイス（図示せず）に通信する、デバイス対応薬剤（図示せず）を摂取する。検出器デバイスは、例えば、身体上の接着型通信パッチ（図示せず）として実装されてもよい。本実施例では、検出器デバイスはまた、生理学的データ、例えば、心拍、心拍変動、安息角等の健康増進データを収集する。
【００３５】
検出器デバイスは、方法論モジュール１０４、命令モジュール１０６、およびデータベース２０４を含む、第１のサーバ２０２として本明細書では示される、ハブへの順方向通信のために、組み合わせられた健康増進データ１０２を患者の携帯電話に転送する。
【００３６】
種々の態様は、サーバ２０２、または他のそのようなハブデバイスを含む。本明細書で使用されるように、ハブという用語は、概して、健康増進データ１０２を通信するように機能する、任意のハードウェアデバイス、ソフトウェア、および／または通信構成要素、ならびにシステム、サブシステム、およびそれらの組み合わせを含む。健康増進データ１０２の通信は、健康増進データ１０２の受信、記憶、操作、表示、処理、および／または伝送を含む。種々の態様では、ハブはまた、非健康増進データを通信する、例えば、受信および伝送するように機能する。ハブの広範な分類として、例えば、基地局、個人的通信デバイス、および携帯電話が挙げられる。ハブおよび他のデバイスの実施例は、２００９年７月２日出願の米国特許出願第１２／５２２，２４９号「ＩＮＧＥＳＴＩＢＬＥ  ＥＶＥＮＴ  ＭＡＲＫＥＲ  ＤＡＴＡ  ＦＲＡＭＥＷＯＲＫ」（以下参照）に論じられている。
【００３７】
方法論モジュール１０４は、ボストンの患者２００のための識別子を含む、健康増進データ１０２を処理する。着目すべきは、健康増進データ、方法論モジュール、および／または他のシステム構成要素は、氏名等の個人的識別子、割り当てられた番号等の匿名識別子、または健康増進データが、１つ以上の方法論と関連付けられているかどうかを判定するための他の識別子等を使用してもよい。方法論モジュール１０４は、識別子を使用して、データベース２０４内に記憶された情報と比較し、ボストンの患者２００が、１つ以上の方法論の参加者であるかどうかを判定してもよい。本実施例では、方法論モジュール１０４は、健康増進データ１０２を処理し、ボストンの患者２０２と関連付けられ、慈善事業への寄付プログラムとして、メドマッチを選択した参加者として、データを識別する。
【００３８】
命令モジュール１０６は、第２のサーバ２０４として本明細書では示される、データシステム上において、プログラム２０６を始動し、ナイロビの患者２０８への薬剤の寄付を促進する。プログラム２０６は、例えば、方法論、例えば、寄付を執行するために必要な１つ以上の機能を提供する、１つ以上のソフトウェアアプリケーションであってもよい。例えば、メドマッチソフトウェアアプリケーションは、システムの１つ以上のネットワーク、システム、システム構成要素、および／またはデバイスと相互作用し、受容者への寄与に関する更新、例えば、受容者の識別、薬剤のタイプ、受容者への送達の日付および方法、薬剤を提供する薬局２１０、受容者のための投薬命令、寄付に対する製造業者／寄付者の責任等に関する情報を提供してもよい。
【００３９】
種々の態様では、１つ以上のハブは、直接または間接的に、健康増進データ１０２を、単独でまたは他のデータと組み合わせて、１つ以上のデータシステムに記憶、操作、および／または転送する。データシステムは、概して、健康増進データ１０２に関連するサービスまたはアクティビティを提供するように機能する、任意のハードウェアデバイス、ソフトウェア、および／または通信構成要素、ならびに、システムおよびそのサブシステム、例えば、メドマッチソフトウェアアプリケーションのための命令を提供する、プログラム２０６を含む。
【００４０】
実施例はさらに、追跡／フィードバックモジュール１０８および予防措置モジュール１１０を有する、第３のサーバ２１２を含む。独立してまたは相互に動作可能に作用することによって、追跡／フィードバックモジュール１０８および予防措置モジュール１１０は、任意の１つ以上の種々の源、例えば、患者の携帯電話、方法論モジュール１０４、命令モジュール１０６、プログラム２０６、薬局システム２１０、および／または他の源からデータを受信する。
【００４１】
追跡／フィードバックモジュール１０８は、個人寄付者、寄付者のグループ、寄付される活動等に関するデータを受信、収集等を行い、１つ以上の方法論に関連するフィードバックを、種々の利害関係者、例えば、寄付者、製造業者、および受容者と関連付けられたネットワーク、コンピュータ、デバイス等に提供する。
【００４２】
予防措置モジュール１１０は、システムの使用に関連する、境界条件、事象等に関するデータの受信、監視、処理等を行う。そのようなデータの分類の１つは、過剰摂取、摂取不足、不適切な投薬時間等を回避するための処方された薬剤の適切な摂取の監視である。例えば、健康増進データ１０２は、特定の薬剤のタイプおよび投薬頻度に関する情報を含んでもよい。予防措置モジュール１１０は、そのようなデータを、ボストンの患者２００およびナイロビの患者２０８のための投薬量命令を有する、データベース２０４内に記憶されたデータと比較してもよい。相違の識別に応じて、予防措置モジュールは、適切なアラート、通信等を、患者、医療介護提供者、薬局２１０等に生成し、投薬が、処方された計画の順守に戻るように、または計画内に留まるように確実にしてもよい。
【００４３】
健康増進データは、個人の健康の増進、維持、確立、改善等に関連する、あらゆる、かつ全てのデータを含む。健康増進データは、明示的に、機械互換性、すなわち、有形機械または機械構成要素によって生成される、読み取られる、そこに書き込まれる、その上またはその中に記憶される、そこからあるいはそこへ通信される、および／またはそれによって処理されることが可能であるデータ、すなわち、自動化可能データを含む。機械および機械構成要素の実施例として、現在公知である、または将来的に提供され得るようなコンピュータのネットワーク、コンピュータ、記憶媒体、通信デバイス、処理デバイス、回路等が挙げられる。データコンテンツの実施例として、ユーザ識別と、製品、例えば、薬剤、偽薬、ビタミン、食品等のタイプ、製造業者、量、時間、および送達モードとが挙げられる。送達モードの実施例として、摂取、注射、吸引、注入、経皮、挿入が挙げられる。健康増進データを生成するデバイスの実施例として、摂取可能デバイス、インテリジェント注射器、インテリジェントＩＶバッグ、インテリジェント吸引器、インテリジェント注入器およびカテーテル、データ受信機および検出器、例えば、個人的健康管理アプリケーション、スマートパッケージング、メモリおよびリマインダツール、血圧計カフ、体重計、血糖計、運動ツールおよびデバイス、食習慣追跡装置、医療および病院デバイス、および他の健康増進デバイスが挙げられる。スマート注射器および注射事象の実施例として、例えば、２０１０年２月１２日出願の米国特許出願第１２／６７３，３２６号「ＢＯＤＹ−ＡＳＳＯＣＩＡＴＥＤ  ＲＥＣＥＩＶＥＲ  ＡＮＤ  ＭＥＴＨＯＤ」、（以下参照）に論じられているものが挙げられる。インテリジェント吸引器および吸引事象の実施例としては、２０１０年８月１３日出願の米国仮特許出願第６１／３７３，８０３号「ＳＹＳＴＥＭ  ＡＮＤ  ＭＥＴＨＯＤ  ＦＯＲ  ＤＥＬＩＶＥＲＹ  ＡＮＤ  ＤＥＴＥＣＴＩＯＮ  ＯＦ  ＡＮ  ＩＮＨＡＬＡＢＬＥ  ＤＯＳＥ」、（以下参照）に論じられているものが挙げられる。本明細書で使用されるように、用語「健康増進デバイス」とは、１つ以上の健康関連パラメータ、例えば、心拍、心拍変動、安息角、加速度計データ、摂取事象、注射事象、吸引事象、注入事象、薬物デポー放出事象等の精密な測定が可能な任意のデバイス、構成要素等を意味する。これは、患者が入力した測定の推定値、患者によって記録されるような事象等のより主観的な導出データとは対照的である。
【００４４】
種々の態様は、非薬剤および薬剤様医療デバイスならびに監視製品に拡張し、医療、健康、および健全性関連計画への順守は、個人的決定または選択を利他的目標および関連付けられた寄付、支援の表明等にリンクさせることができる。例えば、補聴器、歩数計、体重計、血圧計カフ、血糖測定器等の装着および／または使用は全て、メドマッチを有効にし得る。すなわち、個人的決定、選択、および生理学的状態、例えば、心拍、睡眠、アクティビティ、呼吸、食事、および分子パラメータ、例えば、血糖、コレステロール、クレアチニン等の感知されたパラメータの任意のセンサ対応測定が、メドマッチにリンクされてもよい。別の実施例は、メドマッチを有効にする、食料消費およびカロリー摂取の任意の査定であって、標的目標（低カロリー摂取等）が、メドマッチプロセスを推進する。別の実施例は、禁煙であって、煙草または消費されている関連製品の減少を実証するデバイスが、メドマッチを有効にし、個人によって消費されていない各製品に対して、寄付を行う。
【００４５】
前述のデバイスの実施例として、以下に説明されるものが挙げられるが、それらに限定されない。
２００８年６月２３日出願の米国特許出願第１１／９１２，４７５号「ＰＨＡＲＭＡ−ＩＮＦＯＲＭＡＴＩＣＳ  ＳＹＳＴＥＭ」、２００９年３月１３日出願の米国特許出願第１２／４０４，１８４号「ＰＨＡＲＭＡ−ＩＮＦＯＲＭＡＴＩＣＳ  ＳＹＳＴＥＭ」、２００９年７月２日出願の米国特許出願第１２／５２２，２４９号「ＩＮＧＥＳＴＩＢＬＥ  ＥＶＥＮＴ  ＭＡＲＫＥＲ  ＤＡＴＡ  ＦＲＡＭＥＷＯＲＫ」、２０１０年５月５日出願の米国特許出願第１２／７４１，５８３号「ＨＩＧＨ−ＴＨＲＯＵＧＨＰＵＴ  ＰＲＯＤＵＣＴＩＯＮ  ＯＦ  ＩＮＧＥＳＴＩＢＬＥ  ＥＶＥＮＴ  ＭＡＲＫＥＲＳ」、２０１０年５月１０日出願のＰＣＴ特許出願第ＰＣＴ／ＵＳ１０／３４１８６号「ＩＮＧＥＳＴＩＢＬＥ  ＥＶＥＮＴ  ＭＡＲＫＥＲＳ  ＣＯＭＰＲＩＳＩＮＧ  ＡＮ  ＩＤＥＮＴＩＦＩＥＲ  ＡＮＤ  ＡＮ  ＩＮＧＥＳＴＩＢＬＥ  ＣＯＭＰＯＮＥＮＴ」、２００８年９月２５日出願の米国特許出願第１２／２３８，３４５号「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」、２０１０年４月２７日出願の米国特許出願第１２／７４４，６４２号「ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ  ＭＥＴＨＯＤＳ  ＯＦ  ＵＳＩＮＧ  ＳＡＭＥ」、２００８年９月２５日出願の米国特許出願第１２／２３８，３４５号「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」、２００９年９月２１日出願の米国特許出願第１２／５６４，０１７号「ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ」、２０１０年２月１２日出願の米国特許出願第１２／６７３，３２６号「ＢＯＤＹ−ＡＳＳＯＣＩＡＴＥＤ  ＲＥＣＥＩＶＥＲ  ＡＮＤ  ＭＥＴＨＯＤ」、ＰＣＴ出願第ＰＣＴ／ＵＳ２００７／０８２５６３号「ＣＯＮＴＲＯＬＬＥＤ  ＡＣＴＩＶＡＴＩＯＮ  ＩＮＧＥＳＴＩＢＬＥ  ＩＤＥＮＴＩＦＩＥＲ」、ＰＣＴ出願第ＰＣＴ／ＵＳ２００７／０２４２２５号「ＡＣＴＩＶＥ  ＳＩＧＮＡＬ  ＰＲＯＣＥＳＳＩＮＧ  ＰＥＲＳＯＮＡＬ  ＨＥＡＬＴＨ  ＳＩＧＮＡＬ  ＲＥＣＥＩＶＥＲＳ」、ＰＣＴ出願第ＰＣＴ／ＵＳ２００７／０２２２５７号「ＬＯＷ  ＶＯＬＴＡＧＥ  ＯＳＣＩＬＬＡＴＯＲ  ＦＯＲ  ＭＥＤＩＣＡＬ  ＤＥＶＩＣＥＳ」、ＰＣＴ出願第ＰＣＴ／ＵＳ２００８／０５２８４５号「ＩＮＧＥＳＴＩＢＬＥ  ＥＶＥＮＴ  ＭＡＲＫＥＲ  ＳＹＳＴＥＭＳ」、ＰＣＴ出願第ＰＣＴ／ＵＳ２００８／０５３９９９号「ＩＮ−ＢＯＤＹ  ＰＯＷＥＲ  ＳＯＵＲＣＥ  ＨＡＶＩＮＧ  ＨＩＧＨ  ＳＵＲＦＡＣＥ  ＡＲＥＡ  ＥＬＥＣＴＲＯＤＥ」、ＰＣＴ出願第ＰＣＴ／ＵＳ２００８／０５６２９６号「ＩＮ−ＢＯＤＹ  ＰＯＷＥＲ  ＳＯＵＲＣＥ  ＨＡＶＩＮＧ  ＭＵＬＴＩＤＩＲＥＣＴＩＯＮＡＬ  ＴＲＡＮＳＭＩＴＴＥＲ」、ＰＣＴ出願第ＰＣＴ／ＵＳ２００８／０５６２９９号「ＩＮ−ＢＯＤＹ  ＰＯＷＥＲ  ＳＯＵＲＣＥ  ＨＡＶＩＮＧ  ＤＥＰＯＬＹＡＢＬＥ  ＡＮＴＥＮＮＡ」、および第ＷＯ２００９／０４２８１２号として公開されたＰＣＴ出願第ＰＣＴ／ＵＳ２００８／０７７７５３号（その出��の開示は、参照することによって本明細書に組み込まれる）、２００６年４月２８日出願の米国特許出願第１１／９１２，４７５号「ＰＨＡＲＭＡ−ＩＮＦＯＲＭＡＴＩＣＳ  ＳＹＳＴＥＭ」、２００９年７月２日出願の米国特許出願第１２／５２２，２４９号「ＩＮＧＥＳＴＩＢＬＥ  ＥＶＥＮＴ  ＭＡＲＫＥＲ  ＤＡＴＡ  ＦＲＡＭＥＷＯＲＫ」、２００９年１月６日出願の米国特許出願第１２／３４９，４５３号「ＳＭＡＲＴ  ＰＡＲＥＮＴＥＲＡＬ  ＡＤＭＩＮＩＳＴＲＡＴＩＯＮ  ＳＹＳＴＥＭ」、２００７年７月１１日出願の米国特許出願第１２／７７６，４８０号「ＡＣＯＵＳＴＩＣ  ＰＨＡＲＭＡ−ＩＮＦＯＲＭＡＴＩＣＳ  ＳＹＳＴＥＭ」、および２０１０年８月１３日出願の米国仮特許出願第６１／３７３，８０３号「ＳＹＳＴＥＭ  ＡＮＤ  ＭＥＴＨＯＤ  ＦＯＲ  ＤＥＬＩＶＥＲＹ  ＡＮＤ  ＤＥＴＥＣＴＩＯＮ  ＯＦ  ＡＮ  ＩＮＨＡＬＡＢＬＥ  ＤＯＳＥ」。上述のものはそれぞれ、参照よりその全体が組み込まれる。
【００４６】
方法論モジュールおよび命令モジュールは、モジュールが、本明細書に説明される機能を遂行可能である限り、単独で、他のモジュールまたは複数のデバイスと一体化されて等にかかわらず、ソフトウェア、ハードウェア、ファームウェア、または前述の組み合わせの任意の実装を含む。モジュールの一方または両方は、構成要素、デバイス、コンピュータ、ネットワーク、または通信デバイスのネットワーク等と関連付けられてもよく、すなわち、その上に常駐する、それによって実行可能である、それによって表示可能である等であり得る。
【００４７】
挙動変化方法論は、多くのかつ様々な方法論を含む。図示されるメドマッチ方法論に加え、実施例として、実現可能範囲内におけるレース方法論、デスクトップウィジェット／アバター選択方法論、家族的責任方法論、仮想邸宅方法論、日々変わる孵化方法論、フィティマルズ方法論、楽しい比較方法論、勝利への執着方法論、羞恥ゲーム方法論、誓約マッチ方法論、友人からの援助方法論、愛情バズ音方法論、パッチアラート方法論、完了！バズ音方法論、プラグ方法論、実患者プロファイル方法論、心的状態の掘り下げ方法論、心臓適合方法論、スイマーパッチ方法論、小ステップ大結果方法論、健康的な食事への取り組み方法論、およびマッチ方法論が挙げられる。前述の非包括的リストは、その限定としてではなく、システムの多様性および多用途性のうちのいくつかの例証として提供される。各方法論はそれぞれ、以下に詳細に説明される。
【００４８】
実現可能範囲内におけるレース方法論
図３に概念的に図示されるような実現可能範囲内におけるレース方法論は、種々の編成されたフィットネスイベントへの参加の提案によって、ユーザに働きかけることによって、挙動変化を助長し得る。ユーザのフィットネスが改善するにつれて、システムは、その能力に適切なフィットネスイベントを提案し、イベントが近づくにつれて、トレーニング指導を提供する。加えて類似能力レベルにおける同一のイベントのためにトレーニングしている他の人々も、グループトレーニングまたは支援のために結び付けられることができる。ユーザの方向性に新しいフィットネスアクティビティを設けることによって、フィットネスへの注意を引き、能力に従ってマッチされた参加者のグループを結び付けることによって、さらに強化される。
【００４９】
実装の実施例として、参加者が、その能力（健康増進データ）に関する情報を方法論モジュールと関連付けられたウェブサイトに提供することが挙げられる。方法論モジュールは、健康増進データを処理し、対応する実現可能範囲内におけるレース方法論を識別してもよい。命令モジュールは、命令を始動させ、それによって、プログラムおよび関連付けられたシステムは、参加者の能力を分析し、分析された能力に基づいて、フィットネスイベントおよび同等物を選択し、ユーザによってアクセス可能なイベント情報を作成する、例えば、ディスプレイデバイス上に、結果、更新等を表示してもよい。
【００５０】
デスクトップウィジェット／アバター選択方法論
図４に概念的に図示されるようなデスクトップウィジェット／アバター選択方法論は、運動プログラム、薬剤計画、睡眠スケジュール、または複合要素へのその順守に基づいて、家族の各メンバーの状態の仮想表現を提供し、そのスマートフォンまたはコンピュータデスクトップ等に表示してもよい。ユーザは、その状態を表すために所望するアバターを選択し、変化するにつれて（運動、順守等に伴って）、アバターは、変形し、本変化を視覚的に反映する。アバターは、見えない状態および変化の視覚的精神モデルを作り出し得る。ユーザに意味があるアバターの選択能力は、関連性を作り出す。
【００５１】
実装の実施例として、参加者が、ソフトウェアアプリケーションによって表示されるアバターを選択することが挙げられる。運動、順守等（健康増進データ）に関する選択されたアバターおよび対応する参加者情報は、方法論モジュールと関連付けられたウェブサイトに通信される。方法論モジュールは、健康増進データを処理し、対応するデスクトップウィジェット／アバター選択方法論を識別してもよい。命令モジュールは、命令を始動し、それによって、プログラムおよび関連付けられたシステムは、状態変化を分析し、適宜、アバターが変形するように更新してもよい。
【００５２】
家族的責任方法論
図５に概念的に図示されるような家族的責任方法論は、運動プログラム、薬剤計画、睡眠スケジュール、複合要素等へのその順守に基づいて、家族の各メンバーの状態の仮想表現を提供し、例えば、そのスマートフォンまたはコンピュータデスクトップ上に表示される。家族の各メンバーは、例えば、その自身のアバターによって表され、全て、共通テーマ（ガレージ内の複数の車等）によってリンクされる。アバターは、視覚的に変形し、運動、順守等における変化を反映し、参加している全員が、他者のアバターを見ることができる。相互のアバターの可視性は、順守を動機付ける、強固な社会的強化要素を提供する。
【００５３】
ゲーム様の進行は、関心を維持させ、順守のさらに別の理由となり、新しい挙動標準を確立する。
【００５４】
実装の実施例として、例えば、ソフトウェアアプリケーションによって表示されるように、それぞれ、共通のテーマを反映する、アバターの選択と、薬剤計画データ（健康増進データ）の生成とが挙げられる。選択されたアバターおよび対応する健康増進データは、方法論モジュールと関連付けられたウェブサイトに通信される。方法論モジュールは、健康増進データを処理し、対応する家族的責任方法論を識別してもよい。命令モジュールは、命令を始動し、それによって、プログラムおよび関連付けられたシステムは、ゲームアプリケーション等を生成し、選択されたアバターの視覚的変化によって、相対的順守、進行等の表現を表示してもよい。
【００５５】
仮想邸宅方法論
図６に概念的に図示されるような仮想邸宅方法論は、人々のグループのオンライン仮想表現であって、各人が、オンライン仮想邸宅内のオブジェクトによって表される。例えば、運動、順守等を通して、各人の状態が変化するにつれて、その選択されたオブジェクトは、変形し、豪華さ、清潔さ等の程度を増減することによって、実生活の変化を反映する。邸宅の他のメンバーを支援しようと援助することによって、邸宅自体が、新しい特徴を得る、または仮想近隣における他の邸宅と競合してもよい。いくつかのアバターを１つのコミュニティに入れることによって、「その役割を果たし」、コミュニティの健康を維持および改善しようと、メンバーの責任感が増す。コミュニティ間の競合もさらに、順守を倍増させる。
【００５６】
実装の実施例として、健康増進データの生成が挙げられる。健康増進データは、方法論モジュールと関連付けられたウェブサイトに通信される。方法論モジュールは、健康増進データを処理し、対応する仮想邸宅方法論を識別してもよい。命令モジュールは、命令を始動し、それによって、プログラムおよび関連付けられたシステムは、人々が、邸宅属性および仮想邸宅に関する他の印を選択するためのソフトウェア選択肢を生成する。ソフトウェアプログラムはさらに、健康増進データ更新を邸宅属性に対する所定の相対的変化と相関させ、そのような変化を表示してもよい。
【００５７】
日々変わる孵化方法論
図７に概念的に図示されるような日々変わる孵化方法論は、子供（または、その他）にとって魅力となるものを生成し、その薬剤と関与させるアプリケーション、例えば、コンピュータまたはスマートフォンアプリケーションを提供する。アプリケーションは、子供がその薬剤を服用すると、楽しい結果を示す。結果として、例えば、卵から孵化した恐竜、貝殻の開放等を表示してもよい。どの動物が出現するかに関する予測は、楽しくない投薬の瞬間から楽しい遊びに焦点を移行させる。
【００５８】
実装の実施例として、薬剤送達事象、すなわち、健康増進データの生成が挙げられる。健康増進データは、方法論モジュールと関連付けられたウェブサイトに通信される。方法論モジュールは、健康増進データを処理し、対応する日々変わる孵化方法論を識別してもよい。命令モジュールは、命令を始動し、それによって、プログラムおよび関連付けられたシステムは、所定の健康増進事象を識別し、事象に対するソフトウェア出力、例えば、恐竜の孵化の表示を生成してもよい。
【００５９】
フィティマルズ（ＦＩＴＩＭＡＬＳ）方法論
図８に概念的に図示されるようなフィティマルズ方法論は、実世界のログ付けされた事象を反映し、それに応答して、仮想ゲームの世界を提供する。フィットネス、薬剤順守等の実世界の行為が、仮想登場人物の能力を構築し、物語を通して、それらを進歩させる。従事する仮想世界における登場人物の能力およびパワーを実生活の行為に結び付けることは、実世界において、より良い選択をするための新しい誘因を提供する。
【００６０】
同様に、本方法論は、「ゲームフィット（ｇａｍｅｆｉｔ）」モデルを含んでもよい。ゲームフィット方法論は、例えば、ユーザを魅了し、楽しませるゲームを含んでもよい。いくつかの態様では、ゲームは、ユーザに報酬を与え続ける、ユーザの進歩を示す、ユーザがゲームに深く関与することを可能にする。ユーザに困難なときを経験させるために、例えば、ゲームフィット方法論は、ユーザが継続するために、挑戦させ続け、ユーザが他者と相互作用するための新しい方法を提供する。
【００６１】
実装の実施例として、健康増進データの生成が挙げられる。健康増進データは、方法論モジュールと関連付けられたウェブサイトに通信される。方法論モジュールは、健康増進データを処理し、対応するフィティマルズ方法論を識別してもよい。命令モジュールは、命令を始動し、それによって、プログラムおよび関連付けられたシステムは、所定の健康増進事象を識別し、仮想登場人物の能力を生成および構築し、所定の物語と併せて、登場人物を表示してもよい。
【００６２】
楽しい比較方法論
図９に概念的に図示されるような楽しい比較方法論は、ポンドおよびキログラムを使用せずに、体重を測定する体重計を提供する。体重は、ゼリービーン、ビリヤードのボール、ブルーベリー等の独特かつ楽しい単位で表示される。減量の試みは、苛々し、ゆっくりなプロセスであって、罪悪感で一杯、かつ失敗の恐れがあり得る。体重測定の瞬間の恐怖は、ユーモアがあって、かつ驚かせるような体重の単位を含むことによって軽減される。加えて、より小さな単位（ゼリービーン等）で助長することによって、より視覚的な体重変化をもたらす。
【００６３】
実装の実施例として、健康増進データ、例えば、個人の体重の生成が挙げられる。健康増進データは、方法論モジュールと関連付けられたウェブサイトに通信される。方法論モジュールは、健康増進データを処理し、対応する楽しい比較方法論を識別してもよい。命令モジュールは、命令を始動し、それによって、プログラムおよび関連付けられたシステムは、体重変化等の所定の健康増進事象を識別し、対応する変化をユーモアがあって、驚かせるような単位で生成し、従来の単位、ユーモアがあって、驚かせるような単位、および驚かせるような単位の視覚的印を表示してもよい。
【００６４】
勝利への執着方法論
図１０に概念的に図示されるような勝利への執着方法論は、ユーザが手に入れることができる賞品の形態において、継続的順守のための望ましい誘因を提供する。（薬剤、運動計画等に対する）高レベルの順守は、自身またはその家族の個人的関連分類から、割引および賞品を手に入れる機会の増加によって報酬を受ける。知覚される勝利の機会は、順守を動機付ける。加えて、家族のメンバーによって所望される賞品も、社会的圧力を加え、さらに順守させる。
【００６５】
実装の実施例として、健康増進データ、例えば、薬剤事象データ、運動データ等の生成が挙げられる。健康増進データは、方法論モジュールと関連付けられたウェブサイトに通信される。方法論モジュールは、健康増進データを処理し、対応する勝利への執着方法論を識別してもよい。命令モジュールは、命令を始動し、それによって、プログラムおよび関連付けられたシステムは、賞品の資格を与える、所定の健康増進事象を識別し、例えば、授与詳細、授与合計情報、他の家族の授与の更新等を提供することによって、賞品の授与を促進してもよい。
【００６６】
羞恥ゲーム方法論
図１１に概念的に図示されるような羞恥ゲーム方法論は、社会的圧力を使用して、友人のグループまたは家族が、そのフィットネスまたは薬剤順守目標に固執させるのに役立つ、オンラインプログラムを提供する。サインアップすると、全参加者は、他のメンバーに関する恥ずかしい情報をシステムに入力する。参加者は、堕落によって（例えば、警告後）、自らに関する恥ずかしい事実のうちの１つが、ソーシャルウェブサイト、例えば、Ｆａｃｅｂｏｏｋに投稿されるという知識によって、その目標に固執するように示唆される。公衆に恥を曝すことを回避したいという所望は、強力な動機付けとなり得る。
【００６７】
実装の実施例として、健康増進データ、例えば、薬剤事象データ、運動データ等の生成が挙げられる。健康増進データは、方法論モジュールと関連付けられたウェブサイトに通信される。方法論モジュールは、健康増進データを処理し、対応する羞恥ゲーム方法論を識別してもよい。命令モジュールは、命令を始動し、それによって、プログラムおよび関連付けられたシステムは、不適合を示す、所定の健康増進事象を識別し、テキスト、電子メール等によって警告を生成し、第２の不適合事象に応じて、以前に記憶した恥ずかしい事実のデータをＦａｃｅｂｏｏｋに投稿してもよい。
【００６８】
誓約マッチ方法論
図１２に概念的に図示されるような誓約マッチ方法論は、個人がそのフィットネスまたは薬剤順守目標に固執するための魅力的ものとして、友人または家族からの誓約金を使用する、支援プログラムを提供する。寄付金は、主要参加者によって選択され、誓約への寄与は、システムを通して行われる。目標期間が経過後、選択された寄付金への実際の寄与が、計算され、種々の手段を介して提供されてもよく、例えば、誓約は、＄０（全て非順守の場合）から誓約額の２倍（全て順守の場合）であってもよい。マッチする資金は、一般的誓約のための共同出資、保険会社の積立金等に由来してもよい。誓約は、遂行の公約をすることになる。その寄付を２倍にする可能性およびその目標の「未達成」の見込みの両方ともさらに、順守を強化する。
【００６９】
実装の実施例として、健康増進データ、例えば、薬剤事象データ、運動データ等の生成が挙げられる。健康増進データは、方法論モジュールと関連付けられたウェブサイトに通信される。方法論モジュールは、健康増進データを処理し、対応する誓約マッチ方法論を識別してもよい。命令モジュールは、命令を始動し、それによって、プログラムおよび関連付けられたシステムは、順守および不適合事象を示す、所定の健康増進事象を識別し、所定のルールおよび実際の健康増進データに基づいて、総寄付を計算し、種々のシステムにおいて、順守および誓約の結果を更新し、既存の誓約プログラムシステムにリンク／通信し、誓約データをそのようなシステムに提供してもよい。
【００７０】
友人からの援助方法論
図１３に概念的に図示されるような友人からの援助方法論は、摂取事象を知らせる摂取可能デバイスを用いて、例えば、薬剤を服用することによって、個人的ネットワークからの支援の関与を促進するシステムを提供する。個人が、支援を必要とする（または、必要とするときがある）場合、ユーザは、薬を飲み込み、テキスト、Ｆａｃｅｂｏｏｋアラート等を通して、その指定されるネットワークに本事実をアラートする。その友人／家族は、次いで、援助、励まし、または共感を提供可能となる。事象マーカを摂取することによる、自動的かつ努力不要の支援ネットワークのアクティブ化は、個人が順守が厳しい状況を乗り越えるのを助け、潜在的に、脱落を防止する。
【００７１】
実装の実施例として、健康増進データの、例えば、薬剤事象データ生成が挙げられる。健康増進データは、方法論モジュールと関連付けられたウェブサイトに通信される。方法論モジュールは、健康増進データを処理し、対応する友人からの援助方法論を識別してもよい。命令モジュールは、命令を始動し、それによって、プログラムおよび関連付けられたシステムは、意味があるアラート、メッセージ等を生成してもよい。
【００７２】
愛情バズ音方法論
図１４に概念的に図示されるような愛情バズ音方法論は、誰かがあなたのことを考えていますというプライベート信号を送る、接着型通信デバイス等の振動対応検出器を提供する。ユーザの近親者は、ユーザのことを考えているという信号として、バズ音を送信可能である。振動パターンの使用を通して、バズ音は、異なる送信者および複数のメッセージ、例えば、モールス信号を示してもよい。バズ音は、近親者からの遠隔抱擁のようなものであって、パッチに対して感情的つながりを作り出す、予想外の瞬間における愛情信号を送信する。
【００７３】
実装の実施例として、健康増進データ、例えば、近親者のデータの生成が挙げられる。健康増進データは、方法論モジュールと関連付けられたウェブサイトに通信される。方法論モジュールは、健康増進データを処理し、対応する愛情バズ音方法論を識別してもよい。命令モジュールは、命令を始動し、それによって、プログラムおよび関連付けられたシステムは、受容者の検出器上に振動または他のメッセージ、例えば、点滅灯を生成してもよい。検出器の実施例として、２０１０年２月１２日出願の米国特許出願第１２／６７３，３２６号「ＢＯＤＹ−ＡＳＳＯＣＩＡＴＥＤ  ＲＥＣＥＩＶＥＲ  ＡＮＤ  ＭＥＴＨＯＤ」（上記参照）に論じられているものが挙げられる。
【００７４】
パッチアラート方法論
図１５に概念的に図示されるようなパッチアラート方法論は、振動対応検出器、例えば、接着型パッチを利用して、薬剤の服用を忘れないように、ユーザにプライベートでアラートを送る。パッチは、振動し、ユーザに、その薬剤の服用を忘れたことを理解させる。万一、薬剤から離れている場合、リマインダ機能をリセットすることができる。パッチからのリマインダは、順守の補助に加え、パッチが機能していることの信頼性をもたらし、かつユーザの観点から、単独で、または他の検出器機能性に加え、パッチに意味がある役割を与える。
【００７５】
同様に、「パッチ通信機」方法論は、ユーザにリアルタイムで指導し、パッチの価値を向上させてもよい。本方法論における他の含有として、例えば、短期的成功に基づいて、アラートを生成し、ユーザの行為を強化し、ユーザが思い出すのを援助することが挙げられる。例えば、聴覚的、視覚的、触知的等のパッチ通信は、常に、健康的選択を強化し、ユーザがその挙動を追跡することを可能にし得る。
【００７６】
実装の実施例として、健康増進データ、例えば、スケジュール通りの摂取事象を示すデータの未受信を識別する、摂取事象データと関連付けられたソフトウェアプログラムによって生成されるデータの生成が挙げられる。健康増進データは、方法論モジュールと関連付けられたウェブサイトに通信される。方法論モジュールは、健康増進データを処理し、対応するパッチアラート方法論を識別してもよい。命令モジュールは、命令を始動し、それによって、プログラムおよび関連付けられたシステムは、受容者の検出器上に、振動または他のメッセージ、例えば、点滅灯を生成し、ユーザが、投薬が逸失されたかどうかを判定することを所望し得ることを示してもよい。
【００７７】
完了！バズ音方法論
図１６に概念的に図示されるような完了！バズ音方法論は、振動対応検出器、例えば、接着型パッチを提供し、薬剤が飲み込まれたことをユーザにプライベートで確認させる。薬剤の摂取に応じて、システムは、ユーザに、薬剤が登録されたというフィードバックを提供し、技術上の信頼を構築する。薬が登録されたときにバズ音を受信することは、システムが機能していることの確実性に対するユーザの欲求を満たし、パッチにシステムにおける（別の）意味がある役割を与え得る。
【００７８】
実装の実施例として、健康増進データ、例えば、摂取事象データの生成が挙げられる。健康増進データは、方法論モジュールと関連付けられたプロセッサに通信される。方法論モジュールは、健康増進データを処理し、対応する完了！バズ音方法論を識別してもよい。命令モジュールは、命令を始動し、それによって、プログラムおよび関連付けられたシステムは、受容者の検出器上に、振動または他のメッセージ、例えば、点滅灯を生成してもよい。
【００７９】
プラグ方法論
図１７に概念的に図示されるようなプラグ方法論は、システムが、電力をトグルし、種々の小型電化製品の利用を監視することを可能にする、スマートコンセントを提供する。ユーザは、電化製品（コーヒーメーカー、ＴＶ、またはビデオゲームシステム等）を選択し、スマートコンセントに接続し、利用閾値を選択する、例えば、１００％順守は、週１０時間のＴＶの時間をもたらす。システムによってログがとられた順守、運動等のレベルは、ユーザが選択された電化製品に費やすことができる時間を判定する。種々の態様では、スマートコンセントはまた、基地局またはハブとして機能してもよい。電子デバイスへのアクセスを防止する、自らが課した「手錠」は、順守への強力な誘因を提供する。これは、非順守の長期的に切り離された影響を現在の結果に変え得る。
【００８０】
実装の実施例として、健康増進データ、例えば、摂取事象データの生成が挙げられる。健康増進データは、方法論モジュールと関連付けられたハブに通信される。方法論モジュールは、健康増進データを処理し、対応するプラグ方法論を識別してもよい。命令モジュールは、命令を始動し、それによって、プログラムおよび関連付けられたシステムは、事前に選択された条件に従って、選択された電化製品へのアクセスを監視および制御してもよい。
【００８１】
実患者プロファイル方法論
図１８に概念的に図示されるような実患者プロファイル方法論は、そうでなければ、長期フィードバックループを有する、または全く有していないかも知れない状態に対する、個人の治療／計画へのフィードバックの要素を提供する。現在の行為が、生理機能および順守に基づいて、予想され、ユーザに、ユーザの現在の状況に以前あったある人物の実際の（恐らく、監修されている）プロファイルを示す。落胆させ得る予測に対して、システムは、挙動および代替となる刺激的プロファイルに関する提案を提供する。実患者プロファイルを使用して、個人の将来的健康状態を予測することは、今日の行為と明日の転帰との間の直感的つながりを作り出し、したがって、その作用行為を変化させるためのより説得的な理由となる。
【００８２】
同様に、「実将来」方法論は、ユーザの潜在的将来の疑似体験ビューを与えてもよい。例えば、方法論は、ユーザに、同様の状況にいる人物からの助言に沿って助長することによって、その将来を制御するよう示唆してもよい。このように、ユーザは、客観的データを通して支援および励みとなるものを受信するように仕向けられ、可能性がある軌道変化を示し、ユーザの自信を刺激する。
【００８３】
実装の実施例として、健康増進データ、例えば、疾患状態、治療のレベル、治療の持続時間等の生成が挙げられる。健康増進データは、方法論モジュールと関連付けられたウェブサイトに通信される。方法論モジュールは、健康増進データを処理し、対応する実患者プロファイル方法論を識別してもよい。命令モジュールは、命令を始動し、それによって、プログラムおよび関連付けられたシステムは、提案、代替となる刺激的プロファイル等を生成してもよい。
【００８４】
心的状態の掘り下げ方法論
図１９に図示されるような心的状態の掘り下げ方法論は、客観的測定ならびに主観的入力を便宜的方法で収集する、システムを提供する。心的状態の掘り下げ方法論は、主観的入力を用いて、その人の運動、睡眠、および薬剤順守間のパターンおよび関係を識別し、それらの間の関係を視覚化し、挙動選択をより関連性があるものにする。長期的主観的入力と客観的身体測定との比較は、驚くべきパターンを露顕させ、なぜユーザがそのように感じるかに関する直感的理論を補正するのに役立つ。その理論の調節は、より良い挙動へのより強固な本質的動機をもたらす。
【００８５】
実装の実施例として、健康増進データ、例えば、睡眠データ、薬剤摂取データ、および運動データならびに主観的データの生成が挙げられる。
【００８６】
主観的データの生成は、種々の方法を介して達成されてもよい。一実施例では、ユーザの携帯電話上のアプリケーションは、様々な色の同心円を表示する。各色は、ユーザの相対的気持ち、感情、自己査定等を表す。ユーザは、その状態に関する色を選択し、アプリケーションは、主観的データを生成する。健康増進データは、関連付けられた方法論モジュールを有する、ユーザの電話アプリケーションに通信される。方法論モジュールは、データを処理し、対応する心的状態の掘り下げ方法論を識別してもよい。命令モジュールは、命令を始動し、それによって、プログラムおよび関連付けられたシステムは、パターンのデータを分析し、パターン、関連洞察等を意味的に表示してもよい。
【００８７】
心臓適合方法論
図２０に概念的に図示されるような心臓適合方法論は、フィットネスまたは健康目標のためのステップカウント等のアナログではなく、心臓測定基準に焦点を当てたシステムを提供する。安静時心拍および標的心拍を上回る時間経過等のデータを使用して、本システムは、アクティビティにわたるフィットネスおよび日々の運動に関する情報および指針を提供することができる。また、心拍変動および回復までの心拍時間等の有効な心血管フィットネス測定基準の追跡は、心臓学的ケアに対する洞察を提供する場合がある。多くの一般的フィットネス追跡システムは、間違いなく、フィットネスの最も重要な測定の１つである、信頼性がある長期心拍を測定することができない。さらに、心拍の洞察向上は、新しい測定基準集合、すなわち、体重、ＢＭＩ、または運動等の健康に対する従来の価値尺度以外を通して、より豊富なフィットネスに関する奨励をもたらす。
【００８８】
実装の実施例として、健康増進データ、例えば、心拍、心拍変動、フィットネスアクティビティ、および安静時データ等の生成が挙げられる。健康増進データは、方法論モジュールと関連付けられたサーバに通信される。方法論モジュールは、健康増進データを処理し、対応する心臓適合方法論を識別してもよい。命令モジュールは、命令を始動し、それによって、プログラムおよび関連付けられたシステムは、データストリームを統合し、データを融合し、精緻化された心臓（または、他の）健康モデルを生成し、治療／計画最適化ステップを推察する等してもよい。
【００８９】
スイマーパッチ方法論
図２１に概念的に図示されるようなスイマーパッチ方法論は、フィットネスまたは健康目標のためのステップカウント等のアナログではなく、心臓測定基準に焦点を当てたシステムを提供する。心拍をリアルタイムで監視することによって、パッチは、振動し、その標的心拍に到達したことをスイマーにアラートし、最適トレーニングまたは運動をもたらす。加えて、加速度計データを使用することによって、システムは、ラップカウンタとなる。これはまた、新規リアルタイム追跡能力を全能力レベルにわたるスイマーにもたらし得る。挙動変化を助長する観点から、本用語は、広義に使用され、トレーニングおよび目標達成の促進等の概念を含むことに留意されたい。例えば、スイマーパッチを使用する際における挙動の変化の助長として、スイマーにトレーニング計画を密接に順守させるデータの送達を含み、種々の水泳およびトレーニング目標の達成をもたらしてもよい。当業者は、複数の概念が適用されることを認識するであろう。
【００９０】
実装の実施例として、健康増進データ、例えば、心拍、加速度計データ等の生成が挙げられる。健康増進データは、方法論モジュールと関連付けられたパッチに通信される。方法論モジュールは、健康増進データを処理し、対応するスイマーパッチ方法論を識別してもよい。命令モジュールは、命令を始動し、それによって、パッチと関連付けられたプログラムは、受容者の検出器上に、振動または他のメッセージ、例えば、点滅灯、データ表示等を生成してもよい。
【００９１】
小ステップ大結果方法論
図２２に概念的に図示されるような小ステップ大結果方法論は、その人の以前のスコアをわずかに上回る目標を設定することによって、物理的アクティビティを奨励する。物理的アクティビティに関する情報を追跡することによって、システムは、視覚的に、ユーザにその以前の実績を示し、閾値線を越えて表示点を移動させるように運動することによって、それを上回るよう誘導する。堕落するいずれのユーザも、管理可能かつ励みとなるような段階的目標設定を通して、引き戻される。変換によって、長期目標をより小さく、より達成可能な目標にする。
【００９２】
実装の実施例として、健康増進データ、例えば、物理的アクティビティデータ等の生成が挙げられる。健康増進データは、方法論モジュールと関連付けられたハブ、例えば、ユーザの携帯電話に通信される。方法論モジュールは、健康増進データを処理し、対応する小ステップ大結果方法論を識別してもよい。命令モジュールは、命令を始動し、それによって、システムと関連付けられたプログラム（複数可）は、以前の実績の記憶されたデータを読み出し、それを現在の健康増進データと比較し、励みとなる視覚的表示を介して、結果を表示する等してもよい。
【００９３】
健康的な食事への取り組み方法論
図２３に図示されるような健康的な食事への取り組み方法論は、取り組み用の薬およびリマインダを通して、健康的な食習慣を奨励するシステムを提供する。１日の開始時に、ユーザは、ある数の野菜または果物の皿数を摂食することのその取り組みを表す、関連付けられた摂取可能デバイスを有する、薬、例えば、偽薬、ビタミン等を服用し、本取り組みは、ソーシャルメディア、例えば、Ｆａｃｅｂｏｏｋページ上に記載される。食事の時間が来るたびに、パッチが振動し、その取り組みをリマインドし、適切に摂食したことの肯定応答に応じて、達成は、Ｆａｃｅｂｏｏｋウォールに掲載（祝福）される。取り組みを公共に提示することによって、ユーザは、それを完了しようというより多くの義務感を感じる。加えて、毎日の開始時に健康的な食事挙動を計画することは、ユーザが、食事により気を配るようにさせ得る。
【００９４】
同様に、「偽薬」方法論は、ユーザの意図、取り組み等のインジケータまたはリマインダとしての役割を果たす、「意図的薬」、例えば、偽薬、ビタミン等のシステムを提供する。意図的薬は、個人プログラム、グループ参加の一部として、共感リレー、治療シミュレーション薬等として、摂取されてもよい。例証するために、ユーザは、友人が、治療計画のための処方された薬剤を摂取する必要があるたびに、偽薬の摂取を約束し、摂取してもよい。「同時摂取」の取り組みおよび連帯責任的行為は両方とも、友人の窮状および進歩の実際の支援を示し、ユーザが、友人に継続的支援をもたらすのに役立つ。
【００９５】
意図的薬は、物事をユーザに対して変化するようにトリガし、ユーザの意図を彼らおよび他者に対して有形なものとし、ユーザに力を与えられたと感じさせ、ユーザがその目標に到達することを可能にする等であり得る。グループ参加は、ユーザに、より大きな活動、例えば、グループ招待の一部であるかのように感じさせ、ユーザの参加理由（複数可）を強化し、ユーザが、同じ目的を持った人々とつながるのに役立ち得る。共感リレーは、ユーザの友人に支援を提供し、ユーザに友人のためにできることを与え、ユーザの支援を示し、友人のための継続的支援をもたらす等であり得る。治療シミュレーション薬は、ユーザが、ユーザの状態を悪化させる挙動、選択等を回避するように補助し、ユーザが、その人生において、治療計画の派生効果を被るのを補助し、ユーザに、その挙動を変化させ、前述の挙動変化等と関連付けられた潜在的結果を回避するための理由を与え得る。偽薬方法論は、人々の挙動変化等を向上させ得る。
【００９６】
実装の実施例として、健康増進データ、例えば、摂取事象データの生成が挙げられる。健康増進データは、方法論モジュールと関連付けられたウェブサイトに通信される。方法論モジュールは、健康増進データを処理し、対応する健康的な食事への取り組み方法論を識別してもよい。命令モジュールは、命令を始動し、それによって、プログラム（複数可）および関連付けられたシステム（複数可）は、Ｆａｃｅｂｏｏｋ上に、取り組み関連のコメントを生成し、タイムリーかつ有意義なリマインダを生成し、所定の条件に応じて、Ｆａｃｅｂｏｏｋ上に、達成に関する祝福コメントを投稿してもよい。
【００９７】
マッチ方法論
に図２４に概念的に図示されるようなマッチ方法論は、病気、目標、ニーズ等に基づいて、最適支援グループを形成する人々を選択する、システムを提供する。薬剤およびフィットネス計画へのユーザの順守に基づく情報ならびに収集された個人的データを使用して、本システムは、類似（または、潜在的に、補完的）支援ニーズを有する人々をグループ化し、最大利点のための刺激的かつ関連のあるグループを形成する。ユーザに有意義なマッチ支援グループをもたらすことは、グループを効果的にする潜在性を増加させるとともに、可能性として、未知の構成を伴うグループに参加する恐れを緩和する。
【００９８】
実装の実施例として、健康増進データ、例えば、ユーザ順守データ等の生成が挙げられる。健康増進データは、方法論モジュールと関連付けられたウェブサイトに通信される。方法論モジュールは、健康増進データを処理し、対応するマッチ方法論を識別してもよい。命令モジュールは、命令を始動し、それによって、プログラム（複数可）および関連付けられたシステム（複数可）は、所定の基準、例えば、疾患状態、フィットネス計画、薬剤計画等に基づいて、ユーザをグループ（複数可）にマッチさせ、支援グループメンバー間のオンラインネットワークキングフォーラムを促進してもよい。
【００９９】
方法
次に図２５を参照すると、挙動変化を助長するための方法２５００が示される。種々の態様では、本方法は、随意に（想像線輪郭で図示される）、ステップ２５０２において、健康増進デバイスによって、健康増進データを生成する初期ステップから成ってもよい。種々の態様では、本方法は、ステップ２５０４において、プロセッサによって、健康増進データを受信するステップと、ステップ２５０６において、プロセッサによって、健康増進データを処理し、少なくとも１つの事前に選択された挙動変化方法論を識別するステップと、ステップ２５０８において、プロセッサによって、対応する命令を生成し、識別された少なくとも１つの挙動変化方法論を始動するステップから成る／を含んでもよい。種々の態様では、本方法は、随意に、ステップ２５１０において、デバイスによって、対応する命令を受信するステップと、ステップ２５１２において、システム構成要素を介して、健康増進データと関連付けられたデータを追跡するステップと、ステップ２５１４において、システム構成要素を介して、健康増進データと関連付けられたフィードバックを生成するステップと、ステップ２５１６において、システム構成要素を介して、健康増進データと関連付けられた予防措置命令を生成するステップのうちの１つ以上から成るか、またはそれらを含んでもよい。
【０１００】
種々の態様では、前述のように、健康増進データは、種々の健康関連事象、およびそれらの組み合わせ、例えば、摂取事象、注射事象、吸引事象、注入事象、健康監視事象、物理的アクティビティ事象、および摂食事象と関連付けられてもよい。例証するために、摂取事象に関連する健康増進データは、ＲＦＩＤ対応デバイス、電流改変デバイス等の摂取可能デバイスによって生成されてもよい。
【０１０１】
挙動変化方法論は、方法論の種々の実施例を含み、挙動、例えば、健康関連問題、事象、計画等と関連付けられた望ましい、持続可能挙動変化を助長し、共感を生じさせる、例えば、活動に共鳴する、家族支援を集める等、挙動変化等を助長し得る。前述の実施例の非包括的リスト、すなわち、メドマッチ方法論；実現可能範囲内におけるレース方法論；デスクトップウィジェット／アバター選択方法論；家族的責任方法論；仮想邸宅方法論；日々変わる孵化方法論；フィティマルズ方法論；楽しい比較方法論；勝利への執着方法論；羞恥ゲーム方法論；誓約マッチ方法論；友人からの援助方法論；愛情バズ音方法論；パッチアラート方法論；完了！バズ音方法論；プラグ方法論；実患者プロファイル方法論；心的状態の掘り下げ方法論；心臓適合方法論；スイマーパッチ方法論；小ステップ大結果方法論；健康的な食事への取り組み方法論；およびマッチ方法論は、方法の種々の態様において、適用されてもよい。事前選択は、種々のモード、例えば、参加者による手動選択、自動化選択、それらの組み合わせ等であってもよい。
【０１０２】
メドマッチ方法論は、例えば、援助を必要としている個人または活動の直接的あるいは間接的支援、経済的結果等を組み込む、もしくは別様にそれらと関連付けられてもよい。本実施例では、メドマッチ方法論を使用する寄付者は、援助を必要としている個人または活動が、寄付者の健康関連転帰に及ぼす肯定的影響を有する挙動変化をもたらし、それを維持するように動機付けされることを重視してもよい。同様に、寄付者は、そのような挙動変化を動機付けるほど、寄付者、寄付受容者、または他者（複数可）への経済的結果を有効にするあるいは回避することに共鳴し得る。
【０１０３】
メドマッチ方法論は、検証可能寄付的経済活動、例えば、寄付者および他の利害関係者へのコンピュータ生成フィードバック；定量化可能寄付、例えば、薬が寄付者によって摂取されるたびに２個の薬が寄付されること、等を含んでもよいが、必ずしも、そうでなくてもよい。
【０１０４】
物品
種々の態様では、物品は、コンピューティングプラットフォームによって実行されると、ハブを介して、健康増進データを受信することと、ハブを介して、健康増進データの少なくとも一部を方法論モジュールに通信することと、方法論モジュールを介して、健康増進データと関連付けられた少なくとも１つの方法論を識別することと、モジュールを介して、識別された方法論と関連付けられた少なくとも１つの命令を生成することとを含む／から成る、ネットワークを介して、健康増進データを通信する方法の実行をもたらす命令を有する、非一過性記憶媒体を備えてもよい。
【０１０５】
物品はさらに、ネットワークの構成要素を介して、健康増進データと関連付けられたデータを追跡するステップと、ネットワークの構成要素を介して、健康増進データと関連付けられたデータを生成するステップと、ネットワークの構成要素を介して、健康増進データと関連付けられた予防措置命令を生成するステップのうちの１つ以上から成る／それを含んでもよい。
【０１０６】
本明細書に開示される態様のいずれかは、データ処理システム内で、またはデータ処理方法、例えば、コンピュータ、プロセッサ等によって実施される命令ステップによって、行われてもよい。例証するために、概略システムは、一実施形態によると、例えば、プロセッサ、メインメモリ、静的メモリ、バス、ビデオディスプレイ、英数字入力デバイス、カーソル制御デバイス、ドライブユニット、信号生成デバイス、ネットワークインターフェースデバイス、機械可読媒体、命令およびネットワークを備える。
【０１０７】
概略システムは、本明細書に開示される１つ以上の動作が、行われ得る、パーソナルコンピュータおよび／またはデータ処理システムを示してもよい。プロセッサは、マイクロプロセッサ、状態機械、特定用途向け集積回路、フィールドプログラマブルゲートアレイ等であってもよい。メインメモリは、コンピュータシステムの動的ランダムアクセスメモリおよび／または一次メモリであってもよい。静的メモリは、ハードドライブ、フラッシュドライブ、および／またはデータ処理システムと関連付けられた他のメモリ情報であってもよい。
【０１０８】
バスは、データ処理システムの種々の回路および／または構造間の相互接続であってもよい。ビデオディスプレイは、データ処理システム上に、情報のグラフィカル表現を提供してもよい。英数字入力デバイスは、キーパッド、キーボードおよび／またはテキストの任意の他の入力デバイス、例えば、身体障害者を補助するための特殊デバイスであってもよい。カーソル制御デバイスは、マウス等のポインティングデバイスであってもよい。ドライブユニットは、ハードドライブ、記憶システム、および／または他のより長期的な記憶サブシステムであってもよい。信号生成デバイスは、データ処理システムのバイオスおよび／または機能的オペレーティングシステムであってもよい。ネットワークインターフェースデバイスは、ネットワークへおよびそこからの通信のために要求されるコード変換、プロトコル変換、および／またはバッファリング等のインターフェース機能を行い得る、デバイスであってもよい。機械可読媒体は、本明細書に開示される方法のいずれかが行われ得る、命令を提供してもよい。命令は、ソースコードおよび／またはデータコードをプロセッサに提供し、本明細書に開示される任意の１つ／またはそれ以上の動作を可能にしてもよい。
【０１０９】
本実施形態は、具体的例示的実施形態を参照して説明されたが、種々の修正および変更が、種々の実施形態のより広範な精神および範囲から逸脱することなく、これらの実施形態に成されてもよいことは明白であろう。例えば、本明細書に説明される種々のデバイス、モジュール等は、例えば、機械可読媒体内で具現化される、ハードウェア回路、例えば、ＣＭＯＳベースの論理回路、ファームウェア、ソフトウェア、ならびに／あるいはハードウェア、ファームウェア、および／またはソフトウェアの任意の組み合わせを使用して、有効にされ、動作されてもよい。
【０１１０】
例えば、種々の電気構造および方法は、トランジスタ、論理ゲート、および電気回路、例えば、特定用途向け集積回路（ＡＳＩＣ）を使用して、および／またはデジタル信号プロセッサ（ＤＳＰ）回路内で具現化されてもよい。例えば、受信モジュールおよび通信モジュールならびに他のモジュールは、本明細書に説明される技術のうちの１つ以上の使用を有効にしてもよい。
【０１１１】
加えて、本明細書に開示される種々の動作、プロセス、および方法は、データ処理システム、例えば、コンピュータシステムと互換性がある機械可読媒体および／または機械アクセス可能媒体内で具現化されてもよく、任意の順序で行われてもよいことを理解されるであろう。故に、明細書および図面は、限定的意味ではなく、例証として見なされるべきである。
【０１１２】
前述のデバイスおよび方法と関連付けられたいずれかのまたは全てのデータは、例えば、単独で、または健康増進データ、すなわち、健康増進態様を有するデータを構成する他のデータと組み合わせて、使用されてもよい。
【０１１３】
ある実施形態では、システムおよび／または方法ステップはさらに、データを記憶するための要素、すなわち、データ記憶要素を含み／利用し、本要素は、ベッドサイドモニタ、ＰＤＡ、スマートフォン、コンピュータサーバ等の外部デバイス上に存在する。典型的には、データ記憶要素は、コンピュータ可読媒体である。用語「コンピュータ可読媒体」とは、本明細書で使用されるように、実行および／または処理のために、命令および／またはデータをコンピュータに提供することに関与する、任意の記憶または伝送媒体を指す。記憶媒体の実施例は、そのようなデバイスが、コンピュータの内部または外部にあるかどうかにかかわらず、フロッピーディスク（登録商標）、磁気テープ、ＣＤ−ＲＯＭ、ハードディスクドライブ、ＲＯＭまたは集積回路、磁気光ディスク、またはコンピュータ可読カード、例えば、ＰＣＭＣＩＡカード、および同等物を含む。情報を含有するファイルは、コンピュータ可読媒体上に「記憶」されてもよく、「記憶」とは、コンピュータおよび／またはコンピュータ関連構成要素によって、アクセス可能であって、後にデータを読み出し可能であるように、情報を記録することを意味する。コンピュータ可読媒体に関して、「恒久的メモリ」とは、恒久的であるメモリを指す。恒久的メモリは、プロセッサのコンピュータへの電気供給の終了によって消去されない。コンピュータハードドライブＲＯＭ（すなわち、仮想メモリとして使用されない）、ＣＤ−ＲＯＭ、フロッピーディスク、およびＤＶＤは全て、恒久的メモリの実施例である。ランダムアクセスメモリ（ＲＡＭ）は、非恒久的メモリの実施例である。恒久的メモリ内のファイルは、編集可能かつ再書き込み可能であってもよい。
【０１１４】
態様は、薬剤および非薬剤服用、投与、および／または送達の感知されたパラメータの読取および監視の任意の様式、例えば、接着センサパッチ、他の装着式センサ、デバイス埋込物および挿入物、非経口薬剤送達デバイス、携帯電話等、およびそのような情報を表示および管理するためのデバイス（コンピュータ、携帯電話等）に拡張する。
【０１１５】
さらに、種々の態様は、１つ以上のデータ融合機能を含んでもよい。本明細書で使用されるように、用語「データ融合」とは、データ統合のプロセス、機能、発生、事象等、例えば、縮小、置換、分析、あるいは組み合わせられたデータに関して、改善された結果をもたらす、他のそのようなデータ操作または変更に結合されたデータの組み合わせを指す。改善された結果の実施例として、健康増進データおよび前述の方法論のうちの１つ以上から生じるデータの組み合わせが挙げられ、分析されると、合理的推測として、健康増進データと関連付けられた個人が、挙動パターンを変化させ、薬剤計画への改善された順守および改善された治療転帰をもたらすことが導き出され得る。
【０１１６】
また、提供されるのは、コンピュータ実行可能命令、すなわち、前述の方法を行うための、例えば、システムのＩＥＭ、受信機、および他の構成要素をプログラミングするためのプログラミングである。コンピュータ実行可能命令は、コンピュータ可読媒体上に存在する。故に、種々の態様は、摂取可能事象マーカデータを提供する際に使用するためのプログラミングを含有するコンピュータ可読媒体を提供する。
【０１１７】
したがって、ある実施形態では、システムは、データ記憶要素、データ処理要素、データ表示要素、データ伝送要素、通知機構、およびユーザインターフェースのうちの１つ以上を含む。これらの要素は、摂取可能事象マーカデータ、ハブ、およびＩＥＭデータシステムのうちの少なくとも１つに存在する、または別様にそれらと関連付けられてもよい。
【０１１８】
前述のシステムのうちの１つは、受信モジュールおよび通信モジュールの観点から検討されている。しかしながら、態様は、そのように限定されない。より広範な意味において、システムは、例えば、前述のようなハブ機能性を使用して、例えば、ＩＥＭデータを通信において使用することによって、例えば、ＩＥＭデータシステムの機能性を使用して、相互に通信する、２つ以上の異なるモジュールから構成される。
【０１１９】
本発明は、説明される特定の実施形態に限定されず、したがって、様々であり得ることを理解されたい。また、本明細書で使用される専門用語は、特定の実施形態を説明する目的のためにすぎず、本発明の範囲は、添付の請求項によってのみ限定されるため、限定として意図されないことを理解されたい。
【０１２０】
請求項にかかわらず、本発明はまた、以下の付記によっても説明される。
１．プロセッサによって、健康増進データを受信するステップと、
プロセッサによって、健康増進データを処理し、少なくとも１つの事前に選択された挙動変化方法論を識別するステップと、
プロセッサによって、対応する命令を生成し、識別された少なくとも１つの挙動変化方法論を始動するステップと
を有する方法。
【０１２１】
２．健康増進データは、本質的に、摂取事象、注射事象、吸引事象、注入事象、健康監視事象、物理的アクティビティ事象、および摂食事象から成る群から選択される少なくとも１つの事象から生成され、好ましくは、健康増進データを生成する摂取事象は、摂取可能デバイスを介して促進され、より好ましくは、摂取可能デバイスは、ＲＦＩＤ対応デバイスおよび電流改変デバイスから成る群から選択される付記１に記載の方法。
【０１２２】
３．少なくとも１つの挙動変化方法論は、本質的に、メドマッチ方法論、実現可能範囲内におけるレース方法論、デスクトップウィジェット／アバター選択方法論、家族的責任方法論、仮想邸宅方法論、日々変わる孵化方法論、フィティマルズ方法論、ゲームフィット方法論、楽しい比較方法論、勝利への執着方法論、羞恥ゲーム方法論、誓約マッチ方法論、友人からの援助方法論、愛情バズ音方法論、パッチアラート方法論、パッチ発信機方法論、完了！バズ音方法論、プラグ方法論、実患者プロファイル方法論、実将来方法論、心的状態の掘り下げ方法論、心臓適合方法論、スイマーパッチ方法論、小ステップ大結果方法論、健康的な食事への取り組み方法論、偽薬方法論、およびマッチ方法論から成る群から選択される付記１または２に記載の方法。
【０１２３】
４．メドマッチ方法論は、援助を必要としている個人または活動の直接的あるいは間接的支援および経済的結果のうちの少なくとも１つと関連付けられる、および／またはメドマッチ方法論は、検証可能寄付的経済活動および定量化可能寄付的経済活動のうちの少なくとも１つと関連付けられる付記３に記載の方法。
【０１２４】
５．健康増進デバイスによって、健康増進データを生成する初期ステップをさらに有し、好ましくは、健康増進デバイスは、摂取可能デバイスである付記１から４のいずれかに記載の方法。
【０１２５】
６．デバイスによって、対応する命令を受信するステップをさらに有する付記１から５のいずれかに記載の方法。
【０１２６】
７．システム構成要素を介して、健康増進データと関連付けられたデータを追跡するステップと、
システム構成要素を介して、健康増進データと関連付けられたフィードバックを生成するステップと
のうちの少なくとも１つをさらに有する付記１から６のいずれかに記載の方法。
【０１２７】
８．システム構成要素を介して、健康増進データと関連付けられた予防措置命令を生成するステップをさらに有する付記１から７のいずれかに記載の方法。
【０１２８】
９．随意に、付記１から８のいずれかに記載の方法における使用のためのシステムであって、
−デバイスによって生成された健康増進データと、
健康増進データと関連付けられた少なくとも１つの挙動変化方法論を識別するために、プロセッサと関連付けられた方法論モジュールと、
識別された少なくとも１つの挙動変化方法論を始動するために、プロセッサと関連付けられた命令モジュールと
を備えるシステム。
【０１２９】
１０．健康増進データを生成することと、健康増進データを通信することとのうちの少なくとも１つを行うデータデバイスをさらに備え、データデバイスは、好ましくは、本質的に、摂取可能デバイス、注射デバイス、吸引デバイス、注入デバイス、検出器デバイス、健康監視デバイス、物理的アクティビティデバイス、埋め込み型デバイス、薬物デポー放出デバイス、および摂食デバイスから成る群から選択される付記９に記載のシステム。
【０１３０】
１１．摂取可能デバイスは、健康増進データを電流にてエンコードする付記１０に記載のシステム。
【０１３１】
１２．摂取可能デバイスは、
コンダクタンスを改変するための制御デバイスと、
部分的電源であって、
制御デバイスに電気的に結合された第１の材料、および
制御デバイスに電気的に結合され、第１の材料から電気的に絶縁される第２の材料、
を有する部分的電流とを備えており、
第１の材料および第２の材料は、伝導性液体と接触すると、電圧電位差を提供するように選択され、
制御デバイスは、電流の大きさが変動されて健康増進データをエンコードするように、第１の材料および第２の材料の間のコンダクタンスを改変する付記１０または１１に記載のシステム。
【０１３２】
１３．検出器デバイスは、薬剤送達事象データおよび生理学的パラメータデータのうちの少なくとも１つと通信する付記１０から１２のいずれかに記載のシステム。
【０１３３】
１４．健康増進データと関連付けられたデータの追跡、および健康増進データと関連付けられたフィードバックの生成のうちの少なくとも１つを行うための追跡／フィードバックモジュールをさらに備える付記９から１３のいずれかに記載のシステム。
【０１３４】
１５．健康増進データと関連付けられた予防措置命令を生成するための予防措置モジュールをさらに備える付記９から１４のいずれかに記載のシステム。
【０１３５】
１６．コンピューティングプラットフォームによって実行されると、ネットワークを介して、
ハブを介して、健康増進データを受信することと、
ハブを介して、健康増進データの少なくとも一部を方法論モジュールに通信することと、
方法論モジュールを介して、健康増進データと関連付けられた少なくとも１つの方法論を識別することと、
命令モジュールを介して、識別された方法論と関連付けられた少なくとも１つの命令を生成することと
を含む、健康増進データを通信する方法の実行をもたらす命令を有する非一過性記憶媒体を備える物品。
【０１３６】
１７．ネットワークの構成要素を介して、健康増進データと関連付けられたデータを追跡するステップと、
ネットワークの構成要素を介して、健康増進データと関連付けられたデータを生成するステップと
のうちの少なくとも１つをさらに含む付記１６に記載の物品。
【０１３７】
１８．ネットワークの構成要素を介して、健康増進データと関連付けられた予防措置命令を生成するステップをさらに含む付記１６または１７に記載の物品。
【０１３８】
１９．健康増進データおよび挙動変化方法論と関連付けられたデータの融合は、直接または間接的に、挙動変化を助長する、付記９から１５のいずれかに記載のシステムまたは付記１６から１８のいずれかに記載の物品。
【０１３９】
値の範囲が提供される場合、文脈によって明確に別様に示されない限り、その下限の１／１０の単位まで、その範囲の上限と下限との間の各介在値と、記載範囲内の任意の他の記載値または介在値が、本発明内に包含されるものと理解されたい。これらのより小さい範囲の上限および下限が、独立して、そのより小さい範囲内に含まれてもよく、また、記載範囲内の任意の具体的に除外された限界を条件として、本発明内に包含される。記載範囲が、限界の一方または両方を含む場合、それらの含まれる限界の一方または両方を除外する範囲もまた、本発明内に含まれる。
【０１４０】
別様に定義されない限り、本明細書で使用されるあらゆる技術的および科学的用語は、本用語が属する当業者によって一般的に理解されるものと同一の意味を有する。本明細書に説明されるものに類似する、またはそれと均等の任意の方法および材料が、本発明の実践または試験に使用されることができるが、ここでは、好ましい方法および材料を説明する。
【０１４１】
本明細書に引用される出願、刊行物、および特許は、各個々の刊行物または特許が、具体的にかつ個々に、参照することによって組み込まれるように示され、それらが引用されるものと関連して、システム、方法、および／または材料を開示ならびに説明するよう、参照することによって本明細書に組み込まれるように、参照することによって本明細書に組み込まれる。任意の刊行物の引用は、本出願日前の開示を示すためのものであって、本発明が、先行発明を理由として、そのような刊行物に先行する権利を有さないことを認めるものと解釈するべきではない。さらに、提供される刊行物の日付は、実際の公開日と異なる場合があり、独立して、確認する必要があり得る。
【０１４２】
本明細書および添付の請求項で使用されるように、単数形「ａ」、「ａｎ」、および「ｔｈｅ」は、文脈によって明確に別様に示されない限り、複数参照を含む。さらに、請求項は、任意の随意の要素を除外するように作成され得ることに留意されたい。したがって、本記載は、請求項要素の列挙と関連した「単に（ｓｏｌｅｌｙ）」、「唯一の（ｏｎｌｙ）」、および同等物のような排他的専門用語の使用、または「否定的（ｎｅｇａｔｉｖｅ）」限定の使用のための先行詞としての役割を果たすように意図される。
【０１４３】
本開示の熟読によって、当業者に明白となるように、本明細書で説明および図示される個々の実施形態はそれぞれ、本発明の範囲または精神から逸脱することなく、他のいくつかの実施形態のいずれかの特徴から容易に分離される、またはそれと組み合わせられ得る、離散構成要素および特徴を有する。任意の列挙された方法は、列挙された事象の順序において、または論理的に可能な任意の他の順序で実施されることができる。
【０１４４】
前述の発明は、理解を明確にする目的のために、例証および例示として、ある程度詳細に説明されたが、ある変更および修正が、添付の請求項の精神または範囲から逸脱することなく、成されてもよいことは、本発明の教示に照らして、当業者に容易に明白である。
【０１４５】
故に、前述は、単に、本発明の原理を図示する。当業者は、種々の配列を考案可能であって、本明細書に明示的に説明または図示されないが、本発明の原理を具現化し、その精神および範囲内に含まれることを理解されるであろう。
【０１４６】
さらに、本明細書に列挙される全実施例および条件付き言語は、主として、本発明の原理および発明者が当技術の増進に寄与する概念を読者が理解するのを補助することを意図するものであり、そのような具体的に列挙された実施例および条件に限定されるものと解釈されるべきではない。さらに、本発明の原理、態様、および実施形態、ならびにその具体的実施例を列挙する、本明細書における全記載は、その構造的および機能的均等物の両方を包含することが意図される。加えて、そのような均等物は、現在公知の均等物および将来開発される均等物の両方、すなわち、構造にかかわらず、同一の機能を果たすように開発された任意の要素を含むものと意図される。本発明の範囲は、したがって、本明細書に図示および説明される例示的実施形態に限定されることを意図しない。むしろ、本発明の範囲および精神は、添付の請求項によって具現化される。
関連出願の相互参照
【０１４７】
本願は、参照することによって、全体として本明細書に組み込まれる、２０１１年１月１０日出願の米国仮特許出願第６１／４３１，４１６号「Ｓｙｓｔｅｍ，  Ｍｅｔｈｏｄ  ａｎｄ  Ａｒｔｉｃｌｅ  ｔｏ  Ｐｒｏｍｐｔ  Ｂｅｈａｖｉｏｒ  Ｃｈａｎｇｅ」の利益を主張する。
【図１】
2014511516.tif 000003
【図２】
2014511516.tif 000004
【図２ａ】
2014511516.tif 000005
【図３】
2014511516.tif 000006
【図４】
2014511516.tif 000007
【図５】
2014511516.tif 000008
【図６】
2014511516.tif 000009
【図７】
2014511516.tif 000010
【図８】
2014511516.tif 000011
【図９】
2014511516.tif 000012
【図１０】
2014511516.tif 000013
【図１１】
2014511516.tif 000014
【図１２】
2014511516.tif 000015
【図１３】
2014511516.tif 000016
【図１４】
2014511516.tif 000017
【図１５】
2014511516.tif 000018
【図１６】
2014511516.tif 000019
【図１７】
2014511516.tif 000020
【図１８】
2014511516.tif 000021
【図１９】
2014511516.tif 000022
【図２０】
2014511516.tif 000023
【図２１】
2014511516.tif 000024
【図２２】
2014511516.tif 000025
【図２３】
2014511516.tif 000026
【図２４】
2014511516.tif 000027
【図２５】
2014511516.tif 000028
【手続補正書】
【提出日】平成26年2月28日(2014.2.28)
【手続補正１】
【補正対象書類名】明細書
【補正対象項目名】全文
【補正方法】変更
【補正の内容】
【発明の詳細な説明】
【技術分野】
【０００１】
本開示は、概して、健康関連デバイスおよび通信の技術分野に関する。より具体的には、種々の例証的実施形態では、本開示は、基礎健康データに基づいて、挙動変化を助長するシステム、方法、および装置に関する。
【背景技術】
【０００２】
薬剤および他の健康計画の順守の欠如は、有意な問題となり得る。多くの個人は、療法順守持続のために必要な挙動に従事することを怠り得る。医師命令、長期的健康報酬、および疾患状態の管理等の従来の精神モデルでは、単純に、療法順守持続に失敗する。そのような精神モデルは、非常に抽象的であって、想像が困難であり得る。患者は、「今後１０年間、この薬を毎日服用すれば、長く生きられるかも知れない」等の抽象的概念に共鳴することができない場合がある。療法順守の失敗は、不必要な疾患の進行、無駄な医療リソース、および他の厄介な転帰をもたらし得る。
【先行技術文献】
【特許文献】
【０００３】
【特許文献１】国際公開第２０１０／０８０８４３号パンフレット
【発明の概要】
【発明が解決しようとする課題】
【０００４】
したがって、必要とされるのは、種々の改善された転帰と関連付けられ得る、持続的挙動変化等を助長可能な一式の動機付けである。
【課題を解決するための手段】
【０００５】
本開示は、挙動変化を助長するためのシステム、方法、および物品によって、これらの問題の少なくともいくつかに対処することを模索する。種々の態様は、消費者における挙動変化を持続させるための機構を含む。そのような挙動変化は、多くのかつ様々な肯定的結果、例えば、改善された治療転帰、広範な社会的利用、他者への慈善的利点等を有し得る。本システムおよび方法は、消費者人口、疾患状態、地理的領域、および利害関係者にわたって、広範な可用性を有する。
【図面の簡単な説明】
【０００６】
【図１】本開示の一態様に係る挙動変化を助長するためのシステムの概略を示す図である。
【図２】本開示の一態様に係る図１における挙動変化を助長するためのシステムのシステム動作を示す図である。
【図２ａ】本開示の一態様に係るメドマッチ方法論のある概念的利用を示す図である。
【図３】本開示の一態様に係る実現可能範囲内におけるレース方法論のある概念的利用を示す図である。
【図４】本開示の一態様に係るデスクトップウィジェット／アバター選択方法論のある概念的利用を示す図である。
【図５】本開示の一態様に係る家族的責任方法論のある概念的利用を示す図である。
【図６】本開示の一態様に係る仮想邸宅方法論のある概念的利用を示す図である。
【図７】本開示の一態様に係る日々変わる孵化方法論のある概念的利用を示す図である。
【図８】本開示の一態様に係るフィティマルズ方法論のある概念的利用を示す図である。
【図９】本開示の一態様に係る楽しい比較方法論のある概念的利用を示す図である。
【図１０】本開示の一態様に係る勝利への執着方法論のある概念的利用を示す図である。
【図１１】本開示の一態様に係る羞恥ゲーム方法論のある概念的利用を示す図である。
【図１２】本開示の一態様に係る誓約マッチ方法論のある概念的利用を示す図である。
【図１３】本開示の一態様に係る友人からの援助方法論のある概念的利用を示す図である。
【図１４】本開示の一態様に係る愛情バズ音方法論のある概念的利用を示す図である。
【図１５】本開示の一態様に係るパッチアラート方法論のある概念的利用を示す図である。
【図１６】本開示の一態様に係る完了！バズ音方法論のある概念的利用を示す図である。
【図１７】本開示の一態様に係るプラグ方法論のある概念的利用を示す図である。
【図１８】本開示の一態様に係る実患者プロファイル方法論のある概念的利用を示す図である。
【図１９】本開示の一態様に係る心的状態の掘り下げ方法論のある概念的利用を示す図である。
【図２０】本開示の一態様に係る心臓適合方法論のある概念的利用を示す図である。
【図２１】本開示の一態様に係るスイマーパッチ方法論のある概念的利用を示す図である。
【図２２】本開示の一態様に係る小ステップ大結果方法論のある概念的利用を示す図である。
【図２３】本開示の一態様に係る健康的な食事への取り組み方法論のある概念的利用を示す図である。
【図２４】本開示の一態様に係るマッチ方法論のある概念的利用を示す図である。
【図２５】本開示の一態様に係る挙動変化を助長する方法を示す図である。
【図２６】本開示の一態様に係る対向する端部に設けられた異なる金属を有する事象インジケータシステムを示すブロック図である。
【図２７】本開示の一態様に係る同じ端部に設けられ非導電性材料により分離された異なる金属を有する事象インジケータシステムを示すブロック図である。
【図２８】図２６の事象インジケータシステムが導電性液体と接して起動状態にあるときに導電性流体を通じてイオン移動または電流経路を示す図である。
【図２８Ａ】本開示の一態様に係る図２８の異なる材料の表面を示す分解図である。
【図２８Ｂ】本開示の一態様に係るｐＨセンサユニットを有する図２８の事象インジケータシステムを示す図である。
【図２９】本開示の一態様に係る図２６および２７のシステムに使用される制御デバイスを示すブロック図である。
【図３０】本開示の一態様に係る受信器に存在し得るコヒーレント復調を実行する復調回路の機能ブロック図である。
【図３１】本開示の一態様に係る受信器内部のビーコンモジュールを示す機能ブロック図である。
【図３２】本開示の一態様に係る受信器内に存在し得る異なる機能モジュールのブロック図である。
【図３３】本開示の一態様に係る受信器のブロック図である。
【図３４】本開示の一態様に係る受信器内の高周波信号チェーンのブロック図である。
【図３５】本開示の一態様に係る信号受信器および摂取可能な事象マーカを有するシステムがどのように使用されるかを示す図である。
【発明を実施するための形態】
【０００７】
本開示は、挙動変化を助長するためのシステム、方法、および物品の複数の実施形態を含む。以下により詳細に説明されるように、本開示のシステムおよび方法は、種々の有益な結果によって、持続可能挙動変化を助長するために使用され得る。結果として、例えば、改善された治療転帰、広範な社会的利用、種々の受容者への有益な寄付、医療リソースの慎重な使用等が挙げられる。
【０００８】
広義には、態様は、デバイス、例えば、摂取可能デバイス、プロセッサ、携帯電話、コンピュータ、インテリジェント体重計等と結合され、挙動変化を助長する、種々の方法論を含む。
【０００９】
方法論として、例えば、マッチングギフト、競争的追求、アバターベースのアプローチ、家族中心ゲーム等に関連した方式が挙げられる。
【００１０】
多様な態様は、既存の自動化システムと本開示とのリンクおよび／または利用を提供する。既存のシステムとして、例えば、コンピュータ化マッチングギフト制度、ソーシャルネットワークおよび媒体、健康管理ネットワーク等が挙げられ得る。
【００１１】
概して、患者行程は、（１）慢性的疾患の治療のための療法計画を開始する、（２）良好な習慣および選択肢を確立することを日課とし、療法計画および他の肯定的生活スタイルの選択肢、例えば、食事、睡眠、運動等に準拠かつ順守する、および（３）療法および疾患の進行または困難における厳しい状況および困難な期間を乗り越え、慢性的疾患管理および継続的健康における進歩を継続する、３つの主要段階を辿り得る。本開示の態様は、創造的自動化方法論の新規使用を通して、これらの患者行程の段階のそれぞれにおいて、持続的挙動変化および継続的強化のための生成機構を作り出し得る。
【００１２】
そのような方法論の１つは、マッチングギフト（本明細書では、「メドマッチ（ｍｅｄｍａｔｃｈ）」と称される場合もある）を促進することである。本方法論下では、健康増進の個人的行為、例えば、薬剤または偽薬等の製品の摂取行為は、マッチする利他的目標にリンクされる。個人的行為、例えば、摂取事象の実際の確認が、患者メモリ、患者報告、スマートパッケージング、または瓶等、行為の代用物とは対照的に、そのようなシステムを作用させるための前提となる。
【００１３】
本方法論を使用して、本開示の態様は、以下のように、持続的挙動変化および継続的強化のための生成機構を作り出し得る。
１．開始する：メドマッチは、医師によって既に処方された薬を単に服用することによる還元によって、良いことをしたいという患者の要望を活性化する。
２．目標にする：メドマッチは、患者に、薬を服用するという、日常的であって、時として、平凡なタスクを、他者を支援しているという、より刺激的な動機につなげる短期的強化を与える。メドマッチはまた、患者を同様の他者とつなげ、メドマッチプログラムにおける他の患者の集合的な薬の摂取が、どのようにインドにおける末期結核等の活動を支援しているか、または近隣都市における恵まれない子供達に薬剤を提供しているかを示すことができる。
３．厳しい状況を乗り越える：患者が、その治療における挫折、薬剤からの副作用、またはその状態に関して落胆および苛立を感じるとき、メドマッチは、継続し、軌道に戻り、肯定的日課から離脱しないように、より高い目的および動機を提供する。
【００１４】
メドマッチ方法論では、重要な社会的影響（援助を必要としている個人または活動の支援）および経済的結果（寄付されている実質的財務値の別の成果）が、個人的消費者決定によって作り出され、したがって、「寄付的経済活動」は、検証され、定量化可能でなければならない。実際の行為、例えば、実際の摂取の直接的測定は、製品コンセプトの一部である。直接的測定は、以下に論じられるように、種々のデバイスを介して達成されてもよい。
【００１５】
例証するために、任意の個人またはグループは、摂取事象を知らせる、一体型摂取可能デバイスを有する薬剤を摂取する。（そのようなデバイスの実施例は、例えば、２００９年９月２１日出願の米国特許出願第１２／５６４，０１７号であって、２０１１年７月１２日に認可された米国特許第７，９７８，０６４号である「ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ」（以下参照）に説明されている）。一体型デバイスは、関連データ、例えば、健康増進データ、個人の識別、薬剤のタイプ、摂取の時間、および投薬量情報を、プロセッサおよび具体的ソフトウェアを有する、コンピュータまたはモバイルデバイスに通信する。ソフトウェア／プロセッサは、健康増進データを処理し、所定の挙動変化方法論の識別に応じて、ソフトウェア／プロセッサは、対応する命令を生成し、識別された挙動変化方法論と関連付けられたソフトウェアを始動する。
【００１６】
一実施例では、健康増進データは、薬剤を摂取している個人を識別する。ソフトウェア／プロセッサは、データベースまたは他の記憶媒体をチェックし、識別された個人が、対応する挙動変化方法論プログラムを適切に有するかどうかを判定する。そのようなプログラムが適切であると、例えば、個人が、「メドマッチ」を選択したとの判定に応じて、ソフトウェア／プロセッサは、命令を生成し、例えば、ソフトウェアプログラムを始動し、特定の活動の所定の性質の寄付を促進する。
【００１７】
そのような寄付の１つは、例えば、援助を必要としている個人への「マッチする」用量の薬剤の提供であってもよい。したがって、個人による製品の摂取に応じて、別の個人、グループ、または活動への第２の指定される製品（または、複数の製品）の「１対１」または「１対多数」の寄付が生じる。
【００１８】
例えば、米国マサチューセッツ州ボストンで生活するＨＩＶ＋患者は、メドマッチを設定し、ボストンの患者が、自身の薬剤を処方されたように服用するたびに、ケニアのナイロビで生活している別のＨＩＶ＋患者にＨＩＶ薬剤を寄付してもよい。医師に「指示」されたから、またはより長期的な健康報酬または疾患進行の恐れからの個人的感覚のため、薬剤を服用するのではなく（順守に関する科学文献が支持する精神的モデルは、慢性的疾患とともに生活する患者の大部分において、薬物療法への持続的順守および継続の支援に失敗している）、メドマッチ方法論は、援助を必要としている別の個人を支援するという短期的かつ刺激的目標を作り出すことによって、ボストンの患者の毎日の薬の服用行為を支援および強化する。
【００１９】
本方法論は、想像が困難な抽象的概念（今後１０年間、この薬を毎日服用すれば、長く生きられるかも知れない）を確実性（この薬を今日服用すれば、今日誰かを助けられるであろう）と置き換える。経時的に、この肯定的な毎日の強化は、処方された通りのいかなる個人的薬剤服用の怠慢も、ボストンの患者がナイロビの患者に与えている支援の廃止をもたらすであろうという点において、否定的強化とも考えられ得る。本否定的強化はさらに、ボストンの患者の製品利用および順守を強化し、持続させる。
【００２０】
メドマッチはさらに、製品製造業者が、消費者によるその製品の持続的かつ増加した利用を、製造業者が、既に、企業責任、慈善事業への寄付、およびグローバル健康プログラムの一部として追求する肯定的社会活動と関連付けることを可能にし得る。例えば、ボストンの患者のためのＨＩＶ薬剤を製造する製薬会社は、メドマッチをそのグローバルＡＩＤＳプログラムならびにＧａｔｅｓ  Ｆｏｕｎｄａｔｉｏｎ、Ｃｌｉｎｔｏｎ  Ｇｌｏｂａｌ  Ｉｎｉｔｉａｔｉｖｅ、ＷＨＯ、および他の政府出資プログラムとのその研究にリンクさせ、その高価なＨＩＶ薬剤を十分なサービスを受けていない場所における患者に利用可能にし、既にそのようなプログラムのために取り組んでいる薬剤供給品をそのボストンの消費者のような個人の摂取事象にリンクさせてもよい。これは、強化的好循環を作り出すことになり、ボストンの消費者は、製薬会社のＨＩＶ薬剤への順守を増加および持続させ、製薬会社は、そのグローバルＨＩＶ薬剤アクセスプログラムに対するさらなる認知を獲得し、それに対するその一次市場における功績を達成し、消費者および製薬会社は、新しいＨＩＶ薬／メドマッチブランドに基づく、相互との新しい肯定的関係を作り出し、その関係は、ＨＩＶ薬自体に関する特許の満了等を越えて、永続的であり得る。
【００２１】
さらに、メドマッチ方法論に基づく消費者／製薬会社関係の性質は、独特かつ価値があるものであって、消費者が、製薬会社によって操作、過剰請求、および制御されていると感じ得る、直販（ＤＴＣ）広告から生まれる現状の認識とは対照的に、ここでは、消費者が、製薬会社に指示し、制御していると認識し得る。
【００２２】
加えて、メドマッチは、グローバル健康戦略を支援するための真のグローバル健康基盤を有することが可能になるよりも遥かに進んで本戦略を有することを可能にし得る。譲受人Ｐｒｏｔｅｕｓ  Ｂｉｏｍｅｄｉｃａｌ，  Ｉｎｃ．，（Ｒｅｄｗｏｏｄ  Ｃｉｔｙ，  ＣＡ，  ＵＳＡ）等の小企業は、そのような企業が、それらの場所において商業的運営を有することが可能となる前であっても、ケニア、中国、およびインド等の国々におけるグローバル健康ニーズへの実行可能な影響力および貢献を有し得る。
【００２３】
さらに、メドマッチは、教会グループまたは専門組織等の寄付者自身のコミュニティへの寄付の返還を促進し、例えば、トラックドライバ達が、相互に支援してもよい。
【００２４】
メドマッチはさらに、消費者および製品製造業者が、個人的摂取決定および薬剤寄付とソーシャル活動との間のつながりに基づいて、オンラインソーシャルコミュニティを作り出すことを可能にしてもよい。個人参加者および受容者をグループに編成することは、編成によって、個人の行為の影響の認識を増加させるため、動機を高め得る。例えば、ウェブサイトは、ボストンの患者の個人的影響およびメドマッチプログラム内の他のＨＩＶ＋患者のコミュニティが行った累積的貢献の両方を示してもよい。そのようなソーシャルコミュニティは、ボストンの患者のような個人に及ぼすさらなる強化影響をもたらし得る。本集団力学を通して、支援および行動は、順守への挙動変化のための別の推進力となり、大きなコミュニティが活動に及ぼし得る累積的影響は、任意の個人が自身で行うことができるものを上回る刺激的なものとなる。
【００２５】
メドマッチは、個人をその自身の病状と関連する単一活動と関連付ける必要はなく、または健康関連活動とさえ、全く関連付ける必要はない。すなわち、製品製造業者または消費者自身が、個人が、その個人的摂取にマッチさせるように選択することができる、複数の活動および社会的関心事を作り出すことができる。個人は、例えば、その寄付の一部をある活動（例えば、ケニアにおけるＨＩＶ活動、摂取毎に、例えば、１つの薬を寄付する）に、一部を別の活動（例えば、サンフランシスコにおける子供の識字率活動、例えば、オンライン活動コミュニティによる１００摂取毎に、１冊の本を寄付する）に配分するように決定してもよい。当業者は、活動の数およびそれらの活動を可能にするためのメドマッチの使用が、多数かつ様々であって、（ａ）患者が、そのステップ計数目標を満たす場合、一足の靴が、援助を必要としている誰かに寄付される、または寄付が、地雷によって脚を失った人の支援に当てられる、（ｂ）患者が、その睡眠持続時間目標を満たす場合、寄付が、住宅プロジェクトに当てられ、援助を必要としている誰かが、安全な場所で眠ることを可能にするであろう、（ｃ）糖尿病患者が、その栄養または減量目標を満たす場合、食料が、援助を必要としている人々に寄付され得る（「１ポンド減量毎に、１ポンドの食料が寄付される」）、および（ｄ）他のそのようなつながり等の個人およびそのオンラインソーシャルグループのための意味および動機を作り出すことに留意できる。
【００２６】
メドマッチはさらに、オンラインソーシャルコミュニティを拡張し、寄付を行う個人またはグループを寄付を受ける個人またはグループにリンクさせてもよい。本態様では、患者の動機は、患者および寄付受容者が、その個別の疾患、状況、および生活に関する話および観察を共有する能力によって作り出される。本社会的つながりは、静的であってもよく、例えば、ボストンの患者は、ナイロビの患者に関する経歴および身の上話を読むことが可能であって、同様に、動的および双方向的であってもよく、例えば、ボストンおよびナイロビの患者は、Ｔｗｉｔｔｅｒ、Ｆａｃｅｂｏｏｋ等の種々のソーシャルメディアおよびネットワークを介して、最新情報とともに、継続的対話を有する。
【００２７】
メドマッチはさらに、患者であるが、デバイス対応薬剤に基づいていない、または全く患者ですらない、消費者が、参加することを可能にしてもよい。種々の態様では、本システムおよび／または方法は、（１）それ自体摂取される、（２）患者による摂取を知らせるためのデバイス対応ではない、薬剤と同時に摂取される、（３）患者または任意の他の消費者によって、随時摂取される等の種々の状況下において、任意の個人によって摂取することができる、デバイス対応偽薬またはビタミン錠剤を含んでもよい。
【００２８】
例えば、ボストンの患者の医師が、副作用およびウイルス抵抗問題のため、異なるＨＩＶ薬剤に切り替え、その薬剤は、摂取を知らせるためのデバイス対応ではない。ボストンの患者は、メドマッチプログラムへの強いつながりを感じており、彼の順守が作り出している社会的貢献を確信するようになっている。薬剤師が、ナイロビの寄付プログラムへの参加を継続することを可能にする、薬剤を伴わないメドマッチ錠剤、例えば、デバイス対応偽薬が存在することを告げると、彼は、喜ぶ。彼の以前の薬剤を製造していた製薬会社もまた、ボストンの患者とのその関係を継続可能である一方、経時的に彼にとって好適となるであろうその製品ラインナップのための他のデバイス対応薬剤を開発または入手することになるであろうため、喜ぶ。
【００２９】
別の実施例は、資金調達または支援イベントのためにメドマッチを使用することに関心がある、非患者消費者または支持グループである。癌協会のための資金調達グループは、例えば、その毎年恒例のサイクリングレースによる慈善活動のための資金調達イベントをメドマッチにリンクさせてもよく、参加者は全員、システムを使用しながら、レースまでの数ヶ月間、トレーニングを行い、レース終了後、使用を終了する。本実施例では、資金調達活動参加者２，０００人が、毎日のトレーニングアクティビティを行い、偽薬摂取は全て、慈善活動のための資金を調達する、マッチングギフト提供にリンクされてもよい。第３の実施例では、家族介護者は、その家族が、その薬剤を服用する必要がある昼間の間、デバイス対応偽薬を同時に服用することにより、「マッチする」その薬物順守によって、慢性的病気に患う家族の支援を示す。本態様は、家族の支援を作り出し、また、家族が、その活動のためのその累積的支援を把握することができるように、家族の取り組みを彼らが選択したメドマッチ活動にリンクさせる。
【００３０】
さらに、製品製造業者は、利他的要素をその製品販促プログラムに含むことによって、支払者と多数のより好ましい契約を締結可能であってもよい。利他的行為は、支払者集団の他のメンバーに適用されてもよく、例えば、メンバーが、処方ガイドライン毎に摂取する場合、別のメンバーが、共同支払によって支援を得てもよく、または支払者本人が、割引を得る。
【００３１】
種々の態様では、システムおよび方法は、種々の事象、例えば、個人による過剰使用、つまりその薬剤の処方量を上回って服用することによって、「より貢献」しようとし得るような可能性として考えられる状況には、寄付受諾者への寄付薬剤の停止をもたらす、寄付者による薬剤利用の突然の停止等の発生に対して保護する、および／またはそれに応じて、所定の保護措置を講じる、設計規定を有する。
【００３２】
保護措置の一実施例では、寄付のマッチは、個人が処方された用量を服用する場合のみ生じ、多くても、少なくてもいけない。種々の態様では、本チェックは、処方された薬剤の投薬量および頻度を示す記憶されたデータを、各送達事象時の用量、服用時間、投薬タイプを通信する、処方された薬剤、例えば、デバイス対応薬、注射器、吸引器等と関連付けられたデバイスによって通信される、健康増進データと比較することによって、ソフトウェア／プロセッサによって、自動で行われてもよい。別の実施例では、独立した第三者が、製品製造業者の代わりに、メドマッチ寄付プログラムを管理してもよい。さらに別の実施例では、本システム／方法は、自動的に、停止事象を監視し、所定の行為が行われる、例えば、寄付受諾者の薬剤供給が、製薬会社の代わりに、中断されず継続している、寄付受諾者が、新しい寄付者とマッチされる、寄付受諾者の医師は、電子メール、インスタントメッセージ等によって通知されることを確実にする。
【００３３】
システム
次に、図１を参照すると、挙動変化を助長するためのシステム１００の概略が示される。システム１００は、デバイスから／へ生成および／または通信される健康増進データ１０２と、健康増進データ１０２と関連付けられた少なくとも１つの挙動変化方法論を識別するために、ソフトウェア／プロセッサと関連付けられた方法論モジュール１０４と、識別された少なくとも１つの挙動変化方法論を始動するために、ソフトウェア／プロセッサと関連付けられた命令モジュール１０６とを有する。随意に、および種々の態様では、システム１００は、健康増進データ１０２、挙動変化方法論、挙動変化方法論の始動等を追跡する、および／またはそれと関連付けられたフィードバックを提供する追跡／フィードバックモジュール１０８を有する。随意に、種々の態様では、システム１００は、予防措置または他の措置を始動する予防措置モジュール１１０を有する。
【００３４】
例えば、図２および２ａを参照すると、それぞれ、図１の挙動変化を助長するためのシステム１００のシステム動作およびメドマッチ方法論のある概念的利用が示される。前述のメドマッチ方法論の説明を引き続き参照すると、ボストンの患者２００は、摂取の時間および患者識別情報等の健康増進データ１０２を患者の検出器デバイス（図示せず）に通信する、デバイス対応薬剤（図示せず）を摂取する。検出器デバイスは、例えば、身体上の接着型通信パッチ（図示せず）として実装されてもよい。本実施例では、検出器デバイスはまた、生理学的データ、例えば、心拍、心拍変動、安息角等の健康増進データを収集する。
【００３５】
検出器デバイスは、方法論モジュール１０４、命令モジュール１０６、およびデータベース２０４を含む、第１のサーバ２０２として本明細書では示される、ハブへの順方向通信のために、組み合わせられた健康増進データ１０２を患者の携帯電話に転送する。
【００３６】
種々の態様は、サーバ２０２、または他のそのようなハブデバイスを含む。本明細書で使用されるように、ハブという用語は、概して、健康増進データ１０２を通信するように機能する、任意のハードウェアデバイス、ソフトウェア、および／または通信構成要素、ならびにシステム、サブシステム、およびそれらの組み合わせを含む。健康増進データ１０２の通信は、健康増進データ１０２の受信、記憶、操作、表示、処理、および／または伝送を含む。種々の態様では、ハブはまた、非健康増進データを通信する、例えば、受信および伝送するように機能する。ハブの広範な分類として、例えば、基地局、個人的通信デバイス、および携帯電話が挙げられる。ハブおよび他のデバイスの実施例は、２００９年７月２日出願の米国特許出願第１２／５２２，２４９号であって、２０１１年１月１３日に米国公開第２０１１／０００９７１５号として公開された「ＩＮＧＥＳＴＩＢＬＥ  ＥＶＥＮＴ  ＭＡＲＫＥＲ  ＤＡＴＡ  ＦＲＡＭＥＷＯＲＫ」（以下参照）に論じられている。
【００３７】
方法論モジュール１０４は、ボストンの患者２００のための識別子を含む、健康増進データ１０２を処理する。着目すべきは、健康増進データ１０２、方法論モジュール１０４、および／または他のシステム構成要素は、氏名等の個人的識別子、割り当てられた番号等の匿名識別子、または健康増進データ１０２が、１つ以上の方法論と関連付けられているかどうかを判定するための他の識別子等を使用してもよい。方法論モジュール１０４は、識別子を使用して、データベース２０３内に記憶された情報と比較し、ボストンの患者２００が、１つ以上の方法論の参加者であるかどうかを判定してもよい。本実施例では、方法論モジュール１０４は、健康増進データ１０２を処理し、ボストンの患者２０２と関連付けられ、慈善事業への寄付プログラムとして、メドマッチを選択した参加者として、データを識別する。
【００３８】
命令モジュール１０６は、第２のサーバ２０４として本明細書では示される、データシステム上において、プログラム２０６を始動し、ナイロビの患者２０８への薬剤の寄付を促進する。プログラム２０６は、例えば、方法論、例えば、寄付を執行するために必要な１つ以上の機能を提供する、１つ以上のソフトウェアアプリケーションであってもよい。例えば、メドマッチソフトウェアアプリケーションは、システムの１つ以上のネットワーク、システム、システム構成要素、および／またはデバイスと相互作用し、受容者への寄与に関する更新、例えば、受容者の識別、薬剤のタイプ、受容者への送達の日付および方法、薬剤を提供する薬局２１０、受容者のための投薬命令、寄付に対する製造業者／寄付者の責任等に関する情報を提供してもよい。
【００３９】
種々の態様では、１つ以上のハブは、直接または間接的に、健康増進データ１０２を、単独でまたは他のデータと組み合わせて、１つ以上のデータシステムに記憶、操作、および／または転送する。データシステムは、概して、健康増進データ１０２に関連するサービスまたはアクティビティを提供するように機能する、任意のハードウェアデバイス、ソフトウェア、および／または通信構成要素、ならびに、システムおよびそのサブシステム、例えば、メドマッチソフトウェアアプリケーションのための命令を提供する、プログラム２０６を含む。
【００４０】
実施例はさらに、追跡／フィードバックモジュール１０８および予防措置モジュール１１０を有する、第３のサーバ２１２を含む。独立してまたは相互に動作可能に作用することによって、追跡／フィードバックモジュール１０８および予防措置モジュール１１０は、任意の１つ以上の種々の源、例えば、患者の携帯電話、方法論モジュール１０４、命令モジュール１０６、プログラム２０６、薬局システム２１０、および／または他の源からデータを受信する。
【００４１】
追跡／フィードバックモジュール１０８は、個人寄付者、寄付者のグループ、寄付される活動等に関するデータを受信、収集等を行い、１つ以上の方法論に関連するフィードバックを、種々の利害関係者、例えば、寄付者、製造業者、および受容者と関連付けられたネットワーク、コンピュータ、デバイス等に提供する。
【００４２】
予防措置モジュール１１０は、システムの使用に関連する、境界条件、事象等に関するデータの受信、監視、処理等を行う。そのようなデータの分類の１つは、過剰摂取、摂取不足、不適切な投薬時間等を回避するための処方された薬剤の適切な摂取の監視である。例えば、健康増進データ１０２は、特定の薬剤のタイプおよび投薬頻度に関する情報を含んでもよい。予防措置モジュール１１０は、そのようなデータを、ボストンの患者２００およびナイロビの患者２０８のための投薬量命令を有する、データベース２０３内に記憶されたデータと比較してもよい。相違の識別に応じて、予防措置モジュールは、適切なアラート、通信等を、患者、医療介護提供者、薬局２１０等に生成し、投薬が、処方された計画の順守に戻るように、または計画内に留まるように確実にしてもよい。
【００４３】
健康増進データ１０２は、個人の健康の増進、維持、確立、改善等に関連する、あらゆる、かつ全てのデータを含む。健康増進データ１０２は、明示的に、機械互換性、例えば、有形機械または機械構成要素によって生成される、読み取られる、そこに書き込まれる、その上またはその中に記憶される、そこからあるいはそこへ通信される、および／またはそれによって処理されることが可能であるデータ、例えば、自動化可能データを含む。機械および機械構成要素の実施例として、現在公知である、または将来的に提供され得るようなコンピュータのネットワーク、コンピュータ、記憶媒体、通信デバイス、処理デバイス、回路等が挙げられる。データコンテンツの実施例として、ユーザ識別と、製品、例えば、薬剤、偽薬、ビタミン、食品等のタイプ、製造業者、量、時間、および送達モードとが挙げられる。送達モードの実施例として、摂取、注射、吸引、注入、経皮、挿入等が挙げられる。健康増進データ１０２を生成するデバイスの実施例として、摂取可能デバイス、インテリジェント注射器、インテリジェントＩＶバッグ、インテリジェント吸引器、インテリジェント注入器およびカテーテル、データ受信機および検出器、例えば、個人的健康管理アプリケーション、スマートパッケージング、メモリおよびリマインダツール、血圧計カフ、体重計、血糖計、運動ツールおよびデバイス、食習慣追跡装置、医療および病院デバイス、および他の健康増進デバイスが挙げられる。スマート注射器および注射事象の実施例として、例えば、２０１０年２月１２日出願の米国特許出願第１２／６７３，３２６号であって、２０１２年２月１４日に米国特許第８，１１４，０２１号として公開された「ＢＯＤＹ−ＡＳＳＯＣＩＡＴＥＤ  ＲＥＣＥＩＶＥＲ  ＡＮＤ  ＭＥＴＨＯＤ」、（以下参照）に論じられているものが挙げられる。インテリジェント吸引器および吸引事象の実施例としては、２０１０年８月１３日出願の米国仮特許出願第６１／３７３，８０３号「ＳＹＳＴＥＭ  ＡＮＤ  ＭＥＴＨＯＤ  ＦＯＲ  ＤＥＬＩＶＥＲＹ  ＡＮＤ  ＤＥＴＥＣＴＩＯＮ  ＯＦ  ＡＮ  ＩＮＨＡＬＡＢＬＥ  ＤＯＳＥ」、（以下参照）に論じられているものが挙げられる。本明細書で使用されるように、用語「健康増進デバイス」とは、１つ以上の健康関連パラメータ、例えば、心拍、心拍変動、安息角、加速度計データ、摂取事象、注射事象、吸引事象、注入事象、薬物デポー放出事象等の精密な測定が可能な任意のデバイス、構成要素等を意味する。これは、患者が入力した測定の推定値、患者によって記録されるような事象等のより主観的な導出データとは対照的である。
【００４４】
種々の態様は、非薬剤および薬剤様医療デバイスならびに監視製品に拡張し、医療、健康、および健全性関連計画への順守は、個人的決定または選択を利他的目標および関連付けられた寄付、支援の表明等にリンクさせることができる。例えば、補聴器、歩数計、体重計、血圧計カフ、血糖測定器等の装着および／または使用は全て、メドマッチを有効にし得る。すなわち、個人的決定、選択、および生理学的状態、例えば、心拍、睡眠、アクティビティ、呼吸、食事、および分子パラメータ、例えば、血糖、コレステロール、クレアチニン等の感知されたパラメータの任意のセンサ対応測定が、メドマッチにリンクされてもよい。別の実施例は、メドマッチを有効にする、食料消費およびカロリー摂取の任意の査定であって、標的目標（低カロリー摂取等）が、メドマッチプロセスを推進する。別の実施例は、禁煙であって、煙草または消費されている関連製品の減少を実証するデバイスが、メドマッチを有効にし、個人によって消費されていない各製品に対して、寄付を行う。
【００４５】
前述のデバイスの実施例として、以下に説明されるものが挙げられるが、それらに限定されない。
２００８年６月２３日出願の米国特許出願第１１／９１２，４７５号であって、２００８年１１月２０日に米国公開第２００８／０２８４５９９号として公開された「ＰＨＡＲＭＡ−ＩＮＦＯＲＭＡＴＩＣＳ  ＳＹＳＴＥＭ」、２００９年３月１３日出願の米国特許出願第１２／４０４，１８４号であって、２００９年９月１０日に米国公開第２００９／０２２７４０４として公開された「ＰＨＡＲＭＡ−ＩＮＦＯＲＭＡＴＩＣＳ  ＳＹＳＴＥＭ」、２００９年７月２日出願の米国特許出願第１２／５２２，２４９号であって、米国公開第２０１１／０００９７１５号として公開された「ＩＮＧＥＳＴＩＢＬＥ  ＥＶＥＮＴ  ＭＡＲＫＥＲ  ＤＡＴＡ  ＦＲＡＭＥＷＯＲＫ」、２０１０年５月５日出願の米国特許出願第１２／７４１，５８３号であって、２０１２年１月１９日に米国公開第２０１２／００１１６９９号として公開された「ＨＩＧＨ−ＴＨＲＯＵＧＨＰＵＴ  ＰＲＯＤＵＣＴＩＯＮ  ＯＦ  ＩＮＧＥＳＴＩＢＬＥ  ＥＶＥＮＴ  ＭＡＲＫＥＲＳ」、２０１０年５月１０日出願のＰＣＴ特許出願第ＰＣＴ／ＵＳ１０／３４１８６号であって、２０１０年１１月１８日に国際公開第２０１０／１３２，３３１号として公開された「ＩＮＧＥＳＴＩＢＬＥ  ＥＶＥＮＴ  ＭＡＲＫＥＲＳ  ＣＯＭＰＲＩＳＩＮＧ  ＡＮ  ＩＤＥＮＴＩＦＩＥＲ  ＡＮＤ  ＡＮ  ＩＮＧＥＳＴＩＢＬＥ  ＣＯＭＰＯＮＥＮＴ」、２００８年９月２５日出願の米国特許出願第１２／２３８，３４５号であって、２００９年３月２６日に米国公開第２００９／００８２６４５号として公開された「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」、２０１０年４月２７日出願の米国特許出願第１２／７４４，６４２号であって、２０１１年３月３日に米国公開第２０１１／００５４２６５号として公開された「ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ  ＭＥＴＨＯＤＳ  ＯＦ  ＵＳＩＮＧ  ＳＡＭＥ」、２００８年９月２５日出願の米国特許出願第１２／２３８，３４５号であって、２００９年３月２６日に米国公開第２００９／００８２６４５号として公開された「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」、２００９年９月２１日出願の米国特許出願第１２／５６４，０１７号であって、２０１１年７月１２日に米国特許第７，９７８，０６４号として公開された「ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ」、２０１０年２月１２日出願の米国特許出願第１２／６７３，３２６号であって、２０１２年２月１４日に米国特許第８，１１４，０２１号として公開された「ＢＯＤＹ−ＡＳＳＯＣＩＡＴＥＤ  ＲＥＣＥＩＶＥＲ  ＡＮＤ  ＭＥＴＨＯＤ」、ＰＣＴ出願第ＰＣＴ／ＵＳ２００７／０８２５６３号であって、２００８年５月２日に国際公開第２００８／０５２，１３６号として公開された「ＣＯＮＴＲＯＬＬＥＤ  ＡＣＴＩＶＡＴＩＯＮ  ＩＮＧＥＳＴＩＢＬＥ  ＩＤＥＮＴＩＦＩＥＲ」、ＰＣＴ出願第ＰＣＴ／ＵＳ２００７／０２４２２５号であって、２００８年５月２９日に国際公開第２００８���０６３，６２６号として公開された「ＡＣＴＩＶＥ  ＳＩＧＮＡＬ  ＰＲＯＣＥＳＳＩＮＧ  ＰＥＲＳＯＮＡＬ  ＨＥＡＬＴＨ  ＳＩＧＮＡＬ  ＲＥＣＥＩＶＥＲＳ」、ＰＣＴ出願第ＰＣＴ／ＵＳ２００７／０２２２５７号であって、２００８年６月５日に国際公開第２００８／０６６，６１７号として公開された「ＬＯＷ  ＶＯＬＴＡＧＥ  ＯＳＣＩＬＬＡＴＯＲ  ＦＯＲ  ＭＥＤＩＣＡＬ  ＤＥＶＩＣＥＳ」、ＰＣＴ出願第ＰＣＴ／ＵＳ２００８／０５２８４５号であって、２００８年８月７日に国際公開第２００８／０９５，１８３号として公開された「ＩＮＧＥＳＴＩＢＬＥ  ＥＶＥＮＴ  ＭＡＲＫＥＲ  ＳＹＳＴＥＭＳ」、ＰＣＴ出願第ＰＣＴ／ＵＳ２００８／０５３９９９号であって、２００８年８月２１日に国際公開第２００８／１０１，１０７号として公開された「ＩＮ−ＢＯＤＹ  ＰＯＷＥＲ  ＳＯＵＲＣＥ  ＨＡＶＩＮＧ  ＨＩＧＨ  ＳＵＲＦＡＣＥ  ＡＲＥＡ  ＥＬＥＣＴＲＯＤＥ」、ＰＣＴ出願第ＰＣＴ／ＵＳ２００８／０５６２９６号であって、２００８年９月１８日に国際公開第２００８／１１２，５７７号として公開された「ＩＮ−ＢＯＤＹ  ＰＯＷＥＲ  ＳＯＵＲＣＥ  ＨＡＶＩＮＧ  ＭＵＬＴＩＤＩＲＥＣＴＩＯＮＡＬ  ＴＲＡＮＳＭＩＴＴＥＲ」、ＰＣＴ出願第ＰＣＴ／ＵＳ２００８／０５６２９９号「ＩＮ−ＢＯＤＹ  ＰＯＷＥＲ  ＳＯＵＲＣＥ  ＨＡＶＩＮＧ  ＤＥＰＯＬＹＡＢＬＥ  ＡＮＴＥＮＮＡ」、および、ＰＣＴ出願第ＰＣＴ／ＵＳ２００８／０７７７５３号であって、２００９年４月２日に国際公開第２００９／０４２，８１２号として公開された「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」（その出願の開示は、参照することによって本明細書に組み込まれる）、２００６年４月２８日出願の米国特許出願第１１／９１２，４７５号であって、２００８年１１月２０日に公開番号第２００８／０２８４５９９号として公開された「ＰＨＡＲＭＡ−ＩＮＦＯＲＭＡＴＩＣＳ  ＳＹＳＴＥＭ」、２００９年７月２日出願の米国特許出願第１２／５２２，２４９号であって、２０１１年１月１３日に米国公開第２０１１／０００９７１５号として公開された「ＩＮＧＥＳＴＩＢＬＥ  ＥＶＥＮＴ  ＭＡＲＫＥＲ  ＤＡＴＡ  ＦＲＡＭＥＷＯＲＫ」、２００９年１月６日出願の米国特許出願第１２／３４９，４５３号であって、米国公開第２００９／０１１８５９４号として公開された「ＳＭＡＲＴ  ＰＡＲＥＮＴＥＲＡＬ  ＡＤＭＩＮＩＳＴＲＡＴＩＯＮ  ＳＹＳＴＥＭ」、２００７年７月１１日出願の米国特許出願第１２／７７６，４８０号であって、米国公開第２０１１／００６３９５７号として公開された「ＡＣＯＵＳＴＩＣ  ＰＨＡＲＭＡ−ＩＮＦＯＲＭＡＴＩＣＳ  ＳＹＳＴＥＭ」、および２０１０年８月１３日出願の米国仮特許出願第６１／３７３，８０３号「ＳＹＳＴＥＭ  ＡＮＤ  ＭＥＴＨＯＤ  ＦＯＲ  ＤＥＬＩＶＥＲＹ  ＡＮＤ  ＤＥＴＥＣＴＩＯＮ  ＯＦ  ＡＮ  ＩＮＨＡＬＡＢＬＥ  ＤＯＳＥ」。上述のものはそれぞれ、参照よりその全体が組み込まれる。
【００４６】
方法論モジュール１０４および命令モジュール１０６は、モジュールが、本明細書に説明される機能を遂行可能である限り、単独で、他のモジュールまたは複数のデバイスと一体化されて等にかかわらず、ソフトウェア、ハードウェア、ファームウェア、または前述の組み合わせの任意の実装を含む。モジュールの一方または両方は、構成要素、デバイス、コンピュータ、ネットワーク、または通信デバイスのネットワーク等と関連付けられてもよく、例えば、その上に常駐する、それによって実行可能である、それによって表示可能である等であり得る。
【００４７】
挙動変化方法論は、多くのかつ様々な方法論を含む。図示されるメドマッチ方法論に加え、実施例として、実現可能範囲内におけるレース方法論、デスクトップウィジェット／アバター選択方法論、家族的責任方法論、仮想邸宅方法論、日々変わる孵化方法論、フィティマルズ方法論、楽しい比較方法論、勝利への執着方法論、羞恥ゲーム方法論、誓約マッチ方法論、友人からの援助方法論、愛情バズ音方法論、パッチアラート方法論、完了！バズ音方法論、プラグ方法論、実患者プロファイル方法論、心的状態の掘り下げ方法論、心臓適合方法論、スイマーパッチ方法論、小ステップ大結果方法論、健康的な食事への取り組み方法論、およびマッチ方法論が挙げられる。前述の非包括的リストは、その限定としてではなく、システムの多様性および多用途性のうちのいくつかの例証として提供される。各方法論はそれぞれ、以下に詳細に説明される。
【００４８】
実現可能範囲内におけるレース方法論
図３に概念的に図示されるような実現可能範囲内におけるレース方法論は、種々の編成されたフィットネスイベントへの参加の提案によって、ユーザに働きかけることによって、挙動変化を助長し得る。ユーザのフィットネスが改善するにつれて、システムは、その能力に適切なフィットネスイベントを提案し、イベントが近づくにつれて、トレーニング指導を提供する。加えて類似能力レベルにおける同一のイベントのためにトレーニングしている他の人々も、グループトレーニングまたは支援のために結び付けられることができる。ユーザの方向性に新しいフィットネスアクティビティを設けることによって、フィットネスへの注意を引き、能力に従ってマッチされた参加者のグループを結び付けることによって、さらに強化される。
【００４９】
実装の実施例として、参加者が、その能力（健康増進データ１０２）に関する情報を方法論モジュール１０４と関連付けられたウェブサイトに提供することが挙げられる。方法論モジュール１０４は、健康増進データ１０２を処理し、対応する実現可能範囲内におけるレース方法論を識別してもよい。命令モジュール１０６は、命令を始動させ、それによって、プログラムおよび関連付けられたシステムは、参加者の能力を分析し、分析された能力に基づいて、フィットネスイベントおよび同等物を選択し、ユーザによってアクセス可能なイベント情報を作成する、例えば、ディスプレイデバイス上に、結果、更新等を表示してもよい。
【００５０】
デスクトップウィジェット／アバター選択方法論
図４に概念的に図示されるようなデスクトップウィジェット／アバター選択方法論は、運動プログラム、薬剤計画、睡眠スケジュール、または複合要素へのその順守に基づいて、家族の各メンバーの状態の仮想表現を提供し、そのスマートフォンまたはコンピュータデスクトップ等に表示してもよい。ユーザは、その状態を表すために所望するアバターを選択し、変化するにつれて（運動、順守等に伴って）、アバターは、変形し、本変化を視覚的に反映する。アバターは、見えない状態および変化の視覚的精神モデルを作り出し得る。ユーザに意味があるアバターの選択能力は、関連性を作り出す。
【００５１】
実装の実施例として、参加者が、ソフトウェアアプリケーションによって表示されるアバターを選択することが挙げられる。運動、順守等（健康増進データ１０２）に関する選択されたアバターおよび対応する参加者情報は、方法論モジュール１０４と関連付けられたウェブサイトに通信される。方法論モジュール１０４は、健康増進データ１０２を処理し、対応するデスクトップウィジェット／アバター選択方法論を識別してもよい。命令モジュール１０６は、命令を始動し、それによって、プログラムおよび関連付けられたシステムは、状態変化を分析し、適宜、アバターが変形するように更新してもよい。
【００５２】
家族的責任方法論
図５に概念的に図示されるような家族的責任方法論は、運動プログラム、薬剤計画、睡眠スケジュール、複合要素等へのその順守に基づいて、家族の各メンバーの状態の仮想表現を提供し、例えば、そのスマートフォンまたはコンピュータデスクトップ上に表示される。家族の各メンバーは、例えば、その自身のアバターによって表され、全て、共通テーマ（ガレージ内の複数の車等）によってリンクされる。アバターは、視覚的に変形し、運動、順守等における変化を反映し、参加している全員が、他者のアバターを見ることができる。相互のアバターの可視性は、順守を動機付ける、強固な社会的強化要素を提供する。
【００５３】
ゲーム様の進行は、関心を維持させ、順守のさらに別の理由となり、新しい挙動標準を確立する。
【００５４】
実装の実施例として、例えば、ソフトウェアアプリケーションによって表示されるように、それぞれ、共通のテーマを反映する、アバターの選択と、薬剤計画データ（健康増進データ１０２）の生成とが挙げられる。選択されたアバターおよび対応する健康増進データ１０２は、方法論モジュール１０４と関連付けられたウェブサイトに通信される。方法論モジュール１０４は、健康増進データ１０２を処理し、対応する家族的責任方法論を識別してもよい。命令モジュール１０６は、命令を始動し、それによって、プログラムおよび関連付けられたシステムは、ゲームアプリケーション等を生成し、選択されたアバターの視覚的変化によって、相対的順守、進行等の表現を表示してもよい。
【００５５】
仮想邸宅方法論
図６に概念的に図示されるような仮想邸宅方法論は、人々のグループのオンライン仮想表現であって、各人が、オンライン仮想邸宅内のオブジェクトによって表される。例えば、運動、順守等を通して、各人の状態が変化するにつれて、その選択されたオブジェクトは、変形し、豪華さ、清潔さ等の程度を増減することによって、実生活の変化を反映する。邸宅の他のメンバーを支援しようと援助することによって、邸宅自体が、新しい特徴を得る、または仮想近隣における他の邸宅と競合してもよい。いくつかのアバターを１つのコミュニティに入れることによって、「その役割を果たし」、コミュニティの健康を維持および改善しようと、メンバーの責任感が増す。コミュニティ間の競合もさらに、順守を倍増させる。
【００５６】
実装の実施例として、健康増進データ１０２の生成が挙げられる。健康増進データ１０２は、方法論モジュール１０４と関連付けられたウェブサイトに通信される。方法論モジュール１０４は、健康増進データ１０２を処理し、対応する仮想邸宅方法論を識別してもよい。命令モジュール１０６は、命令を始動し、それによって、プログラムおよび関連付けられたシステムは、人々が、邸宅属性および仮想邸宅に関する他の印を選択するためのソフトウェア選択肢を生成する。ソフトウェアプログラムはさらに、健康増進データ１０２更新を邸宅属性に対する所定の相対的変化と相関させ、そのような変化を表示してもよい。
【００５７】
日々変わる孵化方法論
図７に概念的に図示されるような日々変わる孵化方法論は、子供（または、その他）にとって魅力となるものを生成し、その薬剤と関与させるアプリケーション、例えば、コンピュータまたはスマートフォンアプリケーションを提供する。アプリケーションは、子供がその薬剤を服用すると、楽しい結果を示す。結果として、例えば、卵から孵化した恐竜、貝殻の開放等を表示してもよい。どの動物が出現するかに関する予測は、楽しくない投薬の瞬間から楽しい遊びに焦点を移行させる。
【００５８】
実装の実施例として、薬剤送達事象、すなわち、健康増進データ１０２の生成が挙げられる。健康増進データ１０２は、方法論モジュール１０４と関連付けられたウェブサイトに通信される。方法論モジュール１０４は、健康増進データ１０２を処理し、対応する日々変わる孵化方法論を識別してもよい。命令モジュール１０６は、命令を始動し、それによって、プログラムおよび関連付けられたシステムは、所定の健康増進事象を識別し、事象に対するソフトウェア出力、例えば、恐竜の孵化の表示を生成してもよい。
【００５９】
フィティマルズ（ＦＩＴＩＭＡＬＳ）方法論
図８に概念的に図示されるようなフィティマルズ方法論は、実世界のログ付けされた事象を反映し、それに応答して、仮想ゲームの世界を提供する。フィットネス、薬剤順守等の実世界の行為が、仮想登場人物の能力を構築し、物語を通して、それらを進歩させる。従事する仮想世界における登場人物の能力およびパワーを実生活の行為に結び付けることは、実世界において、より良い選択をするための新しい誘因を提供する。
【００６０】
同様に、本方法論は、「ゲームフィット（ｇａｍｅｆｉｔ）」モデルを含んでもよい。ゲームフィット方法論は、例えば、ユーザを魅了し、楽しませるゲームを含んでもよい。いくつかの態様では、ゲームは、ユーザに報酬を与え続ける、ユーザの進歩を示す、ユーザがゲームに深く関与することを可能にする。ユーザに困難なときを経験させるために、例えば、ゲームフィット方法論は、ユーザが継続するために、挑戦させ続け、ユーザが他者と相互作用するための新しい方法を提供する。
【００６１】
実装の実施例として、健康増進データ１０２の生成が挙げられる。健康増進データ１０２は、方法論モジュール１０４と関連付けられたウェブサイトに通信される。方法論モジュール１０４は、健康増進データ１０２を処理し、対応するフィティマルズ方法論を識別してもよい。命令モジュール１０６は、命令を始動し、それによって、プログラムおよび関連付けられたシステムは、所定の健康増進事象を識別し、仮想登場人物の能力を生成および構築し、所定の物語と併せて、登場人物を表示してもよい。
【００６２】
楽しい比較方法論
図９に概念的に図示されるような楽しい比較方法論は、ポンドおよびキログラムを使用せずに、体重を測定する体重計を提供する。体重は、ゼリービーン、ビリヤードのボール、ブルーベリー等の独特かつ楽しい単位で表示される。減量の試みは、苛々し、ゆっくりなプロセスであって、罪悪感で一杯、かつ失敗の恐れがあり得る。体重測定の瞬間の恐怖は、ユーモアがあって、かつ驚かせるような体重の単位を含むことによって軽減される。加えて、より小さな単位（ゼリービーン等）で助長することによって、より視覚的な体重変化をもたらす。
【００６３】
実装の実施例として、健康増進データ１０２、例えば、個人の体重の生成が挙げられる。健康増進データ１０２は、方法論モジュール１０４と関連付けられたウェブサイトに通信される。方法論モジュール１０４は、健康増進データ１０２を処理し、対応する楽しい比較方法論を識別してもよい。命令モジュール１０６は、命令を始動し、それによって、プログラムおよび関連付けられたシステムは、体重変化等の所定の健康増進事象を識別し、対応する変化をユーモアがあって、驚かせるような単位で生成し、従来の単位、ユーモアがあって、驚かせるような単位、および驚かせるような単位の視覚的印を表示してもよい。
【００６４】
勝利への執着方法論
図１０に概念的に図示されるような勝利への執着方法論は、ユーザが手に入れることができる賞品の形態において、継続的順守のための望ましい誘因を提供する。（薬剤、運動計画等に対する）高レベルの順守は、自身またはその家族の個人的関連分類から、割引および賞品を手に入れる機会の増加によって報酬を受ける。知覚される勝利の機会は、順守を動機付ける。加えて、家族のメンバーによって所望される賞品も、社会的圧力を加え、さらに順守させる。
【００６５】
実装の実施例として、健康増進データ１０２、例えば、薬剤事象データ、運動データ等の生成が挙げられる。健康増進データ１０２は、方法論モジュール１０４と関連付けられたウェブサイトに通信される。方法論モジュール１０４は、健康増進データ１０２を処理し、対応する勝利への執着方法論を識別してもよい。命令モジュール１０６は、命令を始動し、それによって、プログラムおよび関連付けられたシステムは、賞品の資格を与える、所定の健康増進事象を識別し、例えば、授与詳細、授与合計情報、他の家族の授与の更新等を提供することによって、賞品の授与を促進してもよい。
【００６６】
羞恥ゲーム方法論
図１１に概念的に図示されるような羞恥ゲーム方法論は、社会的圧力を使用して、友人のグループまたは家族が、そのフィットネスまたは薬剤順守目標に固執させるのに役立つ、オンラインプログラムを提供する。サインアップすると、全参加者は、他のメンバーに関する恥ずかしい情報をシステムに入力する。参加者は、堕落によって（例えば、警告後）、自らに関する恥ずかしい事実のうちの１つが、ソーシャルウェブサイト、例えば、Ｆａｃｅｂｏｏｋに投稿されるという知識によって、その目標に固執するように示唆される。公衆に恥を曝すことを回避したいという所望は、強力な動機付けとなり得る。
【００６７】
実装の実施例として、健康増進データ１０２、例えば、薬剤事象データ、運動データ等の生成が挙げられる。健康増進データ１０２は、方法論モジュール１０４と関連付けられたウェブサイトに通信される。方法論モジュール１０４は、健康増進データ１０２を処理し、対応する羞恥ゲーム方法論を識別してもよい。命令モジュール１０６は、命令を始動し、それによって、プログラムおよび関連付けられたシステムは、不適合を示す、所定の健康増進事象を識別し、テキスト、電子メール等によって警告を生成し、第２の不適合事象に応じて、以前に記憶した恥ずかしい事実のデータをＦａｃｅｂｏｏｋに投稿してもよい。
【００６８】
誓約マッチ方法論
図１２に概念的に図示されるような誓約マッチ方法論は、個人がそのフィットネスまたは薬剤順守目標に固執するための魅力的ものとして、友人または家族からの誓約金を使用する、支援プログラムを提供する。寄付金は、主要参加者によって選択され、誓約への寄与は、システムを通して行われる。目標期間が経過後、選択された寄付金への実際の寄与が、計算され、種々の手段を介して提供されてもよく、例えば、誓約は、＄０（全て非順守の場合）から誓約額の２倍（全て順守の場合）であってもよい。マッチする資金は、一般的誓約のための共同出資、保険会社の積立金等に由来してもよい。誓約は、遂行の公約をすることになる。その寄付を２倍にする可能性およびその目標の「未達成」の見込みの両方ともさらに、順守を強化する。
【００６９】
実装の実施例として、健康増進データ１０２、例えば、薬剤事象データ、運動データ等の生成が挙げられる。健康増進データ１０２は、方法論モジュール１０４と関連付けられたウェブサイトに通信される。方法論モジュール１０４は、健康増進データ１０２を処理し、対応する誓約マッチ方法論を識別してもよい。命令モジュール１０６は、命令を始動し、それによって、プログラムおよび関連付けられたシステムは、順守および不適合事象を示す、所定の健康増進事象を識別し、所定のルールおよび実際の健康増進データ１０２に基づいて、総寄付を計算し、種々のシステムにおいて、順守および誓約の結果を更新し、既存の誓約プログラムシステムにリンク／通信し、誓約データをそのようなシステムに提供してもよい。
【００７０】
友人からの援助方法論
図１３に概念的に図示されるような友人からの援助方法論は、摂取事象を知らせる摂取可能デバイスを用いて、例えば、薬剤を服用することによって、個人的ネットワークからの支援の関与を促進するシステムを提供する。個人が、支援を必要とする（または、必要とするときがある）場合、ユーザは、薬を飲み込み、テキスト、Ｆａｃｅｂｏｏｋアラート等を通して、その指定されるネットワークに本事実をアラートする。その友人／家族は、次いで、援助、励まし、または共感を提供可能となる。事象マーカを摂取することによる、自動的かつ努力不要の支援ネットワークのアクティブ化は、個人が順守が厳しい状況を乗り越えるのを助け、潜在的に、脱落を防止する。
【００７１】
実装の実施例として、健康増進データ１０２の、例えば、薬剤事象データ生成が挙げられる。健康増進データ１０２は、方法論モジュール１０４と関連付けられたウェブサイトに通信される。方法論モジュール１０４は、健康増進データ１０２を処理し、対応する友人からの援助方法論を識別してもよい。命令モジュール１０６は、命令を始動し、それによって、プログラムおよび関連付けられたシステムは、意味があるアラート、メッセージ等を生成してもよい。
【００７２】
愛情バズ音方法論
図１４に概念的に図示されるような愛情バズ音方法論は、誰かがあなたのことを考えていますというプライベート信号を送る、接着型通信デバイス等の振動対応検出器を提供する。ユーザの近親者は、ユーザのことを考えているという信号として、バズ音を送信可能である。振動パターンの使用を通して、バズ音は、異なる送信者および複数のメッセージ、例えば、モールス信号を示してもよい。バズ音は、近親者からの遠隔抱擁のようなものであって、パッチに対して感情的つながりを作り出す、予想外の瞬間における愛情信号を送信する。
【００７３】
実装の実施例として、健康増進データ１０２、例えば、近親者のデータの生成が挙げられる。健康増進データ１０２は、方法論モジュール１０４と関連付けられたウェブサイトに通信される。方法論モジュール１０４は、健康増進データ１０２を処理し、対応する愛情バズ音方法論を識別してもよい。命令モジュール１０６は、命令を始動し、それによって、プログラムおよび関連付けられたシステムは、受容者の検出器上に振動または他のメッセージ、例えば、点滅灯を生成してもよい。検出器の実施例として、２０１０年２月１２日出願の米国特許出願第１２／６７３，３２６号であって、２０１２年２月１４日に米国特許第８，１１４，０２１号として公開された「ＢＯＤＹ−ＡＳＳＯＣＩＡＴＥＤ  ＲＥＣＥＩＶＥＲ  ＡＮＤ  ＭＥＴＨＯＤ」（上記参照）に論じられているものが挙げられる。
【００７４】
パッチアラート方法論
図１５に概念的に図示されるようなパッチアラート方法論は、振動対応検出器、例えば、接着型パッチを利用して、薬剤の服用を忘れないように、ユーザにプライベートでアラートを送る。パッチは、振動し、ユーザに、その薬剤の服用を忘れたことを理解させる。万一、薬剤から離れている場合、リマインダ機能をリセットすることができる。パッチからのリマインダは、順守の補助に加え、パッチが機能していることの信頼性をもたらし、かつユーザの観点から、単独で、または他の検出器機能性に加え、パッチに意味がある役割を与える。
【００７５】
同様に、「パッチ通信機」方法論は、ユーザにリアルタイムで指導し、パッチの価値を向上させてもよい。本方法論における他の含有として、例えば、短期的成功に基づいて、アラートを生成し、ユーザの行為を強化し、ユーザが思い出すのを援助することが挙げられる。例えば、聴覚的、視覚的、触知的等のパッチ通信は、常に、健康的選択を強化し、ユーザがその挙動を追跡することを可能にし得る。
【００７６】
実装の実施例として、健康増進データ１０２、例えば、スケジュール通りの摂取事象を示すデータの未受信を識別する、摂取事象データと関連付けられたソフトウェアプログラムによって生成されるデータの生成が挙げられる。健康増進データ１０２は、方法論モジュール１０４と関連付けられたウェブサイトに通信される。方法論モジュール１０４は、健康増進データ１０２を処理し、対応するパッチアラート方法論を識別してもよい。命令モジュール１０６は、命令を始動し、それによって、プログラムおよび関連付けられたシステムは、受容者の検出器上に、振動または他のメッセージ、例えば、点滅灯を生成し、ユーザが、投薬が逸失されたかどうかを判定することを所望し得ることを示してもよい。
【００７７】
完了！バズ音方法論
図１６に概念的に図示されるような完了！バズ音方法論は、振動対応検出器、例えば、接着型パッチを提供し、薬剤が飲み込まれたことをユーザにプライベートで確認させる。薬剤の摂取に応じて、システムは、ユーザに、薬剤が登録されたというフィードバックを提供し、技術上の信頼を構築する。薬が登録されたときにバズ音を受信することは、システムが機能していることの確実性に対するユーザの欲求を満たし、パッチにシステムにおける（別の）意味がある役割を与え得る。
【００７８】
実装の実施例として、健康増進データ１０２、例えば、摂取事象データの生成が挙げられる。健康増進データ１０２は、方法論モジュール１０４と関連付けられたプロセッサに通信される。方法論モジュール１０４は、健康増進データ１０２を処理し、対応する完了！バズ音方法論を識別してもよい。命令モジュール１０６は、命令を始動し、それによって、プログラムおよび関連付けられたシステムは、受容者の検出器上に、振動または他のメッセージ、例えば、点滅灯を生成してもよい。
【００７９】
プラグ方法論
図１７に概念的に図示されるようなプラグ方法論は、システムが、電力をトグルし、種々の小型電化製品の利用を監視することを可能にする、スマートコンセントを提供する。ユーザは、電化製品（コーヒーメーカー、ＴＶ、またはビデオゲームシステム等）を選択し、スマートコンセントに接続し、利用閾値を選択する、例えば、１００％順守は、週１０時間のＴＶの時間をもたらす。システムによってログがとられた順守、運動等のレベルは、ユーザが選択された電化製品に費やすことができる時間を判定する。種々の態様では、スマートコンセントはまた、基地局またはハブとして機能してもよい。電子デバイスへのアクセスを防止する、自らが課した「手錠」は、順守への強力な誘因を提供する。これは、非順守の長期的に切り離された影響を現在の結果に変え得る。
【００８０】
実装の実施例として、健康増進データ１０２、例えば、摂取事象データの生成が挙げられる。健康増進データ１０２は、方法論モジュール１０４と関連付けられたハブに通信される。方法論モジュール１０４は、健康増進データ１０２を処理し、対応するプラグ方法論を識別してもよい。命令モジュール１０６は、命令を始動し、それによって、プログラムおよび関連付けられたシステムは、事前に選択された条件に従って、選択された電化製品へのアクセスを監視および制御してもよい。
【００８１】
実患者プロファイル方法論
図１８に概念的に図示されるような実患者プロファイル方法論は、そうでなければ、長期フィードバックループを有する、または全く有していないかも知れない状態に対する、個人の治療／計画へのフィードバックの要素を提供する。現在の行為が、生理機能および順守に基づいて、予想され、ユーザに、ユーザの現在の状況に以前あったある人物の実際の（恐らく、監修されている）プロファイルを示す。落胆させ得る予測に対して、システムは、挙動および代替となる刺激的プロファイルに関する提案を提供する。実患者プロファイルを使用して、個人の将来的健康状態を予測することは、今日の行為と明日の転帰との間の直感的つながりを作り出し、したがって、その作用行為を変化させるためのより説得的な理由となる。
【００８２】
同様に、「実将来」方法論は、ユーザの潜在的将来の疑似体験ビューを与えてもよい。例えば、方法論は、ユーザに、同様の状況にいる人物からの助言に沿って助長することによって、その将来を制御するよう示唆してもよい。このように、ユーザは、客観的データを通して支援および励みとなるものを受信するように仕向けられ、可能性がある軌道変化を示し、ユーザの自信を刺激する。
【００８３】
実装の実施例として、健康増進データ１０２、例えば、疾患状態、治療のレベル、治療の持続時間等の生成が挙げられる。健康増進データ１０２は、方法論モジュール１０４と関連付けられたウェブサイトに通信される。方法論モジュール１０４は、健康増進データ１０２を処理し、対応する実患者プロファイル方法論を識別してもよい。命令モジュール１０６は、命令を始動し、それによって、プログラムおよび関連付けられたシステムは、提案、代替となる刺激的プロファイル等を生成してもよい。
【００８４】
心的状態の掘り下げ方法論
図１９に図示されるような心的状態の掘り下げ方法論は、客観的測定ならびに主観的入力を便宜的方法で収集する、システムを提供する。心的状態の掘り下げ方法論は、主観的入力を用いて、その人の運動、睡眠、および薬剤順守間のパターンおよび関係を識別し、それらの間の関係を視覚化し、挙動選択をより関連性があるものにする。長期的主観的入力と客観的身体測定との比較は、驚くべきパターンを露顕させ、なぜユーザがそのように感じるかに関する直感的理論を補正するのに役立つ。ユーザの理論の調節は、より良い挙動へのより強固な本質的動機をもたらす。
【００８５】
実装の実施例として、健康増進データ１０２、例えば、睡眠データ、薬剤摂取データ、および運動データならびに主観的データの生成が挙げられる。
【００８６】
主観的データの生成は、種々の方法を介して達成されてもよい。一実施例では、ユーザの携帯電話上のアプリケーションは、様々な色の同心円を表示する。各色は、ユーザの相対的気持ち、感情、自己査定等を表す。ユーザは、その状態に関する色を選択し、アプリケーションは、主観的データを生成する。健康増進データ１０２は、関連付けられた方法論モジュール１０４を有する、ユーザの電話アプリケーションに通信される。方法論モジュール１０４は、データを処理し、対応する心的状態の掘り下げ方法論を識別してもよい。命令モジュール１０６は、命令を始動し、それによって、プログラムおよび関連付けられたシステムは、パターンのデータを分析し、パターン、関連洞察等を意味的に表示してもよい。
【００８７】
心臓適合方法論
図２０に概念的に図示されるような心臓適合方法論は、フィットネスまたは健康目標のためのステップカウント等のアナログではなく、心臓測定基準に焦点を当てたシステムを提供する。安静時心拍および標的心拍を上回る時間経過等のデータを使用して、本システムは、アクティビティにわたるフィットネスおよび日々の運動に関する情報および指針を提供することができる。また、心拍変動および回復までの心拍時間等の有効な心血管フィットネス測定基準の追跡は、心臓学的ケアに対する洞察を提供する場合がある。多くの一般的フィットネス追跡システムは、間違いなく、フィットネスの最も重要な測定の１つである、信頼性がある長期心拍を測定することができない。さらに、心拍の洞察向上は、新しい測定基準集合、すなわち、体重、ＢＭＩ、または運動等の健康に対する従来の価値尺度以外を通して、より豊富なフィットネスに関する奨励をもたらす。
【００８８】
実装の実施例として、健康増進データ１０２、例えば、心拍、心拍変動、フィットネスアクティビティ、および安静時データ等の生成が挙げられる。健康増進データ１０２は、方法論モジュール１０４と関連付けられたサーバに通信される。方法論モジュール１０４は、健康増進データ１０２を処理し、対応する心臓適合方法論を識別してもよい。命令モジュール１０６は、命令を始動し、それによって、プログラムおよび関連付けられたシステムは、データストリームを統合し、データを融合し、精緻化された心臓（または、他の）健康モデルを生成し、治療／計画最適化ステップを推察する等してもよい。
【００８９】
スイマーパッチ方法論
図２１に概念的に図示されるようなスイマーパッチ方法論は、フィットネスまたは健康目標のためのステップカウント等のアナログではなく、心臓測定基準に焦点を当てたシステムを提供する。心拍をリアルタイムで監視することによって、パッチは、振動し、その標的心拍に到達したことをスイマーにアラートし、最適トレーニングまたは運動をもたらす。加えて、加速度計データを使用することによって、システムは、ラップカウンタとなる。これはまた、新規リアルタイム追跡能力を全能力レベルにわたるスイマーにもたらし得る。挙動変化を助長する観点から、本用語は、広義に使用され、トレーニングおよび目標達成の促進等の概念を含むことに留意されたい。例えば、スイマーパッチを使用する際における挙動の変化の助長として、スイマーにトレーニング計画を密接に順守させるデータの送達を含み、種々の水泳およびトレーニング目標の達成をもたらしてもよい。当業者は、複数の概念が適用されることを認識するであろう。
【００９０】
実装の実施例として、健康増進データ１０２、例えば、心拍、加速度計データ等の生成が挙げられる。健康増進データ１０２は、方法論モジュール１０４と関連付けられたパッチに通信される。方法論モジュール１０４は、健康増進データ１０２を処理し、対応するスイマーパッチ方法論を識別してもよい。命令モジュール１０６は、命令を始動し、それによって、パッチと関連付けられたプログラムは、受容者の検出器上に、振動または他のメッセージ、例えば、点滅灯、データ表示等を生成してもよい。
【００９１】
小ステップ大結果方法論
図２２に概念的に図示されるような小ステップ大結果方法論は、その人の以前のスコアをわずかに上回る目標を設定することによって、物理的アクティビティを奨励する。物理的アクティビティに関する情報を追跡することによって、システムは、視覚的に、ユーザにその以前の実績を示し、閾値線を越えて表示点を移動させるように運動することによって、それを上回るよう誘導する。堕落するいずれのユーザも、管理可能かつ励みとなるような段階的目標設定を通して、引き戻される。変換によって、長期目標をより小さく、より達成可能な目標にする。
【００９２】
実装の実施例として、健康増進データ１０２、例えば、物理的アクティビティデータ等の生成が挙げられる。健康増進データ１０２は、方法論モジュール１０４と関連付けられたハブ、例えば、ユーザの携帯電話に通信される。方法論モジュール１０４は、健康増進データ１０２を処理し、対応する小ステップ大結果方法論を識別してもよい。命令モジュール１０６は、命令を始動し、それによって、システムと関連付けられたプログラム（複数可）は、以前の実績の記憶されたデータを読み出し、それを現在の健康増進データ１０２と比較し、励みとなる視覚的表示を介して、結果を表示する等してもよい。
【００９３】
健康的な食事への取り組み方法論
図２３に図示されるような健康的な食事への取り組み方法論は、取り組み用の薬およびリマインダを通して、健康的な食習慣を奨励するシステムを提供する。１日の開始時に、ユーザは、ある数の野菜または果物の皿数を摂食することのその取り組みを表す、関連付けられた摂取可能デバイスを有する、薬、例えば、偽薬、ビタミン等を服用し、本取り組みは、ソーシャルメディア、例えば、Ｆａｃｅｂｏｏｋページ上に記載される。食事の時間が来るたびに、パッチが振動し、その取り組みをリマインドし、適切に摂食したことの肯定応答に応じて、達成は、Ｆａｃｅｂｏｏｋウォールに掲載（祝福）される。取り組みを公共に提示することによって、ユーザは、それを完了しようというより多くの義務感を感じる。加えて、毎日の開始時に健康的な食事挙動を計画することは、ユーザが、食事により気を配るようにさせ得る。
【００９４】
同様に、「偽薬」方法論は、ユーザの意図、取り組み等のインジケータまたはリマインダとしての役割を果たす、「意図的薬」、例えば、偽薬、ビタミン等のシステムを提供する。意図的薬は、個人プログラム、グループ参加の一部として、共感リレー、治療シミュレーション薬等として、摂取されてもよい。例証するために、ユーザは、友人が、治療計画のための処方された薬剤を摂取する必要があるたびに、偽薬の摂取を約束し、摂取してもよい。「同時摂取」の取り組みおよび連帯責任的行為は両方とも、友人の窮状および進歩の実際かつ継続的な支援を示し、ユーザが、友人の申し出に役立つ。
【００９５】
意図的薬は、物事をユーザに対して変化するようにトリガし、ユーザの意図を彼らおよび他者に対して有形なものとし、ユーザに力を与えられたと感じさせ、ユーザがその目標に到達することを可能にする等であり得る。グループ参加は、ユーザに、より大きな活動、例えば、グループ招待の一部であるかのように感じさせ、ユーザの参加理由（複数可）を強化し、ユーザが、同じ目的を持った人々とつながるのに役立ち得る。共感リレーは、ユーザの友人に支援を提供し、ユーザに友人のためにできることを与え、ユーザの支援を示し、友人のための継続的支援をもたらす等であり得る。治療シミュレーション薬は、ユーザが、ユーザの状態を悪化させる挙動、選択等を回避するように補助し、ユーザが、その人生において、治療計画の派生効果を被るのを補助し、ユーザに、その挙動を変化させ、前述の挙動変化等と関連付けられた潜在的結果を回避するための理由を与え得る。偽薬方法論は、人々の挙動変化等を向上させ得る。
【００９６】
実装の実施例として、健康増進データ１０２、例えば、摂取事象データの生成が挙げられる。健康増進データ１０２は、方法論モジュール１０４と関連付けられたウェブサイトに通信される。方法論モジュール１０４は、健康増進データ１０２を処理し、対応する健康的な食事への取り組み方法論を識別してもよい。命令モジュール１０６は、命令を始動し、それによって、プログラム（複数可）および関連付けられたシステム（複数可）は、Ｆａｃｅｂｏｏｋ上に、取り組み関連のコメントを生成し、タイムリーかつ有意義なリマインダを生成し、所定の条件に応じて、Ｆａｃｅｂｏｏｋ上に、達成に関する祝福コメントを投稿してもよい。
【００９７】
マッチ方法論
に図２４に概念的に図示されるようなマッチ方法論は、病気、目標、ニーズ等に基づいて、最適支援グループを形成する人々を選択する、システムを提供する。薬剤およびフィットネス計画へのユーザの順守に基づく情報ならびに収集された個人的データを使用して、本システムは、類似（または、潜在的に、補完的）支援ニーズを有する人々をグループ化し、最大利点のための刺激的かつ関連のあるグループを形成する。ユーザに有意義なマッチ支援グループをもたらすことは、グループを効果的にする潜在性を増加させるとともに、可能性として、未知の構成を伴うグループに参加する恐れを緩和する。
【００９８】
実装の実施例として、健康増進データ１０２、例えば、ユーザ順守データ等の生成が挙げられる。健康増進データ１０２は、方法論モジュール１０４と関連付けられたウェブサイトに通信される。方法論モジュール１０４は、健康増進データ１０２を処理し、対応するマッチ方法論を識別してもよい。命令モジュール１０６は、命令を始動し、それによって、プログラム（複数可）および関連付けられたシステム（複数可）は、所定の基準、例えば、疾患状態、フィットネス計画、薬剤計画等に基づいて、ユーザをグループ（複数可）にマッチさせ、支援グループメンバー間のオンラインネットワークキングフォーラムを促進してもよい。
【００９９】
方法
次に図２５を参照すると、挙動変化を助長するための方法２５００が示される。種々の態様では、本方法は、随意に（想像線輪郭で図示される）、ステップ２５０２において、健康増進デバイスによって、健康増進データを生成する初期ステップから成ってもよい。種々の態様では、本方法は、ステップ２５０４において、プロセッサによって、健康増進データを受信するステップと、ステップ２５０６において、プロセッサによって、健康増進データを処理し、少なくとも１つの事前に選択された挙動変化方法論を識別するステップと、ステップ２５０８において、プロセッサによって、対応する命令を生成し、識別された少なくとも１つの挙動変化方法論を始動するステップから成る／を含んでもよい。種々の態様では、本方法は、随意に、ステップ２５１０において、デバイスによって、対応する命令を受信するステップと、ステップ２５１２において、システム構成要素を介して、健康増進データと関連付けられたデータを追跡するステップと、ステップ２５１４において、システム構成要素を介して、健康増進データと関連付けられたフィードバックを生成するステップと、ステップ２５１６において、システム構成要素を介して、健康増進データと関連付けられた予防措置命令を生成するステップのうちの１つ以上から成るか、またはそれらを含んでもよい。
【０１００】
種々の態様では、前述のように、健康増進データは、種々の健康関連事象、およびそれらの組み合わせ、例えば、摂取事象、注射事象、吸引事象、注入事象、健康監視事象、物理的アクティビティ事象、および摂食事象と関連付けられてもよい。例証するために、摂取事象に関連する健康増進データは、ＲＦＩＤ対応デバイス、電流改変デバイス等の摂取可能デバイスによって生成されてもよい。
【０１０１】
挙動変化方法論は、方法論の種々の実施例を含み、挙動、例えば、健康関連問題、事象、計画等と関連付けられた望ましい、持続可能挙動変化を助長し、共感を生じさせる、例えば、活動に共鳴する、家族支援を集める等、挙動変化等を助長し得る。前述の実施例の非包括的リスト、例えば、メドマッチ方法論；実現可能範囲内におけるレース方法論；デスクトップウィジェット／アバター選択方法論；家族的責任方法論；仮想邸宅方法論；日々変わる孵化方法論；フィティマルズ方法論；楽しい比較方法論；勝利への執着方法論；羞恥ゲーム方法論；誓約マッチ方法論；友人からの援助方法論；愛情バズ音方法論；パッチアラート方法論；完了！バズ音方法論；プラグ方法論；実患者プロファイル方法論；心的状態の掘り下げ方法論；心臓適合方法論；スイマーパッチ方法論；小ステップ大結果方法論；健康的な食事への取り組み方法論；およびマッチ方法論は、方法の種々の態様において、適用されてもよい。事前選択は、種々のモード、例えば、参加者による手動選択、自動化選択、それらの組み合わせ等であってもよい。
【０１０２】
メドマッチ方法論は、例えば、援助を必要としている個人または活動の直接的あるいは間接的支援、経済的結果等を組み込む、もしくは別様にそれらと関連付けられてもよい。本実施例では、メドマッチ方法論を使用する寄付者は、援助を必要としている個人または活動が、寄付者の健康関連転帰に及ぼす肯定的影響を有する挙動変化をもたらし、それを維持するように動機付けされることを重視してもよい。同様に、寄付者は、そのような挙動変化を動機付けるほど、寄付者、寄付受容者、または他者（複数可）への経済的結果を有効にするあるいは回避することに共鳴し得る。
【０１０３】
メドマッチ方法論は、検証可能寄付的経済活動、例えば、寄付者および他の利害関係者へのコンピュータ生成フィードバック；定量化可能寄付、例えば、薬が寄付者によって摂取されるたびに２個の薬が寄付されること、等を含んでもよいが、必ずしも、そうでなくてもよい。
【０１０４】
物品
種々の態様では、物品は、コンピューティングプラットフォームによって実行されると、ハブを介して、健康増進データを受信することと、ハブを介して、健康増進データの少なくとも一部を方法論モジュールに通信することと、方法論モジュールを介して、健康増進データと関連付けられた少なくとも１つの方法論を識別することと、モジュールを介して、識別された方法論と関連付けられた少なくとも１つの命令を生成することとを含む／から成る、ネットワークを介して、健康増進データを通信する方法の実行をもたらす命令を有する、非一過性記憶媒体を備えてもよい。
【０１０５】
物品はさらに、ネットワークの構成要素を介して、健康増進データと関連付けられたデータを追跡するステップと、ネットワークの構成要素を介して、健康増進データと関連付けられたデータを生成するステップと、ネットワークの構成要素を介して、健康増進データと関連付けられた予防措置命令を生成するステップのうちの１つ以上から成る／それを含んでもよい。
【０１０６】
本明細書に開示される態様のいずれかは、データ処理システム内で、またはデータ処理方法、例えば、コンピュータ、プロセッサ等によって実施される命令ステップによって、行われてもよい。例証するために、概略システムは、一実施形態によると、例えば、プロセッサ、メインメモリ、静的メモリ、バス、ビデオディスプレイ、英数字入力デバイス、カーソル制御デバイス、ドライブユニット、信号生成デバイス、ネットワークインターフェースデバイス、機械可読媒体、命令およびネットワークを備える。
【０１０７】
概略システムは、本明細書に開示される１つ以上の動作が、行われ得る、パーソナルコンピュータおよび／またはデータ処理システムを示してもよい。プロセッサは、マイクロプロセッサ、状態機械、特定用途向け集積回路、フィールドプログラマブルゲートアレイ等であってもよい。メインメモリは、コンピュータシステムの動的ランダムアクセスメモリおよび／または一次メモリであってもよい。静的メモリは、ハードドライブ、フラッシュドライブ、および／またはデータ処理システムと関連付けられた他のメモリ情報であってもよい。
【０１０８】
バスは、データ処理システムの種々の回路および／または構造間の相互接続であってもよい。ビデオディスプレイは、データ処理システム上に、情報のグラフィカル表現を提供してもよい。英数字入力デバイスは、キーパッド、キーボードおよび／またはテキストの任意の他の入力デバイス、例えば、身体障害者を補助するための特殊デバイスであってもよい。カーソル制御デバイスは、マウス等のポインティングデバイスであってもよい。ドライブユニットは、ハードドライブ、記憶システム、および／または他のより長期的な記憶サブシステムであってもよい。信号生成デバイスは、データ処理システムのバイオスおよび／または機能的オペレーティングシステムであってもよい。ネットワークインターフェースデバイスは、ネットワークへおよびそこからの通信のために要求されるコード変換、プロトコル変換、および／またはバッファリング等のインターフェース機能を行い得る、デバイスであってもよい。機械可読媒体は、本明細書に開示される方法のいずれかが行われ得る、命令を提供してもよい。命令は、ソースコードおよび／またはデータコードをプロセッサに提供し、本明細書に開示される任意の１つ／またはそれ以上の動作を可能にしてもよい。
【０１０９】
本実施形態は、具体的例示的実施形態を参照して説明されたが、種々の修正および変更が、種々の実施形態のより広範な精神および範囲から逸脱することなく、これらの実施形態に成されてもよいことは明白であろう。例えば、本明細書に説明される種々のデバイス、モジュール等は、例えば、機械可読媒体内で具現化される、ハードウェア回路、例えば、ＣＭＯＳベースの論理回路、ファームウェア、ソフトウェア、ならびに／あるいはハードウェア、ファームウェア、および／またはソフトウェアの任意の組み合わせを使用して、有効にされ、動作されてもよい。
【０１１０】
例えば、種々の電気構造および方法は、トランジスタ、論理ゲート、および電気回路、例えば、特定用途向け集積回路（ＡＳＩＣ）を使用して、および／またはデジタル信号プロセッサ（ＤＳＰ）回路内で具現化されてもよい。例えば、受信モジュールおよび通信モジュールならびに他のモジュールは、本明細書に説明される技術のうちの１つ以上の使用を有効にしてもよい。
【０１１１】
加えて、本明細書に開示される種々の動作、プロセス、および方法は、データ処理システム、例えば、コンピュータシステムと互換性がある機械可読媒体および／または機械アクセス可能媒体内で具現化されてもよく、任意の順序で行われてもよいことを理解されるであろう。故に、明細書および図面は、限定的意味ではなく、例証として見なされるべきである。
【０１１２】
前述のデバイスおよび方法と関連付けられたいずれかのまたは全てのデータは、例えば、単独で、または健康増進データ、例えば、健康増進態様を有するデータを構成する他のデータと組み合わせて、使用されてもよい。
【０１１３】
ある実施形態では、システムおよび／または方法ステップはさらに、データを記憶するための要素、例えば、データ記憶要素を含み／利用し、本要素は、ベッドサイドモニタ、ＰＤＡ、スマートフォン、コンピュータサーバ等の外部デバイス上に存在する。典型的には、データ記憶要素は、コンピュータ可読媒体である。用語「コンピュータ可読媒体」とは、本明細書で使用されるように、実行および／または処理のために、命令および／またはデータをコンピュータに提供することに関与する、任意の記憶または伝送媒体を指す。記憶媒体の実施例は、そのようなデバイスが、コンピュータの内部または外部にあるかどうかにかかわらず、フロッピーディスク（登録商標）、磁気テープ、ＣＤ−ＲＯＭ、ハードディスクドライブ、ＲＯＭまたは集積回路、磁気光ディスク、またはコンピュータ可読カード、例えば、ＰＣＭＣＩＡカード、および同等物を含む。情報を含有するファイルは、コンピュータ可読媒体上に「記憶」されてもよく、「記憶」とは、コンピュータおよび／またはコンピュータ関連構成要素によって、アクセス可能であって、後にデータを読み出し可能であるように、情報を記録することを意味する。コンピュータ可読媒体に関して、「恒久的メモリ」とは、恒久的であるメモリを指す。恒久的メモリは、プロセッサのコンピュータへの電気供給の終了によって消去されない。コンピュータハードドライブＲＯＭ（例えば、仮想メモリとして使用されない）、ＣＤ−ＲＯＭ、フロッピーディスク、およびＤＶＤは全て、恒久的メモリの実施例である。ランダムアクセスメモリ（ＲＡＭ）は、非恒久的メモリの実施例である。恒久的メモリ内のファイルは、編集可能かつ再書き込み可能であってもよい。
【０１１４】
態様は、薬剤および非薬剤服用、投与、および／または送達の感知されたパラメータの読取および監視の任意の様式、例えば、接着センサパッチ、他の装着式センサ、デバイス埋込物および挿入物、非経口薬剤送達デバイス、携帯電話等、およびそのような情報を表示および管理するためのデバイス（コンピュータ、携帯電話等）に拡張する。
【０１１５】
さらに、種々の態様は、１つ以上のデータ融合機能を含んでもよい。本明細書で使用されるように、用語「データ融合」とは、データ統合のプロセス、機能、発生、事象等、例えば、縮小、置換、分析、あるいは組み合わせられたデータに関して、改善された結果をもたらす、他のそのようなデータ操作または変更に結合されたデータの組み合わせを指す。改善された結果の実施例として、健康増進データおよび前述の方法論のうちの１つ以上から生じるデータの組み合わせが挙げられ、分析されると、合理的推測として、健康増進データと関連付けられた個人が、挙動パターンを変化させ、薬剤計画への改善された順守および改善された治療転帰をもたらすことが導き出され得る。
【０１１６】
また、提供されるのは、コンピュータ実行可能命令、例えば、前述の方法を行うための、例えば、システムのＩＥＭ、受信機、および他の構成要素をプログラミングするためのプログラミングである。コンピュータ実行可能命令は、コンピュータ可読媒体上に存在する。故に、種々の態様は、摂取可能事象マーカデータを提供する際に使用するためのプログラミングを含有するコンピュータ可読媒体を提供する。
【０１１７】
したがって、ある実施形態では、システムは、データ記憶要素、データ処理要素、データ表示要素、データ伝送要素、通知機構、およびユーザインターフェースのうちの１つ以上を含む。これらの要素は、摂取可能事象マーカデータ、ハブ、およびＩＥＭデータシステムのうちの少なくとも１つに存在する、または別様にそれらと関連付けられてもよい。
【０１１８】
前述のシステムのうちの１つは、受信モジュールおよび通信モジュールの観点から検討されている。しかしながら、態様は、そのように限定されない。より広範な意味において、システムは、例えば、前述のようなハブ機能性を使用して、例えば、ＩＥＭデータを通信において使用することによって、例えば、ＩＥＭデータシステムの機能性を使用して、相互に通信する、２つ以上の異なるモジュールから構成される。
【０１１９】
ＩＥＭの様々な可能な態様が以下の図２６〜２９に示されている。ＩＥＭが、導電性液体と接すると起動して、事象を示すべくコンダクタンスを制御することが可能な部分電源を備えたシステムであってもよいことは理解されるべきである。システムが生体により摂取された医薬品と共に使用される場合、システムを含んでいる医薬品が服用されるかまたは摂取されると、デバイスは生体の導電性液体と接する。本開示のシステムが体液と接すると、電位が生じてシステムが起動する。部分電源の一部分がデバイスによってもたらされる一方、電源の別の部分が導電性流体によってもたらされる。つまり、摂取されると、システムは体液と接して起動する。システムは電位差を使用して電源を入れており、その後、固有且つ識別可能な電流特性を与えるべくコンダクタンスを調整する。システムは、起動するとコンダクタンスを制御して、ひいては電流特性を与えるべく電流を制御する。更に、受信器／検出器の様々な可能な態様が以下の図３０〜３５に示されている。
【０１２０】
図２６を参照すると、対向する端部に設けられた異なる金属を有する摂取可能なデバイス事象インジケータシステムの一態様がシステム２６３０として示されている。システム２６３０は、患者が医薬品を服用するときを判断すべく、上述したようにあらゆる医薬品と関連付けて使用され得る。上述したように、本開示の範囲は、システム２６３０と使用される環境および医薬品によって制限されない。例えば、システム２６３０はカプセル内に配置されてもよく、カプセルは導電性液体内に置かれる。カプセルは、ある期間に亘って溶解し、システム２６３０を導電性液体に放出する。従って、一態様では、カプセルはシステム２６３０を含んでおり、医薬品を含んでいない。このようなカプセルは、導電性液体が存在するあらゆる環境であらゆる医薬品と使用されてもよい。例えば、カプセルは、ジェット燃料、塩水、トマトソース、モータ油、またはあらゆる同様の製品が充填された容器内に入れられてもよい。更に、システム２６３０を含んだカプセルは、医薬品が服用されたときのような事象の発生を記録するために医薬品が摂取されると同時に摂取されてもよい。
【０１２１】
医薬品と組み合されたシステム２６３０の特定の例では、医薬品または錠剤が摂取されると、システム２６３０が起動する。システム２６３０は、検出される固有の電流特定を与えるためにコンダクタンスを制御しており、それによって医薬品が服用されたことを表わす。システム２６３０はフレームワーク２６３２を含んでいる。フレームワーク２６３２はシステム２６３０のための筐体であり、複数の部品がフレームワーク２６３２に取り付けられているか、蒸着されているか、または固定されている。システム２６３０の本態様では、消化され易い材料２６３４がフレームワーク２６３２に物理的に関連付けられている。材料２６３４は、フレームワークに化学的に蒸着されるか、固定されるか、構築されてもよく、これら全ては、本明細書ではフレームワーク２６３２に「蒸着」されるとして参照される。材料２６３４は、フレームワーク２６３２の一側に蒸着されている。材料２６３４として使用され得る対象の材料は、銅Ｃｕまたはヨウ化銅ＣｕＩを含むが、これらに限定されない。材料２６３４は、他のプロトコルの内、物理蒸着、電着またはプラズマ蒸着によって蒸着される。材料２６３４の厚さは、約５乃至約１００μｍのような約０．０５乃至約５００μｍであってもよい。その形状は、シャドウマスク蒸着、またはフォトリソグラフィおよびエッチングによって制御される。更に、１つの領域のみが材料を蒸着するために示されているとしても、各システム２６３０は、必要に応じて材料２６３４が蒸着されてもよい２以上の電気的に固有の領域を含んでもよい。
【０１２２】
図２６に示された対向する側である異なる側に、材料２６３４とは異なる材料の別の消化され易い材料２６３６が蒸着されている。図示されていないが、選択された異なる側は、材料２６３４に関して選択された側に隣接する側であってもよい。本開示の範囲は、選択された側によって制限されておらず、「異なる側」という文言は、最初に選択された側とは異なる複数の側のいずれかを意味し得る。更に、システムの形状が矩形として示されていたとしても、形状はあらゆる幾何学的に適切な形状であってもよい。材料２６３４および材料２６３６は、システム２６３０が体液のような導電性液体と接すると電位差を生じるように選択されている。材料２６３６に関して対象となる材料は、マグネシウムＭｇ、亜鉛Ｚｎまたは他の電気的陰性金属を含むが、これらに限定されない。材料２６３４に関して上述したように、材料２６３６はフレームワークに化学的に蒸着されるか、固定されるか、または構築されてもよい。更に、材料２６３６（および必要に応じて材料２６３４）のフレームワーク２６３２への接着を促すために接着層が設けられてもよい。材料２６３６に関する一般的な接着層は、チタンＴｉ、チタン−タングステンＴｉＷ 、クロムＣｒまたは同様の材料である。アノード材料および接着層は、物理蒸着、電着またはプラズマ蒸着によって蒸着されてもよい。材料２６３６の厚さは、約５乃至約１００μｍのような約０．０５乃至約５００μｍであってもよい。しかしながら、本開示の範囲は、あらゆる材料の厚さ、または材料をフレームワーク２６３２に蒸着するかまたは固定するために使用されるプロセスのタイプによって制限されない。
【０１２３】
このようにして、システム２６３０が導電性液体と接すると、一例が図２８に示されている電流経路が、材料２６３４および材料２６３６間の導電性液体を通して形成される。制御デバイス２６３８がフレームワーク２６３２に固定されており、材料２６３４および材料２６３６に電気的に接続されている。制御デバイス２６３８は電子回路を含んでおり、例えば、材料２６３４および材料２６３６間のコンダクタンスを制御して変えることが可能な制御ロジックを含んでいる。
【０１２４】
材料２６３４および材料２６３６間に生じた電位は、システムを作動するための電力を与え、導電性流体およびシステムを通じて電流を生じさせる。一態様では、システムは直流モードで作動する。代わりの態様では、電流の方向が交流と同様に周期的に反転するように、システムは電流の方向を制御する。その成分が生理的な流体、例えば胃酸によって与えられる導電性流体または電解質にシステムが達すると、材料２６３４および材料２６３６間の電流の経路がシステム２６３０の外部に完成し、システム２６３０を介した電流の経路は制御デバイス２６３８によって制御される。電流経路の完成により、電流が流れることが可能になり、受信器が、電流の存在を検出し、かつシステム２６３０が起動して所望の事象が生じているかまたは生じたことを認識することが可能になる。
【０１２５】
一態様では、２つの材料２６３４および材料２６３６が、電池のような直流電源に必要とされる２つの電極と機能に関して同様である。導電性液体は、電源を完成するために必要とされる電解質として機能する。上述したように完成した電源は、システム２６３０の材料２６３４および材料２６３６と身体の周囲の流体との間の物理化学反応によって特徴付けられる。完成した電源は、胃液、血液、他の体液、ある組織のようなイオン性溶液または導電性溶液に反転電気分解を利用する電源としてみなされてもよい。更に、環境は身体以外のものであってもよく、液体はあらゆる導電性液体であってもよい。例えば導電性流体は、塩水、または金属をベースにした塗料であってもよい。
【０１２６】
ある態様では、これら２つの材料は更なる材料層によって周囲の環境から遮蔽されている。従って、遮蔽体が溶解して２つの異なる材料が目標箇所に晒されると、電位が生じる。
【０１２７】
図２６を再度参照すると、材料２６３４および材料２６３６は電位を与えて制御デバイス２６３８を起動する。制御デバイス２６３８が起動するかまたは制御デバイス２６３８の電源を入れると、制御デバイス２６３８は材料２６３４および材料２６３６間のコンダクタンスを固有であるように変えることが可能である。材料２６３４および材料２６３６間のコンダクタンスを変えることにより、制御デバイス２６３８は、システム２６３０を囲む導電性液体を介して電流の大きさを制御することが可能である。このため、身体の内部または外部に位置付けられ得る受信器により検出され測定され得る固有の電流特定が与えられる。材料間の電流経路の大きさの制御に加えて、非導電性材料、膜または「スカート部」が電流経路の「長さ」を増大させるべく使用されており、従って、２００８年９月２５日に出願され米国公開第２００９／００８２６４５号として公開され「Ｉｎ−Ｂｏｄｙ  Ｄｅｖｉｃｅ  ｗｉｔｈ  Ｖｉｒｔｕａｌ  Ｄｉｐｏｌｅ  Ｓｉｇｈｎａｌ  Ａｍｐｌｉｆｉｃａｔｉｏｎ（ダイポール信号を仮想的に増幅する体内デバイス）」を発明の名称としその内容全体が参照により本明細書に組み込まれる米国特許出願第１２／２３８，３４５号に開示されているようにコンダクタンスの経路を増大させるべく機能する。あるいは、本明細書における開示内容に亘って「非導電性材料」、「膜」および「スカート部」という文言が、本明細書における範囲、本態様または特許請求の範囲に影響を及ぼすことなく「電流経路エクステンダ」という文言と交換され得る。２６３５および２６３７として一部に示されたスカート部は、フレームワーク２６３２に関連付けられてもよく、例えば固定されてもよい。スカート部に関する様々な形状および構成が本開示の範囲内で考慮される。例えば、システム２６３０は、スカート部によって全体的にまたは部分的に囲まれてもよく、スカート部は、システム２６３０の中心軸に沿って位置付けられてもよく、または中心軸に対してずれてもよい。このようにして、本明細書の特許請求の範囲に定義されているように本開示の範囲は、スカート部の形状または大きさによって制限されない。更に、他の態様では、材料２６３４および材料２６３６は、材料２６３４および材料２６３６間のあらゆる画定された領域に位置付けられた１つのスカート部によって分離されてもよい。
【０１２８】
ここで図２７を参照すると、別の態様では、摂取可能なデバイスがシステム２６４０として更に詳細に示されている。システム２６４０はフレームワーク２６４２を含んでいる。フレームワーク２６４２は、図２６に示されたフレームワーク２６３２と同様である。システム２６４０の本態様では、消化され易い材料または溶解可能な材料２６４４がフレームワーク２６４２の一側の一部に蒸着されている。フレームワーク２６４２の同一の側の異なる部分には、材料２６４４とは異なる材料の別の消化され易い材料２６６６が蒸着されている。更に具体的には、材料２６４４および材料２６４６は、体液のような導電性液体と接すると電位差を生じさせるように選択されている。このようにして、システム２６４０が導電性液体と接するかおよび／または部分的に接すると、図２８に一例が示されている電流経路が材料２６４４および材料２６４６間の導電性液体を通じて形成される。制御デバイス２６４８がフレームワーク２６４２に固定されており、材料２６４４および材料２６４６に電気的に接続されている。制御デバイス２６４８は、材料２６４４および材料２６４６間のコンダクタンスの経路の一部を制御可能な電子回路を含んでいる。材料２６４４および材料２６４６は、非導電性のスカート部２６４９によって分離されている。スカート部２６４９の様々な例が、２００９年４月２８日に出願され「ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ  ＭＥＴＨＯＤＳ  ＯＦ  ＵＳＩＮＧ  ＳＡＭＥ（信頼性が高い摂取可能な事象マーカ、およびその使用方法」を発明の名称とする米国仮特許出願第６１／１７３，５１１号、２００９年４月２８日に出願され「ＩＮＧＥＳＴＩＢＬＥ  ＥＶＥＮＴ  ＭＡＲＫＥＲＳ  ＨＡＶＩＮＧ  ＡＭＰＬＩＦＩＥＲＳ  ＴＨＡＴ  ＣＯＭＰＲＩＳＥ  ＡＮ  ＡＣＴＩＶＥ  ＥＶＥＮＴ（活性剤を有する信号増幅器を備えた摂取可能な事象マーカ」を発明の名称とする米国仮特許出願第６１／１７３，５６４号明細書、および２００８年９月２５日に出願され米国公開第２００９／００８２６４５号として公開され「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ（ダイポール信号を仮想的に増幅する体内デバイス」を発明の名称とする米国特許出願第１２／２３８，３４５号明細書に開示されており、夫々の出願の開示内容全体が参照により本明細書に組み込まれる。
【０１２９】
制御デバイス２６４８が起動するかまたは制御デバイス２６４８の電源を入れると、制御デバイス２６４８は材料２６４４および材料２６４６間のコンダクタンスを変えることが可能である。従って、制御デバイス２６４８は、システム２６４０を囲む導電性液体を通じて電流の大きさを制御することが可能である。システム２６３０に関して上述したように、システム２６４０と関連付けられた固有の電流特性が、システム２６４０の起動を示すべく受信器によって検出され得る。電流経路の「長さ」を増大させるために、スカート部２６４９の大きさが変えられる。電流経路が長くなればなるほど、受信器は電流を検出し易くなる。
【０１３０】
ここで図２８を参照すると、図２６のシステム２６３０が起動状態で導電性液体と接して示されている。システム２６３０は、接地コンタクト２６５２を介して接地されている。システム２６３０は、図２７を参照して更に詳細に説明されるセンサモジュール２６７４を更に含んでいる。イオン経路または電流経路２６５０が、システム２６３０と接する導電性流体を通じて材料２６３４および材料２６３６間に形成されている。材料２６３４および材料２６３６間の電位が、材料２６３４および材料２６３６と導電性流体との化学反応を介して生じる。
【０１３１】
図２８Ａは、材料２６３４の表面の分解図を示す。材料２６３４の表面は平面ではなく、図示されているように相当不規則な表面である。不規則な表面は、材料の表面積、ひいては導電性流体と接する面積を増大させる。
【０１３２】
一態様では、質量が導電性流体に放出されるように材料２６３４と周囲の導電性流体との間の材料２６３４の表面に化学反応が生じる。本明細書で使用される「質量」という文言は、物質を構成する陽子および中性子を参照している。一例として、材料が塩化銅ＣｕＣｌであり、導電性流体と接すると塩化銅が溶液中で銅（固体）および塩化物イオンＣｌ- になる事例がある。導電性流体へのイオンの流れがイオン経路２６５０によって表わされている。同様に、材料２６３６と周囲の導電性流体との間に化学反応が生じ、イオンが材料２６３６によって捕捉される。材料２６３４でのイオンの放出および材料２６３６によるイオンの捕捉はまとめてイオン交換として参照される。イオン交換速度、ひいてはイオン放出速度またはイオン放出量が制御デバイス２６３８によって制御される。制御デバイス２６３８は、材料２６３４および材料２６３６間でコンダクタンスを変えてインピーダンスを変えることによりイオンの流量を増減させ得る。イオン交換を制御することにより、システム２６３０は、イオン交換プロセスで情報を符号化することが可能である。従って、システム２６３０は、イオン放出を利用してイオン交換の情報を符号化する。
【０１３３】
制御デバイス２６３８は、周波数が変調され振幅が一定であるときと同様にイオン交換速度または電流の大きさを略一定に維持しながら、一定のイオン交換速度または電流の大きさの期間を変えることが可能である。制御デバイス２６３８は更に、期間を略一定に維持しながら、イオン交換速度または電流の大きさを変えることが可能である。従って、期間の変更およびイオン交換速度または電流の大きさの変更の様々な組み合わせを用いて、制御デバイス２６３８は、電流またはイオン交換の情報を符号化する。例えば、制御デバイス２６３８は、以下の技術、つまり、二相位相変調（ＰＳＫ）、周波数変調、振幅変調、オンオフキーイング、およびオンオフキーイングを用いたＰＳＫのいずれかを使用してもよいが、これらに制限されない。
【０１３４】
上述したように、図２６に示されたシステム２６３０および図２７に示されたシステム２６４０のような本明細書に開示された様々な態様が制御デバイス２６３８または制御デバイス２６４８の一部として電子部品を含んでいる。設けられてもよい部品は、ロジックおよび／またはメモリ要素、集積回路、誘導子、抵抗器、様々なパラメータを測定するためのセンサを含んでいるが、これらに制限されない。各部品は、フレームワークおよび／または別の部品に固定されてもよい。支持体の表面上の部品は、あらゆる便利な構成に設けられてもよい。２以上の部品が固体の支持体の表面上に設けられる場合には、部品が相互接続されてもよい。
【０１３５】
上述したように、システム２６３０およびシステム２６４０のようなシステムは、異なる材料間のコンダクタンス、ひいてはイオン交換速度または電流を制御する。コンダクタンスを特定の方法で変えることにより、システムは、イオン交換および電流特性の情報を符号化することが可能である。イオン交換または電流特性は、特定のシステムを固有に識別すべく使用される。更に、システム２６３０およびシステム２６４０は、様々な異なる固有の交換または様々な異なる固有の特性の付与を可能にし、それ故、更なる情報を与える。例えば、第２のコンダクタンス変更パターンに基づく第２の電流特性が、物理的な環境に関連してもよい更なる情報を与えるべく使用されてもよい。更に例証すべく、第１の電流特性が、チップ上で発振器を維持する非常に低い電流状態であってもよく、第２の電流特性が、第１の電流特性に関連付けられた電流状態より少なくとも１０倍高い電流状態であってもよい。
【０１３６】
ここで図２９を参照すると、制御デバイス２６３８を表わすブロック図が示されている。制御デバイス２６３８は、制御モジュール２６６２、カウンタまたは時計２６６４およびメモリ２６６６を含んでいる。更に、制御デバイス２６３８は、センサモジュール２６７２および図２８に示されたセンサモジュール２６７４を含むように示されている。制御モジュール２６６２は、材料２６３４に電気的に接続された入力２６６８、および材料２６３６に電気的に接続された出力２６７０を有している。制御モジュール２６６２、時計２６６４、メモリ２６６６、センサモジュール２６７２およびセンサモジュール２６７４が電源入力（不図示）を有している。これらの部品毎の電力は、システム２６３０が導電性流体と接したときに材料２６３４および材料２６３６と導電性流体との化学反応によって生じた電位によって与えられる。制御モジュール２６６２は、システム２６３０のインピーダンス全体を変えるロジックによりコンダクタンスを制御する。制御モジュール２６６２は、時計２６６４に電気的に接続されている。時計２６６４は、制御モジュール２６６２にクロックサイクルを与える。制御モジュール２６６２のプログラムされた特徴に基づき、設定されたクロックサイクル数に達すると、制御モジュール２６６２は、材料２６３４および材料２６３６間のコンダクタンスの特徴を変える。このサイクルが繰り返されることによって制御デバイス２６３８は固有の電流特性の特徴を与える。制御モジュール２６６２は、メモリ２６６６にも電気的に接続されている。時計２６６４およびメモリ２６６６の両方に、材料２６３４および材料２６３６間に生じた電位によって電力が与えられる。
【０１３７】
制御モジュール２６６２は、センサモジュール２６７２およびセンサモジュール２６７４に電気的に接続されており、センサモジュール２６７２およびセンサモジュール２６７４と通信する。図示された態様では、センサモジュール２６７２は制御デバイス２６３８の一部であり、センサモジュール２６７４は別個の部品である。代わりの態様では、センサモジュール２６７２およびセンサモジュール２６７４の内のいずれか一方が、他方のセンサモジュールを使用することなく使用されることが可能であり、本開示の範囲はセンサモジュール２６７２またはセンサモジュール２６７４の構造的な位置または機能的な位置により制限されない。更に、システム２６３０のあらゆる部品が、本願の特許請求の範囲に定義されている本開示の範囲を制限することなく機能的にまたは構造的に移動されてもよく、組み合わせられてもよく、再度位置決めされてもよい。従って、制御モジュール２６６２、時計２６６４、メモリ２６６６およびセンサモジュール２６７２またはセンサモジュール２６７４の全ての機能を行うべく設計された単一の構造体、例えばプロセッサを有することが可能である。他方、本開示の範囲内で、電気的に接続されて通信することが可能な独立した構造体に夫々設けられたこれらの機能的な部品を有することも可能である。
【０１３８】
図２９を再度参照すると、センサモジュール２６７２またはセンサモジュール２６７４は、温度センサ、圧力センサ、ｐＨレベルセンサおよび導電率センサのいずれかを含むことが可能である。一態様では、センサモジュール２６７２またはセンサモジュール２６７４は環境から情報を集めて、アナログ情報を制御モジュール２６６２に伝える。制御モジュール２６６２は、アナログ情報をデジタル情報に変換し、デジタル情報は、電流、またはイオン流を与える質量の移動速度に関して符号化される。別の態様では、センサモジュール２６７２またはセンサモジュール２６７４は、環境から情報を集めて、アナログ情報をデジタル情報に変換してデジタル情報を制御モジュール２６６２に伝える。図２８に示された態様では、センサモジュール２６７４は、材料２６３４、材料２６３６および制御デバイス２６３８に電気的に接続されている。別の態様では、図２９に示されているように、センサモジュール２６７４は接続部で制御デバイス２６３８に電気的に接続されている。接続部は、センサモジュール２６７４に電力を供給するためのソース、およびセンサモジュール２６７４および制御デバイス２６３８間の通信チャネルの両方として機能する。
【０１３９】
ここで図２８Ｂを参照すると、システム２６３０は、行われる検出機能の特定のタイプに応じて選択され、材料２６３９に接続されたｐＨセンサモジュール２６７６を含んでいる。ｐＨセンサモジュール２６７６は制御モジュール２６３８にも接続されている。材料２６３９は、非導電性バリア２６５５によって材料２６３４から電気的に絶縁されている。一態様では、材料２６３９は白金である。ｐＨセンサモジュール２６７６は、材料２６３４および材料２６３６間の電位差を動作中に使用する。ｐＨセンサモジュール２６７６は、材料２６３４および材料２６３６間の電位差を測定して、後で比較するために電位差の値を記録する。ｐＨセンサモジュール２６７６は、材料２６３９および材料２６３６間の電位差を更に測定して、後で比較するために電位差の値を記録する。ｐＨセンサモジュール２６７６は、これらの電位差の値を用いて周囲の環境のｐＨレベルを算出する。ｐＨセンサモジュール２６７６は、この情報を制御デバイス２６３８に与える。制御デバイス２６３８は、イオン移動を生じさせる質量移動の速度および電流を変えて、受信器によって検出され得るイオン移動におけるｐＨレベルに関する情報を符号化する。このようにして、システム２６３０は、ｐＨレベルに関する情報を決定して環境の外側のソースに与えることが可能である。
【０１４０】
上述したように、制御デバイス２６３８は、所定の電流特性を出力すべく予めプログラミングされ得る。別の態様では、システムは、システムが起動するとプログラミング情報を受信することが可能な受信システムを含むことが可能である。図示されていない別の態様では、時計２６６４およびメモリ２６６６は１つのデバイスに組み合わせられ得る。
【０１４１】
上記の部品に加えて、システム２６３０は一または複数の電子部品を更に含んでもよい。対象となる電子部品は、例えば集積回路の形態の更なるロジックおよび／またはメモリ素子と、電力調整デバイス、例えば電池、燃料電池またはコンデンサと、センサ、刺激装置等と、例えばアンテナ、電極、コイル等の形態の信号伝達素子と、受動素子、例えば誘導子、抵抗器等とを含んでいるが、これらに制限されない。
【０１４２】
図３０は、本開示の一態様に係る受信器がどのようにしてコヒーレント復調プロトコルを実行するかを示す機能ブロック図である。図３０には、受信器の一部のみが示されている点に着目すべきである。図３０は、一旦キャリア周波数（およびキャリアオフセットに混合されたキャリア信号）が決定された場合にベースバンドに信号を混合する処理を示している。キャリア信号３２２１は、混合器３２２３にて第２キャリア信号３２２２と混合される。低ローパスフィルタ３２２０には、範囲外のノイズの影響を低減するために適当なバンド幅が与えられる。機能ブロック３２２５にて、本開示のコヒ−レント復調方式に従って復調が行われる。複合信号の隠されていない相３２３０が決定される。計算されたキャリア周波数と実際のキャリア周波数との周波数の違いを見積もるために利用される任意の第３の混合過程が適用され得る。それからパケットの構造は、ブロック３２４０でＢＰＳＫ信号の符号化領域の最初を決定するために動かされる。主に、複合復調信号の振幅信号にＦＭポーチとして現れる同期ヘッダの存在が、パケットの開始境界を決定するために使用される。一旦パケットの開始点が決定されると、信号はブロック３２５０にてＩＱ面上で回転し、ついに基準のビット識別がブロック３２６０にて復号される。
【０１４３】
復調に加えて、トランスボディ通信モジュールは、他の不要な信号およびノイズからの干渉を防ぐために付加ゲインを提供する前方エラー訂正モジュールを含んでいてもよい。対象の前方エラー訂正機能モジュールは、国際出願第ＰＣＴ／ＵＳ２００７／０２４３２５号として出願されＷＯ／２００８／０６３６２６号として公開されたものに記載された要素を含んであり、それらの開示が参照により本明細書に組み込まれる。いくつかの例では、前方エラー訂正モジュールは、（境界内で）復号エラーを特定して訂正するために、リードソロモン（Ｒｅｅｄ−Ｓｏｌｏｍｏｎ）、ゴレイ（Ｇｏｌａｙ）、ハミング（Ｈａｍｍｉｎｇ）、ビーシーエッチ（ＢＣＨ）およびターボ（Ｔｕｒｂｏ）プロトコル等の従来のプロトコルを採用してもよい。
【０１４４】
開示の受信器は、更にビーコン機能モジュールを採用してもよい。種々の態様において、ビーコン切替えモジュールは、ビーコンウェークアップモジュール、ビーコン信号モジュール、波／周波数モジュール、複数周波数モジュール、および復調された信号モジュールの１または複数を採用してもよい。
【０１４５】
ビーコン切替えモジュールは、ビーコン通信チャンネル、ビーコンプロトコル等のビーコン通信と関連してもよい。本開示の目的のために、ビーコンは、メッセージの一部としてか、またはメッセージ（ときにはこの明細書では「ビーコン信号」と参照される）を増やすために、送られる典型的には信号である。ビーコンは、周波数等の良く定義された特性を持っていてもよい。ビーコンはノイズが多い環境にて容易に検出され、以下で述べるようなスニフ回路のトリガとして使用されてもよい。
【０１４６】
一態様では、ビーコン切替えモジュールは、ウェークアップ機能を有するビーコンウェークアップモジュールを備えていてもよい。ウェークアップ機能は、例えば特定の目的のための短い期間等の特定の時間だけに高電力モードで動作し、信号等を受け取る機能を一般的に有している。システムの受信部にとって重要なことは、低電力であることである。この特徴は、埋め込まれた受信器にとって、小型化を提供できる点、および、バッテリからの長機能化の電力を保存できる点について有用である。ビーコン切替えモジュールは、非常に限られた時間に高電力モードで受信器を動作させることにより、これらの利点を可能にする。この種の短いデュティ周期は、最適なシステム寸法およびエネルギ供給特徴を提供する。
【０１４７】
実際には、受信器は、周期的に「ウェークアップ」し、低いエネルギ消費にて例えばスニフ回路を介して「スニフ機能」を果たす。本開示の目的のために、用語「スニフ機能」は、送信器が存在するか否かを判断するための短くて低電力な機能を一般的に表している。送信器信号がスニフ機能にて検出された場合には、デバイスはより高電力の通信復号モードに移行する。送信器信号が存在しない場合には、受信器は例えば直ちにスリープモードに戻る。このようにして、送信器信号が存在しない場合の比較的長い期間にわたってエネルギが保存され、一方で、送信器信号が存在する場合の比較的短い期間にわたる効率的な復号モード動作に高電力の能力が役立つことになる。いくつかのモードおよびそれらの組み合わせは、スニフ回路を動作させるのに役立つ。特定のシステムの必要性をスニフ回路に合致させることにより、最適なシステムが構築され得る。
【０１４８】
ビーコンモジュールの別の図が、図３１に示された機能ブロック図に提供される。図３１に開示された方式は、正当なビーコンを識別するための一つの手法を開示している。入力信号３３６０は、電極にて受信され、高周波信号チェーンにて帯域フィルタリングされ（１０ｋＨｚ乃至３４ｋＨｚのように）、アナログからデジタルに変換された信号である。信号３３６０は、その後ブロック３３６１でデシメートされ、混合器３３６２にて名目上の駆動周波数（１２．５ｋＨｚ、２０ｋＨｚ等のような）で混合される。その結果の信号は、ブロック３３６４でデシメートされ、ブロック３３６５でローパスフィルタリングされて（５ｋＨｚのように）、キャリアオフセット信号に混合されたキャリア信号を生成する。信号３３６９はブロック３３６７にて更に処理（フーリエ変換およびその後の２つの最強ピークの検出）され、真のキャリア周波数信号３３６８を生成する。このプロトコルは、伝送されたビーコンのキャリア周波数の正確な決定を考慮する。
【０１４９】
図３２は、本開示の一態様に係る信号受信器の集積回路構成の機能ブロック図を提供する。図３２において、受信器３７００は電極入力３７１０を有する。トランスボディ伝導性通信モジュール３７２０および生理学的感知モジュール３７３０は、電極入力３７１０に電気的に接続している。一態様によれば、トランスボディ伝導性通信モジュール３７２０は高周波（ＨＦ）信号チェーンとして動作し、生理学的感知モジュール３７３０は低周波（ＬＦ）信号チェーンとして動作する。（外気温を検出するための）ＣＭＯＳ温度センサ３７４０および３軸加速度計３７５０も示されている。受信器３７００は、また、処理エンジン３７６０（例えば、マイクロコントローラおよびデジタル信号プロセッサ）と、（データ格納のための）非揮発性のメモリ３７７０と、（例えばデータアップロード時の他のデバイスへのデータ送信のための）無線通信モジュール３７８０とを有している。
【０１５０】
図３３は、図３２に示された受信器の機能ブロックを実施するように構成された本開示の一態様に係る回路のより詳細なブロック図を提供する。図３３において、受信器３８００は、例えばＩＥＭにて電気的に送信された信号を受信するか、および／または、対象物の生理学的パラメータもしくはバイオマーカを検知する電極ｅ１、ｅ２およびｅ３（３８１１、３８１２および３８１３）を有する。電極３８１１、３８１２および３８１３にて受信された信号は、それらの電極と電気的に接続しているマルチプレクサ３８２０にて複合される。
【０１５１】
マルチプレクサ３８２０は、高バンドパスフィルタ３８３０および低バンドパスフィルタ３８４０に電気的に接続している。高および低周波信号チェーンは、所望のレベルまたは範囲を被うためにプログラム可能なゲインを提供する。この特定の態様では、高バンドパスフィルタ３８３０は１０ｋＨｚ乃至３４ｋＨｚ帯域の周波数を通過させ、この帯域外のノイズをフィルタリングする。この高周波帯域は、変化してもよく、例えば３ｋＨｚ乃至３００ｋＨｚを含んでもよい。この通過する周波数は、高周波信号チェーンに電気的に接続している高電力プロセッサ３８８０（ＤＳＰとして示されている）への入力のために変換器３８３４でデジタル信号に変換される前に増幅器３８３２にて増幅される。
【０１５２】
低バンドパスフィルタ３８４０は０．５Ｈｚ乃至１５０Ｈｚ帯域の周波数を通過させ、この帯域外のノイズをフィルタリングする。この周波数帯域は、変化してもよく、例えば１５０Ｈｚ未満を含めて２００Ｈｚ未満のように３００Ｈｚ未満を含んでもよい。通過した周波数信号は、増幅器３８４２にて増幅される。第２マルチプレクサ３８６０に電気的に接続された加速度計３８５０も示されている。マルチプレクサ３８６０は、加速度計からの信号と増幅器３８４２からの増幅された信号とを複合する。複合された信号は、その後、低電力プロセッサ３８７０に電気的に接続されている変換器３８６４によりデジタル信号に変換される。
【０１５３】
一態様では、デジタル加速度計（Ａｎａｌｏｇ  Ｄｅｖｉｃｅｓで製造されたようなもの）が、加速度計３８５０に置き換わってもよい。デジタル加速度計を用いることにより、種々の利点が実現される。例えば、デジタル加速度計はデジタル形式の信号を生成するので、デジタル加速度計は変換器３８６４を迂回して低電力マイクロコンピュータ３８７０に電気的に接続し、この場合にはマルチプレクサ３８６０は不要である。また、デジタル信号は動きを検出した場合に自身でオンとなるように構成されているので、電力を節約する。更に、連続した計数ステップが実行される。デジタル加速度計は、低電力プロセッサ３８７０に送られるデータの流れを制御するためにＦＩＦＯバッファを備えていてもよい。例えば、ＦＩＦＯ器内にデータがいっぱいにバッファリングされたときに、プロセッサは起動されてデータを受信する。
【０１５４】
低電力プロセッサ３８７０は、例えばＴｅｘａｓ  ＩｎｓｔｒｕｍｅｎｔｓからのＭＳＰ４３０マイクロコンピュータであってもよい。受信器３８００の低電力プロセッサ３８７０は、アイドル状態を維持しており、前述したように例えば１０μＡ以下または１μＡ以下のような最小の電流を必要とする。
【０１５５】
高電力プロセッサ３８８０は、例えばＴｅｘａｓ  ＩｎｓｔｒｕｍｅｎｔｓからのＶＣ５５０９デジタル信号プロセッサであってもよい。高電力プロセッサ３８８０は、活動状態の際に信号処理動作を実行する。これらの動作は、前述したように、例えば３０μＡ以上または５０μＡ以上のようなアイドル状態よりも多量の電流を必要とし、例えば導電的に送信された信号をスキャンすること、受信された際に導電的に送信された信号を処理すること、心理学的データを獲得および／または処理すること等の動作を含んでいてもよい。
【０１５６】
受信器は、データ信号を処理するためのハードウェア加速モジュールを備えていてもよい。そのハードウェア加速モジュールが、ＤＳＰの代わりに設けられてもよい。より特殊な演算器であるので、ハードウェア加速モジュールは、一般的な目的のＤＳＰに比べて、より少数のトランジスタ（より低コストおよび低電力）にて信号処理アルゴリズムの態様を実施する。ハードウェアのブロックは、重要で特殊な機能の実行を「加速する」ために使用される。ハードウェア加速モジュールの構築は、マイクロコードまたはＶＬＩＷアセンブリを介した「プログラマブル」である。この使用過程にあって、それらの機能は、ライブラリィ機能する呼び出しによりアクセスされる。
【０１５７】
ハードウェア加速（ＨＷＡ）モジュールは、処理されるべき入力信号およびその入力信号を処理するための指示を受けるＨＷＡ入力ブロックと、受けた指示に従って入力信号を処理して結果の出力信号を生成するＨＷＡ処理ブロックとを有している。その結果の出力信号は必要があればＨＷＡ出力ブロックにて伝送されてもよい。
【０１５８】
また、図３３には、高電力プロセッサ３８８０に電気的に接続されたフラッシュメモリ３８９０が示されている。一態様では、フラッシュメモリ３８９０は、より電力効率が良い低電力プロセッサ３８７０に電気的に接続されてもよい。
【０１５９】
高電力プロセッサ３８８０に電気的に接続された無線通信要素３８９５は、例えばＢｌｕｅｔｏｏｔｈ（登録商標）無線通信トランシーバを有していてもよい。一態様では、無線通信要素３８９５は高電力プロセッサ３８８０に電気的に接続される。他の態様では、無線通信要素３８９５は高電力プロセッサ３８８０および低電力プロセッサ３８７０に電気的に接続される。更に、無線通信要素３８９５は、例えばマイクロコンピュータにより受信器の他の構成要素から独立的にオン、オフできるように、自身の電源を持っていてもよい。
【０１６０】
図３４は、高周波信号チェーンに関連した本開示の一態様に係る受信器内のハードウェアのブロック図を提供する。図３４において、受信器３９００は、マルチプレクサ３９２０に電気的に接続された受信プローブ（例えば電極３９１１、３９１２および３９１３の形態）を有する。また、すべての帯域外の周波数を除去するバンドパスフィルタを提供するためのハイパスフィルタ３９３０およびローパスフィルタ３９４０が示されている。示された態様では、１０ｋＨｚ乃至３４ｋＨｚの帯域が、その周波数域内でキャリア信号を通すために設けられる。例示のキャリア周波数は１２．５ｋＨｚおよび２０ｋＨｚであるが、これには限定されない。一または複数のキャリアが存在してもよい。更に、受信器３９００は、例えば５００ｋＨｚでサンプリングするアナログ／デジタル変換器３９５０を有している。デジタル信号は、その後ＤＳＰで処理され得る。ＤＳＰのために委任されたメモリへデジタル信号を送るＤＭＡ／ＤＳＰ器３９６０が示されている。直接のメモリアクセスは、ＤＳＰの残りを低電力モードに維持しておくという効果を提供する。
【０１６１】
前述したように、それぞれの受信器状態にあって、高電力機能ブロックは、動作および非動作を周期的に繰り返す。また、それぞれの受信器状態にあって、種々の受信器要素（回路ブロック、プロセッサ内の電力ドメイン等）は、電力供給モジュールにより独立的にオンおよびオフを周期的に繰り返すように構成されていてもよい。したがって、受信器は、電力効率を達成するために、それぞれの状態にあって異なる構成を有していてもよい。
【０１６２】
開示のシステムの一例が図３５に示されている。図３５において、システム４０００は、ＩＥＭを有する薬剤成分４０１０を備えている。また、システム４０００には信号受信器４０２０が存在する。信号受信器４０２０は、ＩＥＭ４０１０の識別子から発せられる信号を検出するように構成されている。信号受信器４０２０は、また、ＥＣＧおよび動作検知能力等の生理学的な検知能力を備えている。信号受信器４０２０は、患者の外部装置またはＰＤＡ４０３０（スマートフォンまたは他の無線通信可能な機器）へデータを送り、それはそのデータをサーバ４０４０に伝送する。サーバ４０４０は、好ましくは例えば患者の直接の許可を提供するように構成されていてもよい。例えば、サーバ４０４０は、サーバ４０４０によって生成された警告および傾向を家族の世話係４０５０がモニタできるようなインタフェース（ウェブインタフェースのような）を介して家族の世話係４０５０が患者の治療レジメに参加できるように、また、矢印４０６０にて示されているように患者にサポートを提供するように構成されていてもよい。サーバ４０４０は、ＰＤＡ４０３０を介して患者に中継される矢印４０６５に示されているように、例えば患者への警告、患者への刺激等の形式にて患者へ直接的に反応を提供するように構成されていてもよい。サーバ４０４０は、健康管理のプロフェッショナル（例えばＲＮ、内科医）４０５５と相互に関係しあってもよい。そのプロフェッショナルは、患者の健康およびコンプライアンスの手段、例えばウェルネスインデックスサマリー、警告、患者間の基準等を得るためにデータ処理アルゴリズムを用いることができ、矢印４０８０で示されているように知らすべき治療の伝達および支援を患者に提供する。
【０１６３】
本開示は、説明される特定の実施形態に限定されず、したがって、様々であり得ることを理解されたい。また、本明細書で使用される専門用語は、特定の実施形態を説明する目的のためにすぎず、本開示の範囲は、添付の請求項によってのみ限定されるため、限定として意図されないことを理解されたい。
【０１６４】
請求項にかかわらず、本開示はまた、以下の付記によっても説明される。
１．プロセッサによって、健康増進データを受信するステップと、
プロセッサによって、健康増進データを処理し、少なくとも１つの事前に選択された挙動変化方法論を識別するステップと、
プロセッサによって、対応する命令を生成し、識別された少なくとも１つの挙動変化方法論を始動するステップと
を有する方法。
【０１６５】
２．健康増進データは、本質的に、摂取事象、注射事象、吸引事象、注入事象、健康監視事象、物理的アクティビティ事象、および摂食事象から成る群から選択される少なくとも１つの事象から生成され、好ましくは、健康増進データを生成する摂取事象は、摂取可能デバイスを介して促進され、より好ましくは、摂取可能デバイスは、ＲＦＩＤ対応デバイスおよび電流改変デバイスから成る群から選択される付記１に記載の方法。
【０１６６】
３．少なくとも１つの挙動変化方法論は、本質的に、メドマッチ方法論、実現可能範囲内におけるレース方法論、デスクトップウィジェット／アバター選択方法論、家族的責任方法論、仮想邸宅方法論、日々変わる孵化方法論、フィティマルズ方法論、ゲームフィット方法論、楽しい比較方法論、勝利への執着方法論、羞恥ゲーム方法論、誓約マッチ方法論、友人からの援助方法論、愛情バズ音方法論、パッチアラート方法論、パッチ発信機方法論、完了！バズ音方法論、プラグ方法論、実患者プロファイル方法論、実将来方法論、心的状態の掘り下げ方法論、心臓適合方法論、スイマーパッチ方法論、小ステップ大結果方法論、健康的な食事への取り組み方法論、偽薬方法論、およびマッチ方法論から成る群から選択される付記１または２に記載の方法。
【０１６７】
４．メドマッチ方法論は、援助を必要としている個人または活動の直接的あるいは間接的支援および経済的結果のうちの少なくとも１つと関連付けられる、および／またはメドマッチ方法論は、検証可能寄付的経済活動および定量化可能寄付的経済活動のうちの少なくとも１つと関連付けられる付記３に記載の方法。
【０１６８】
５．健康増進デバイスによって、健康増進データを生成する初期ステップをさらに有し、好ましくは、健康増進デバイスは、摂取可能デバイスである付記１から４のいずれかに記載の方法。
【０１６９】
６．デバイスによって、対応する命令を受信するステップをさらに有する付記１から５のいずれかに記載の方法。
【０１７０】
７．システム構成要素を介して、健康増進データと関連付けられたデータを追跡するステップと、
システム構成要素を介して、健康増進データと関連付けられたフィードバックを生成するステップと
のうちの少なくとも１つをさらに有する付記１から６のいずれかに記載の方法。
【０１７１】
８．システム構成要素を介して、健康増進データと関連付けられた予防措置命令を生成するステップをさらに有する付記１から７のいずれかに記載の方法。
【０１７２】
９．随意に、付記１から８のいずれかに記載の方法における使用のためのシステムであって、
−デバイスによって生成された健康増進データと、
健康増進データと関連付けられた少なくとも１つの挙動変化方法論を識別するために、プロセッサと関連付けられた方法論モジュールと、
識別された少なくとも１つの挙動変化方法論を始動するために、プロセッサと関連付けられた命令モジュールと
を備えるシステム。
【０１７３】
１０．健康増進データを生成することと、健康増進データを通信することとのうちの少なくとも１つを行うデータデバイスをさらに備え、データデバイスは、好ましくは、本質的に、摂取可能デバイス、注射デバイス、吸引デバイス、注入デバイス、検出器デバイス、健康監視デバイス、物理的アクティビティデバイス、埋め込み型デバイス、薬物デポー放出デバイス、および摂食デバイスから成る群から選択される付記９に記載のシステム。
【０１７４】
１１．摂取可能デバイスは、健康増進データを電流にてエンコードする付記１０に記載のシステム。
【０１７５】
１２．摂取可能デバイスは、
コンダクタンスを改変するための制御デバイスと、
部分的電源であって、
制御デバイスに電気的に結合された第１の材料、および
制御デバイスに電気的に結合され、第１の材料から電気的に絶縁される第２の材料、
を有する部分的電流とを備えており、
第１の材料および第２の材料は、伝導性液体と接触すると、電圧電位差を提供するように選択され、
制御デバイスは、電流の大きさが変動されて健康増進データをエンコードするように、第１の材料および第２の材料の間のコンダクタンスを改変する付記１０または１１に記載のシステム。
【０１７６】
１３．検出器デバイスは、薬剤送達事象データおよび生理学的パラメータデータのうちの少なくとも１つと通信する付記１０から１２のいずれかに記載のシステム。
【０１７７】
１４．健康増進データと関連付けられたデータの追跡、および健康増進データと関連付けられたフィードバックの生成のうちの少なくとも１つを行うための追跡／フィードバックモジュールをさらに備える付記９から１３のいずれかに記載のシステム。
【０１７８】
１５．健康増進データと関連付けられた予防措置命令を生成するための予防措置モジュールをさらに備える付記９から１４のいずれかに記載のシステム。
【０１７９】
１６．コンピューティングプラットフォームによって実行されると、ネットワークを介して、
ハブを介して、健康増進データを受信することと、
ハブを介して、健康増進データの少なくとも一部を方法論モジュールに通信することと、
方法論モジュールを介して、健康増進データと関連付けられた少なくとも１つの方法論を識別することと、
命令モジュールを介して、識別された方法論と関連付けられた少なくとも１つの命令を生成することと
を含む、健康増進データを通信する方法の実行をもたらす命令を有する非一過性記憶媒体を備える物品。
【０１８０】
１７．ネットワークの構成要素を介して、健康増進データと関連付けられたデータを追跡するステップと、
ネットワークの構成要素を介して、健康増進データと関連付けられたデータを生成するステップと
のうちの少なくとも１つをさらに含む付記１６に記載の物品。
【０１８１】
１８．ネットワークの構成要素を介して、健康増進データと関連付けられた予防措置命令を生成するステップをさらに含む付記１６または１７に記載の物品。
【０１８２】
１９．健康増進データおよび挙動変化方法論と関連付けられたデータの融合は、直接または間接的に、挙動変化を助長する、付記９から１５のいずれかに記載のシステムまたは付記１６から１８のいずれかに記載の物品。
【０１８３】
値の範囲が提供される場合、文脈によって明確に別様に示されない限り、その下限の１／１０の単位まで、その範囲の上限と下限との間の各介在値と、記載範囲内の任意の他の記載値または介在値が、本開示内に包含されるものと理解されたい。これらのより小さい範囲の上限および下限が、独立して、そのより小さい範囲内に含まれてもよく、また、記載範囲内の任意の具体的に除外された限界を条件として、本開示内に包含される。記載範囲が、限界の一方または両方を含む場合、それらの含まれる限界の一方または両方を除外する範囲もまた、本開示内に含まれる。
【０１８４】
別様に定義されない限り、本明細書で使用されるあらゆる技術的および科学的用語は、本用語が属する当業者によって一般的に理解されるものと同一の意味を有する。本明細書に説明されるものに類似する、またはそれと均等の任意の方法および材料が、本開示の実践または試験に使用されることができるが、ここでは、好ましい方法および材料を説明する。
【０１８５】
本明細書に引用される出願、刊行物、および特許は、各個々の刊行物または特許が、具体的にかつ個々に、参照することによって組み込まれるように示され、それらが引用されるものと関連して、システム、方法、および／または材料を開示ならびに説明するよう、参照することによって本明細書に組み込まれるように、参照することによって本明細書に組み込まれる。任意の刊行物の引用は、本出願日前の開示を示すためのものであって、本開示が、先行開示を理由として、そのような刊行物に先行する権利を有さないことを認めるものと解釈するべきではない。さらに、提供される刊行物の日付は、実際の公開日と異なる場合があり、独立して、確認する必要があり得る。
【０１８６】
本明細書および添付の請求項で使用されるように、単数形「ａ」、「ａｎ」、および「ｔｈｅ」は、文脈によって明確に別様に示されない限り、複数参照を含む。さらに、請求項は、任意の随意の要素を除外するように作成され得ることに留意されたい。したがって、本記載は、請求項要素の列挙と関連した「単に（ｓｏｌｅｌｙ）」、「唯一の（ｏｎｌｙ）」、および同等物のような排他的専門用語の使用、または「否定的（ｎｅｇａｔｉｖｅ）」限定の使用のための先行詞としての役割を果たすように意図される。
【０１８７】
本開示の熟読によって、当業者に明白となるように、本明細書で説明および図示される個々の実施形態はそれぞれ、本開示の範囲または精神から逸脱することなく、他のいくつかの実施形態のいずれかの特徴から容易に分離される、またはそれと組み合わせられ得る、離散構成要素および特徴を有する。任意の列挙された方法は、列挙された事象の順序において、または論理的に可能な任意の他の順序で実施されることができる。
【０１８８】
前述の開示は、理解を明確にする目的のために、例証および例示として、ある程度詳細に説明されたが、ある変更および修正が、添付の請求項の精神または範囲から逸脱することなく、成されてもよいことは、本開示の教示に照らして、当業者に容易に明白である。
【０１８９】
故に、前述は、単に、本開示の原理を図示する。当業者は、種々の配列を考案可能であって、本明細書に明示的に説明または図示されないが、本開示の原理を具現化し、その精神および範囲内に含まれることを理解されるであろう。
【０１９０】
さらに、本明細書に列挙される全実施例および条件付き言語は、主として、本開示の原理および発明者が当技術の増進に寄与する概念を読者が理解するのを補助することを意図するものであり、そのような具体的に列挙された実施例および条件に限定されるものと解釈されるべきではない。さらに、本開示の原理、態様、および実施形態、ならびにその具体的実施例を列挙する、本明細書における全記載は、その構造的および機能的均等物の両方を包含することが意図される。加えて、そのような均等物は、現在公知の均等物および将来開発される均等物の両方、例えば、構造にかかわらず、同一の機能を果たすように開発された任意の要素を含むものと意図される。本開示の範囲は、したがって、本明細書に図示および説明される例示的実施形態に限定されることを意図しない。むしろ、本開示の範囲および精神は、添付の請求項によって具現化される。
関連出願の相互参照
【０１９１】
本願は、参照することによって、全体として本明細書に組み込まれる、２０１１年１月１０日出願の米国仮特許出願第６１／４３１，４１６号「Ｓｙｓｔｅｍ，  Ｍｅｔｈｏｄ  ａｎｄ  Ａｒｔｉｃｌｅ  ｔｏ  Ｐｒｏｍｐｔ  Ｂｅｈａｖｉｏｒ  Ｃｈａｎｇｅ」の利益を主張する。本願は、また、参照することによって、全体として本明細書に組み込まれる、２０１２年１月６日に出願され国際公開ＷＯ２０１２／０９６８５２として公開された上記と同一の名称の国際出願第ＰＣＴ／ＵＳ２０１２／０２０５４２６１／４３１の利益を主張する。
【手続補正２】
【補正対象書類名】特許請求の範囲
【補正対象項目名】全文
【補正方法】変更
【補正の内容】
【特許請求の範囲】
【請求項１】
プロセッサによって、健康増進データを受信するステップと、
前記プロセッサによって、前記健康増進データを処理し、少なくとも１つの事前に選択された挙動変化方法論を識別するステップと、
前記プロセッサによって、対応する命令を生成し、前記識別された少なくとも１つの挙動変化方法論を始動するステップと
を有することを特徴とする方法。
【請求項２】
前記健康増進データは、本質的に、摂取事象、注射事象、吸引事象、注入事象、健康監視事象、物理的アクティビティ事象、および摂食事象から成る群から選択される少なくとも１つの事象から生成されることを特徴とする請求項１に記載の方法。
【請求項３】
前記健康増進データを生成する前記摂取事象は、摂取可能デバイスを介して促進されることを特徴とする請求項２に記載の方法。
【請求項４】
前記摂取可能デバイスは、ＲＦＩＤ対応デバイスおよび電流改変デバイスから成る群から選択されることを特徴とする請求項３に記載の方法。
【請求項５】
前記少なくとも１つの挙動変化方法論は、本質的に、メドマッチ方法論、実現可能範囲内におけるレース方法論、デスクトップウィジェット／アバター選択方法論、家族的責任方法論、仮想邸宅方法論、日々変わる孵化方法論、フィティマルズ方法論、ゲームフィット方法論、楽しい比較方法論、勝利への執着方法論、羞恥ゲーム方法論、誓約マッチ方法論、友人からの援助方法論、愛情バズ音方法論、パッチアラート方法論、パッチ発信機方法論、完了！バズ音方法論、プラグ方法論、実患者プロファイル方法論、実将来方法論、心的状態の掘り下げ方法論、心臓適合方法論、スイマーパッチ方法論、小ステップ大結果方法論、健康的な食事への取り組み方法論、偽薬方法論、およびマッチ方法論から成る群から選択されることを特徴とする請求項１に記載の方法。
【請求項６】
前記メドマッチ方法論は、援助を必要としている個人または活動の直接的あるいは間接的支援および経済的結果のうちの少なくとも１つと関連付けられることを特徴とする請求項５に記載の方法。
【請求項７】
前記メドマッチ方法論は、検証可能寄付的経済活動および定量化可能寄付的経済活動のうちの少なくとも１つと関連付けられることを特徴とする請求項５に記載の方法。
【請求項８】
健康増進デバイスによって、前記健康増進データを生成する初期ステップをさらに有することを特徴とする請求項１に記載の方法。
【請求項９】
前記健康増進デバイスは、摂取可能デバイスであることを特徴とする請求項８に記載の方法。
【請求項１０】
デバイスによって、前記対応する命令を受信するステップをさらに有することを特徴とする請求項１に記載の方法。
【請求項１１】
システム構成要素を介して、前記健康増進データと関連付けられたデータを追跡するステップと、
システム構成要素を介して、前記健康増進データと関連付けられたフィードバックを生成するステップと
のうちの少なくとも１つをさらに有することを特徴とする請求項１に記載の方法。
【請求項１２】
システム構成要素を介して、前記健康増進データと関連付けられた予防措置命令を生成するステップをさらに有することを特徴とする請求項１に記載の方法。
【請求項１３】
デバイスによって生成された健康増進データと、
前記健康増進データと関連付けられた少なくとも１つの挙動変化方法論を識別するために、プロセッサと関連付けられた方法論モジュールと、
前記識別された少なくとも１つの挙動変化方法論を始動するために、前記プロセッサと関連付けられた命令モジュールと
を備えることを特徴とするシステム。
【請求項１４】
前記健康増進データを生成することと、前記健康増進データを通信することとのうちの何れか１つを行うデータデバイスをさらに備えることを特徴とする請求項１３に記載のシステム。
【請求項１５】
前記データデバイスは、本質的に、摂取可能デバイス、注射デバイス、吸引デバイス、注入デバイス、検出器デバイス、健康監視デバイス、物理的アクティビティデバイス、埋め込み型デバイス、薬物デポー放出デバイス、および摂食デバイスから成る群から選択されることを特徴とする請求項１４に記載のシステム。
【請求項１６】
前記摂取可能デバイスは、前記健康増進データを電流にてエンコードすることを特徴とする請求項１５に記載のシステム。
【請求項１７】
前記摂取可能デバイスは、
コンダクタンスを改変するための制御デバイスと、
部分的電源であって、
前記制御デバイスに電気的に結合された第１の材料、および
前記制御デバイスに電気的に結合され、前記第１の材料から電気的に絶縁される、第２の材料
を有する部分的電源と
を備えており、
前記第１の材料および第２の材料は、伝導性液体と接触すると、電圧電位差を提供するように選択され、
前記制御デバイスは、前記電流の大きさが変動されて前記健康増進データをエンコードするように、前記第１の材料および第２の材料の間のコンダクタンスを改変することを特徴とする請求項１６に記載のシステム。
【請求項１８】
前記検出器デバイスは、薬剤送達事象データおよび生理学的パラメータデータのうちの少なくとも１つと通信することを特徴とする請求項１５に記載のシステム。
【請求項１９】
前記健康増進データと関連付けられたデータの追跡、および、前記健康増進データと関連付けられたフィードバックの生成のうちの少なくとも１つを行うための追跡／フィードバックモジュールをさらに備えることを特徴とする請求項１３に記載のシステム。
【請求項２０】
前記健康増進データと関連付けられた予防措置命令を生成するための予防措置モジュールをさらに備えることを特徴とする請求項１３に記載のシステム。
【請求項２１】
コンピューティングプラットフォームによって実行されると、ネットワークを介して、健康増進データを通信する方法の実行をもたらす、命令を有する、非一過性記憶媒体であって、
ハブを介して、前記健康増進データを受信することと、
前記ハブを介して、前記健康増進データの少なくとも一部を方法論モジュールに通信することと、
方法論モジュールを介して、前記健康増進データと関連付けられた少なくとも１つの方法論を識別することと、
命令モジュールを介して、前記識別された方法論と関連付けられた少なくとも１つの命令を生成することと
を含む媒体を備えることを特徴とする物品。
【請求項２２】
前記ネットワークの構成要素を介して、前記健康増進データと関連付けられたデータを追跡するステップと、
前記ネットワークの構成要素を介して、前記健康増進データと関連付けられたデータを生成するステップと
のうちの少なくとも１つをさらに含むことを特徴とする請求項２１に記載の物品。
【請求項２３】
前記ネットワークの構成要素を介して、前記健康増進データと関連付けられた予防措置命令を生成するステップをさらに含むことを特徴とする請求項２１に記載の物品。
【請求項２４】
デバイスによって生成された健康増進データと、
前記健康増進データと関連付けられた少なくとも１つの挙動変化方法論を識別するために、プロセッサと関連付けられた方法論モジュールと、
前記識別された少なくとも１つの挙動変化方法論を始動するために、前記プロセッサと関連付けられた命令モジュールとを備えており、
前記健康増進データおよび前記挙動変化方法論と関連付けられたデータの融合は、直接または間接的に、挙動変化を助長することを特徴とするシステム。
【手続補正３】
【補正対象書類名】図面
【補正対象項目名】全図
【補正方法】変更
【補正の内容】
【図１】
2014511516.tif 000029
【図２】
2014511516.tif 000030
【図２ａ】
2014511516.tif 000031
【図３】
2014511516.tif 000032
【図４】
2014511516.tif 000033
【図５】
2014511516.tif 000034
【図６】
2014511516.tif 000035
【図７】
2014511516.tif 000036
【図８】
2014511516.tif 000037
【図９】
2014511516.tif 000038
【図１０】
2014511516.tif 000039
【図１１】
2014511516.tif 000040
【図１２】
2014511516.tif 000041
【図１３】
2014511516.tif 000042
【図１４】
2014511516.tif 000043
【図１５】
2014511516.tif 000044
【図１６】
2014511516.tif 000045
【図１７】
2014511516.tif 000046
【図１８】
2014511516.tif 000047
【図１９】
2014511516.tif 000048
【図２０】
2014511516.tif 000049
【図２１】
2014511516.tif 000050
【図２２】
2014511516.tif 000051
【図２３】
2014511516.tif 000052
【図２４】
2014511516.tif 000053
【図２５】
2014511516.tif 000054
【図２６】
2014511516.tif 000055
【図２７】
2014511516.tif 000056
【図２８】
2014511516.tif 000057
【図２８Ａ】
2014511516.tif 000058
【図２８Ｂ】
2014511516.tif 000059
【図２９】
2014511516.tif 000060
【図３０】
2014511516.tif 000061
【図３１】
2014511516.tif 000062
【図３２】
2014511516.tif 000063
【図３３】
2014511516.tif 000064
【図３４】
2014511516.tif 000065
【図３５】
2014511516.tif 000066
【国際調査報告】
2014511516.tif 000067
2014511516.tif 000068